(57)【特許請求の範囲】
【請求項１】
コントローラプロセッサと、
メモリサブシステムと、
前記コントローラプロセッサと前記メモリサブシステムとの間で動作可能に接続されたデータバスであって、前記コントローラプロセッサが、前記メモリサブシステムにパラメータに関する値を送り、かつ前記メモリサブシステムから前記パラメータに関する値を受信するために、前記データバスを経由して、前記メモリサブシステムと通信するデータバスと、
前記メモリサブシステム内に格納されたソフトウェアであって、前記メモリサブシステムが、少なくとも１つのデータ表を備え、前記データ表におけるデータは、遠隔局の少なくとも１つのセットに関するパラメータの値、トレーニング系列の値、タイムスロット番号の値、およびチャネル周波数の値を備えたソフトウェアと、
を備え、
前記ソフトウェアが、
第１のデータおよび第２のデータを生成するための命令と、
第１のトレーニング系列、および、前記第１のトレーニング系列とは異なる第２のトレーニング系列を生成するための命令と、
第１の組み合わされたデータを作成するために、前記第１のトレーニング系列を前記第１のデータと組み合わせるための命令と、
第２の組み合わされたデータを作成するために、前記第２のトレーニング系列を前記第２のデータと組み合わせるための命令と、
第１の送信信号および第２の送信信号を作成するために、同じ搬送周波数と同じタイムスロットとを使用して、前記第１の組み合わされたデータと前記第２の組み合わされたデータの両方を変調ならびに送信するための命令と、
１個の基地局によって、前記同じ搬送周波数上の前記同じタイムスロット内で前記トレーニング系列の両方を使用するための命令と、
を備えた、チャネルを共有する第１の信号および第２の信号を作成するための命令を、前記データ表を参照して前記コントローラプロセッサによって実行される
基地局コントローラ。
【請求項２】
前記ソフトウェアが、
新しい接続をセットアップするための命令と、
前記新しい接続が既存の接続と共有するために、使用済みのタイムスロットを選択するための命令と、
前記新しい接続に関して、前記既存の接続のトレーニング系列と異なるトレーニング系列を選択するための命令と、
１個の基地局によって、前記同じチャネル周波数上の前記同じタイムスロット内で前記トレーニング系列の両方を使用するための命令と、
を備えた、単一のチャネル上で信号を共有するための命令を備える、請求項１に記載の基地局コントローラ。
【請求項３】
複数のデータ送信装置と、
複数のアウトプットを有する、少なくとも１個の系列ジェネレータと、
それぞれが複数のインプットおよび少なくとも１つのアウトプットを有する、複数のコンバイナであって、前記インプットのうちの第１のインプットが、前記データ送信装置のうちの１つの前記アウトプットのうちの１つに動作可能に接続され、前記インプットのうちの第２のインプットが、前記系列ジェネレータの前記アウトプットのうちの１つに動作可能に接続され、それにより、少なくとも１つの組み合わされたデータを作成するために、少なくとも１つのトレーニング系列が、少なくとも１つのデータと組み合わされる、複数のコンバイナと、
複数のインプットおよび少なくとも１つのアウトプットを有する送信機変調器と、
をさらに備える、請求項１に記載の基地局コントローラ。
【請求項４】
前記チャネル周波数上に未使用のタイムスロットが存在する場合、新しいタイムスロットを割り当てることをさらに備え、前記チャネル周波数上に未使用のタイムスロットが存在しない場合、前記新しい接続が既存の接続と共有するために、前記使用済みのタイムスロットが選択される請求項２に記載の基地局コントローラ。
【請求項５】
前記既存の接続に関して、前記新しい接続のシンボルを位相シフトするための少なくとも１つの命令をさらに備える、請求項２に記載の基地局コントローラ。
【請求項６】
前記チャネル周波数と、前記タイムスロットと、前記トレーニング系列とを１個の遠隔局に割り当てるためのコマンドを生成して、前記コマンドを基地局に送るための少なくとも１つの命令をさらに備える、請求項２に記載の基地局コントローラ。
【請求項７】
前記タイムスロットが、基地局から前記タイムスロットを使用している新しい遠隔局までの距離に類似した、前記基地局からの前記距離を有する前記遠隔局によって使用されることを備える基準に従って、前記新しい接続に関して、前記使用済みのタイムスロットが選択される、請求項２に記載の基地局コントローラ。
【請求項８】
前記タイムスロットが低いトラヒックを有する場合、前記タイムスロットが選択され得ること、または前記タイムスロットが、１個以下の遠隔局によってすでに使用されていることを備える基準に従って、前記新しい接続に関して、前記使用済みのタイムスロットが選択される、請求項２に記載の基地局コントローラ。
【請求項９】
前記タイムスロットをすでに使用している遠隔局、前記タイムスロットを使用している前記新しい遠隔局の両方がＤＡＲＰ可能である場合、前記遠隔局において受信された電力レベルが、前記新しい遠隔局の１０ｄＢ範囲内であり得ることを備える基準に従って、前記新しい接続に関して、前記使用済みのタイムスロットが選択される、請求項２に記載の基地局コントローラ。
【請求項１０】
ＤＡＲＰ可能でない遠隔局が、前記ＤＡＲＰ可能な遠隔局の所望される信号よりも、≦１０ｄＢさらに高い所望される信号を有する、請求項２に記載の基地局コントローラ。
【請求項１１】
第１のデータおよび第２のデータを生成するための命令と、
前記既存の接続のトレーニング系列および前記異なるトレーニング系列を生成するための命令と、
第１の組み合わされたデータを作成するために、前記既存の接続のトレーニング系列を前記第１のデータと組み合わせるための命令と、
第２の組み合わされたデータを作成するために、前記異なるトレーニング系列を前記第２のデータと組み合わせるための命令と、
第１の送信信号および第２の送信信号を作成するために、前記同じチャネル周波数と前記同じ使用済みのタイムスロットとを使用して、前記第１の組み合わされたデータと前記第２の組み合わされたデータの両方を変調ならびに送信するための命令と、
をさらに備える、請求項２に記載の基地局コントローラ。
【請求項１２】
前記送信機変調器が、第１の前記組み合わされたデータが第２の前記組み合わされたデータに関して位相シフトされるように、前記少なくとも１つの組み合わされたデータのシンボルを位相シフトする、請求項３に記載の基地局コントローラ。
【請求項１３】
前記少なくとも１個の系列ジェネレータが、複数の系列ジェネレータを備える、請求項３に記載の基地局コントローラ。
【請求項１４】
前記位相シフトが均一に分布する、請求項５に記載の基地局コントローラ。
【請求項１５】
前記位相シフトが均一に分布する、請求項１２に記載の基地局コントローラ。
【請求項１６】
コントローラプロセッサと、
メモリと、
アンテナと、
前記基地局アンテナに動作可能に接続されたデュプレクサスイッチと、
前記デュプレクサスイッチに動作可能に接続された受信機フロントエンドと、
前記受信機フロントエンドに動作可能に接続された受信機復調器と、
前記受信機復調器と前記コントローラプロセッサとに動作可能に接続されたチャネル復号器およびディインタリーバと、
前記コントローラプロセッサに動作可能に接続された基地局コントローラインターフェースと、
前記コントローラプロセッサに動作可能に接続されたコーダおよびインタリーバと、
前記コーダおよびインタリーバに動作可能に接続された送信機変調器と、
前記送信機変調器に動作可能に接続され、かつ前記デュプレクサスイッチに動作可能に接続された送信機フロントエンドモジュールと、
前記コントローラプロセッサと前記チャネル復号器およびディインタリーバ、前記受信機復調器、前記受信機フロントエンド、前記送信機変調器、および前記送信機フロントエンドの間で動作可能に接続されたデータバスと、
前記メモリ内に格納されたソフトウェアであって、前記メモリが、少なくとも１つのデータ表を備え、前記データ表におけるデータは、遠隔局の少なくとも１つのセットに関するパラメータの値、トレーニング系列の値、タイムスロット番号の値、およびチャネル周波数の値を備えるソフトウェアと、
を備え、
前記ソフトウェアが、
第１のデータおよび第２のデータを生成するための命令と、
第１のトレーニング系列、および、前記第１のトレーニング系列とは異なる第２のトレーニング系列を生成するための命令と、
第１の組み合わされたデータを作成するために、前記第１のトレーニング系列を前記第１のデータと組み合わせるための命令と、
第２の組み合わされたデータを作成するために、前記第２のトレーニング系列を前記第２のデータと組み合わせるための命令と、
第１の送信信号および第２の送信信号を作成するために、同じ搬送周波数と同じタイムスロットとを使用して、前記第１の組み合わされたデータと前記第２の組み合わされたデータの両方を変調ならびに送信するための命令と、
１個の基地局によって、前記同じ搬送周波数上の前記同じタイムスロット内で前記トレーニング系列の両方を使用するための命令と、
を備えた、チャネルを共有する第１の信号および第２の信号を作成するための命令を、前記データ表を参照して前記コントローラプロセッサによって実行される
基地局。
【請求項１７】
前記ソフトウェアが、
新しい接続をセットアップするための命令と、
前記新しい接続が既存の接続と共有するために、使用済みのタイムスロットを選択するための命令と、
前記新しい接続に関して、前記既存の接続のトレーニング系列と異なるトレーニング系列コードを選択するための命令と、
１個の基地局によって、前記同じ搬送周波数上の前記同じタイムスロット内で前記トレーニング系列の両方を使用するための命令と、
を備えた、単一のチャネル上で信号を共有するための命令を備える、請求項１６に記載の基地局。
【請求項１８】
複数のデータ送信装置と、
複数のアウトプットを有する、少なくとも１個の系列ジェネレータと、
それぞれが複数のインプットおよび少なくとも１つのアウトプットを有する、複数のコンバイナであって、前記インプットのうちの第１のインプットが、前記データ送信装置のうちの１つの前記アウトプットのうちの１つに動作可能に接続され、前記インプットのうちの第２のインプットが、前記系列ジェネレータの前記アウトプットのうちの１つに動作可能に接続され、それにより、少なくとも１つの組み合わされたデータを作成するために、少なくとも１つのトレーニング系列が、少なくとも１つのデータと組み合わされる、複数のコンバイナと、
複数のインプットおよび少なくとも１つのアウトプットを有する前記送信機変調器と、
をさらに備える、請求項１６に記載の基地局。
【請求項１９】
前記搬送周波数上に未使用のタイムスロットが存在する場合、新しいタイムスロットを割り当てることをさらに備え、前記チャネル周波数上に未使用のタイムスロットが存在しない場合、前記新しい接続が既存の接続と共有するために、前記使用済みのタイムスロットが選択される請求項１７に記載の基地局。
【請求項２０】
前記既存の接続に関して、前記新しい接続のシンボルを位相シフトするための少なくとも１つの命令をさらに備える、請求項１７に記載の基地局。
【請求項２１】
前記タイムスロットが、基地局から前記タイムスロットを使用している新しい遠隔局までの距離に類似した、前記基地局からの前記距離を有する前記遠隔局によって使用されることを備える基準に従って、前記新しい接続に関して、前記使用済みのタイムスロットが選択される、請求項１７に記載の基地局。
【請求項２２】
前記タイムスロットが低いトラヒックを有する場合、前記タイムスロットが選択され得ること、または前記タイムスロットが、１個以下の遠隔局によってすでに使用されていることを備える基準に従って、前記新しい接続に関して、前記使用済みのタイムスロットが選択される、請求項１７に記載の基地局。
【請求項２３】
前記タイムスロットをすでに使用している遠隔局、前記タイムスロットを使用している前記遠隔局の両方がＤＡＲＰ可能である場合、前記遠隔局において受信された電力レベルが、前記新しい遠隔局の１０ｄＢ範囲内であり得ることを備える基準に従って、前記新しい接続に関して、前記使用済みのタイムスロットが選択される、請求項１７に記載の基地局。
【請求項２４】
ＤＡＲＰ可能でない遠隔局が、前記ＤＡＲＰ可能な遠隔局の所望される信号よりも、≦１０ｄＢさらに高い所望される信号を有する、請求項１７に記載の基地局。
【請求項２５】
第１のデータおよび第２のデータを生成するための命令と、
前記既存の接続のトレーニング系列および前記異なるトレーニング系列を生成するための命令と、
第１の組み合わされたデータを作成するために、前記既存の接続のトレーニング系列を前記第１のデータと組み合わせるための命令と、
第２の組み合わされたデータを作成するために、前記異なるトレーニング系列を前記第２のデータと組み合わせるための命令と、
第１の送信信号および第２の送信信号を作成するために、前記同じチャネル周波数と前記同じ使用済みのタイムスロットとを使用して、前記第１の組み合わされたデータと前記第２の組み合わされたデータの両方を変調ならびに送信するための命令と、
をさらに備える、請求項１７に記載の基地局。
【請求項２６】
第１の前記組み合わされたデータが、第２の前記組み合わされたデータに関して位相シフトされるように、前記送信機変調器が、前記少なくとも１つの組み合わされたデータのシンボルを位相シフトする、請求項１８に記載の基地局。
【請求項２７】
前記少なくとも１個の系列ジェネレータが、複数の系列ジェネレータを備える、請求項１８に記載の基地局。
【請求項２８】
前記位相シフトが均等に分布する、請求項２０に記載の基地局。
【請求項２９】
前記位相シフトが均等に分布する、請求項２６に記載の基地局。
【請求項３０】
コントローラプロセッサと、
メモリサブシステムと、
前記コントローラプロセッサと前記メモリサブシステムとの間で動作可能に接続されたデータバスであって、前記コントローラプロセッサが、前記メモリサブシステムにパラメータに関する値を送り、かつ前記メモリサブシステムから前記パラメータに関する値を受信するために、前記データバスを経由して、前記メモリサブシステムと通信するデータバスと、
前記メモリサブシステム内に格納されたソフトウェアであって、前記メモリサブシステムが、少なくとも１つデータ表を備え、前記データ表におけるデータは、遠隔局の少なくとも１つのセットに関するパラメータの値、トレーニング系列の値、タイムスロット番号の値、およびチャネル周波数の値を備え、前記トレーニング系列の値が、低い相互相関比を有する第１のトレーニング系列および前記第１のトレーニング系列とは異なる第２のトレーニング系列を備える、ソフトウェアと、
を備え、
前記ソフトウェアが、
第１のデータおよび第２のデータを生成するための命令と、
前記第１のトレーニング系列および前記第２のトレーニング系列を生成するための命令と、
第１の組み合わされたデータを作成するために、前記第１のトレーニング系列を前記第１のデータと組み合わせるための命令と、
第２の組み合わされたデータを作成するために、前記第２のトレーニング系列を前記第２のデータと組み合わせるための命令と、
第１の送信信号および第２の送信信号を作成するために、同じチャネル周波数と同じタイムスロットとを使用して、前記第１の組み合わされたデータと前記第２の組み合わされたデータの両方を変調ならびに送信するための命令と、
１個の基地局によって、前記同じチャネル周波数上の前記同じタイムスロット内で前記トレーニング系列の両方を使用する命令と
を備えた、チャネルを共有する第１の信号および第２の信号を作成するための命令を、前記データ表を参照して前記コントローラプロセッサによって実行される
基地局コントローラ。
【請求項３１】
前記ソフトウェアが、
新しい接続をセットアップするための命令と、
前記新しい接続が既存の接続と共有するために、使用済みのタイムスロットを選択するための命令と、
前記新しい接続に関して、前記第１のトレーニング系列から前記第２のトレーニング系列を選択するための命令と、
１個の基地局によって、前記同じチャネル周波数上の前記同じタイムスロット内で前記トレーニング系列の両方を使用するための命令と、
を備える、単一のチャネル上で信号を共有するための命令を備える、請求項３０に記載の基地局コントローラ。
【請求項３２】
それにより、複数のデータが生成される、複数のデータ送信装置と、
複数のアウトプットを有する、少なくとも１個の系列ジェネレータと、
それぞれが複数のインプットおよび少なくとも１つのアウトプットを有する、複数のコンバイナであって、前記インプットのうちの第１のインプットが、前記データ送信装置のうちの１つの前記アウトプットのうちの１つに動作可能に接続され、前記インプットのうちの第２のインプットが、前記系列ジェネレータの前記アウトプットのうちの１つに動作可能に接続され、それにより、少なくとも１つの組み合わされたデータを作成するために、少なくとも１つのトレーニング系列が、少なくとも１つのデータと組み合わされる、複数のコンバイナと、
複数のインプットおよび少なくとも１つのアウトプットを有する送信機変調器と、
をさらに備える、請求項３０に記載の基地局コントローラ。
【請求項３３】
前記第１のトレーニング系列に対して相関している場合、前記第２のトレーニング系列が、２／１６と４／１６との間の前記相互相関比を有する、請求項３０に記載の基地局コントローラ。
【請求項３４】
前記第２のトレーニング系列が、前記第１のトレーニング系列に対して補完的である、請求項３０に記載の基地局コントローラ。
【請求項３５】
前記第１のトレーニング系列が、００１００  １０１１１００００１０００１００  １０１１１、００１０１  １０１１１０１１１１０００１０１  １０１１１、０１０００  ０１１１０１１１０１００１０００  ０１１１０、０１０００  １１１１０１１０１０００１０００  １１１１０、０００１１  ０１０１１１００１０００００１１  ０１０１１、０１００１  １１０１０１１０００００１００１  １１０１０、および１０１００  １１１１１０１１０００１０１００  １１１１１を備えた、前記トレーニング系列のセットを備える、請求項３０に記載の基地局コントローラ。
【請求項３６】
前記第２のトレーニング系列が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記トレーニング系列のセットを備える、請求項３０に記載の基地局コントローラ。
【請求項３７】
前記第２のトレーニング系列が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記トレーニング系列のセットを備える、請求項３０に記載の基地局コントローラ。
【請求項３８】
前記第２のトレーニング系列が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記第１のトレーニング系列に対して補完的な前記トレーニング系列の前記セットを備える、請求項３５に記載の基地局コントローラ。
【請求項３９】
前記第２のトレーニング系列が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記第１のトレーニング系列に対して補完的な前記トレーニング系列の前記セットを備える、請求項３５に記載の基地局コントローラ。
【請求項４０】
コントローラプロセッサと、
メモリと、
アンテナと、
前記基地局アンテナに動作可能に接続されたデュプレクサスイッチと、
（例えば、ダウンコンバート、フィルタリング、および増幅により）信号を条件付ける前記デュプレクサスイッチに動作可能に接続された受信機フロントエンドと、
前記条件付けされた信号を復調して前記復調信号を出力する、前記受信機フロントエンドに動作可能に接続された受信機復調器と、
前記受信機復調器と前記コントローラプロセッサとに動作可能に接続されたチャネル復号器およびディインタリーバと、
前記コントローラプロセッサに動作可能に接続された基地局コントローラインターフェースと、
前記コントローラプロセッサに動作可能に接続されたコーダおよびインタリーバと、
前記コーダおよびインタリーバに動作可能に接続された送信機変調器と、
前記送信機変調器に動作可能に接続され、かつ前記デュプレクサスイッチに動作可能に接続された送信機フロントエンドモジュールと、
前記コントローラプロセッサと前記チャネル復号器およびディインタリーバ、前記受信機復調器、前記受信機フロントエンド、前記送信機変調器、ならびに前記送信機フロントエンドの間で動作可能に接続されたデータバスと、
前記メモリ内に格納されたソフトウェアであって、前記メモリが、少なくとも１つのデータ表を備え、前記データ表におけるデータは、遠隔局の少なくとも１つのセットに関するパラメータの値、トレーニング系列の値、タイムスロット番号の値、およびチャネル周波数の値を備え、前記トレーニング系列の値が、低い相互相関比を有する第１のトレーニング系列および前記第１のトレーニング系列とは異なる第２のトレーニング系列を備えたソフトウェアと、
を備え、
前記ソフトウェアが、
第１のデータおよび第２のデータを生成するための命令と、
前記第１のトレーニング系列および前記第２のトレーニング系列を生成するための命令と、
第１の組み合わされたデータを作成するために、前記第１のトレーニング系列を前記第１のデータと組み合わせるための命令と、
第２の組み合わされたデータを作成するために、前記第２のトレーニング系列を前記第２のデータと組み合わせるための命令と、
第１の送信信号および第２の送信信号を作成するために、同じ搬送周波数と同じタイムスロットとを使用して、前記第１の組み合わされたデータと前記第２の組み合わされたデータの両方を変調ならびに送信するための命令と、
１個の基地局によって、前記同じチャネル周波数上の前記同じタイムスロット内で前記トレーニング系列の両方を使用するための命令と
を備えた、チャネルを共有する第１の信号および第２の信号を作成するための命令を、前記データ表を参照して前記コントローラプロセッサによって実行される
基地局。
【請求項４１】
前記ソフトウェアが、
新しい接続をセットアップするための命令と、
前記新しい接続が既存の接続と共有するために、使用済みのタイムスロットを選択するための命令と、
前記新しい接続に関して、前記第２のトレーニング系列コードを選択するための命令と、
１個の基地局によって、前記同じチャネル周波数上の前記同じタイムスロット内で前記トレーニング系列の両方を使用するための命令と、
を備えた、単一のチャネル上で信号を共有するための命令を備える、請求項４０に記載の基地局。
【請求項４２】
それにより、複数のデータが生成される、複数のデータ送信装置と、
複数のアウトプットを有する、少なくとも１個の系列ジェネレータと、
それぞれが複数のインプットおよび少なくとも１つのアウトプットを有する、複数のコンバイナであって、前記インプットのうちの第１のインプットが、前記データ送信装置のうちの１つの前記アウトプットのうちの１つに動作可能に接続され、前記インプットのうちの第２のインプットが、前記系列ジェネレータの前記アウトプットのうちの１つに動作可能に接続され、それにより、少なくとも１つの組み合わされたデータを作成するために、少なくとも１つのトレーニング系列が、少なくとも１つのデータと組み合わされる、複数のコンバイナと、
複数のインプットおよび少なくとも１つのアウトプットを有する送信機変調器と、
をさらに備える、請求項４０に記載の基地局。
【請求項４３】
前記第１のトレーニング系列に対して相関している場合、前記第２のトレーニング系列が、２／１６と４／１６との間の前記相互相関比を有する、請求項４０に記載の基地局。
【請求項４４】
前記第２のトレーニング系列が、前記第１のトレーニング系列に対して補完的である、請求項４０に記載の基地局。
【請求項４５】
前記第１のトレーニング系列が、００１００  １０１１１００００１０００１００  １０１１１、００１０１  １０１１１０１１１１０００１０１  １０１１１、０１０００  ０１１１０１１１０１００１０００  ０１１１０、０１０００  １１１１０１１０１０００１０００  １１１１０、０００１１  ０１０１１１００１０００００１１  ０１０１１、０１００１  １１０１０１１０００００１００１  １１０１０、および１０１００  １１１１１０１１０００１０１００  １１１１１を備えた、前記トレーニング系列のセットを備える、請求項４０に記載の基地局。
【請求項４６】
前記第２のトレーニング系列が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記トレーニング系列のセットを備える、請求項４０に記載の基地局。
【請求項４７】
前記第２のトレーニング系列が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記トレーニング系列のセットを備える、請求項４０に記載の基地局。
【請求項４８】
前記第２のトレーニング系列が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記第１のトレーニング系列に対して補完的な前記トレーニング系列の前記セットを備える、請求項４５に記載の基地局。
【請求項４９】
前記第２のトレーニング系列が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記第１のトレーニング系列に対して補完的な前記トレーニング系列の前記セットを備える、請求項４５に記載の基地局。
【発明の詳細な説明】
【技術分野】
【０００１】
本発明は、一般に、無線通信の分野に関し、詳細には、無線通信システムにおいてチャネル容量を増大させることに関する。
【背景技術】
【０００２】
ますます多くの人々が、音声だけでなく、データ通信に関しても、例えば、移動体電話などの移動体通信デバイスを使用している。ＧＳＭ（登録商標）／ＥＤＧＥ無線アクセスネットワーク（ＧＥＲＡＮ）仕様書において、ＧＰＲＳおよびＥＧＰＲＳがデータサービスを提供する。ＧＥＲＡＮに関する標準は、３ＧＰＰ（第３世代パートナーシッププロジェクト）によって維持される。ＧＥＲＡＮは、移動体通信用グローバルシステム（ＧＳＭ（登録商標））の一部である。より詳細には、ＧＥＲＡＮは、基地局（ＡｔｅｒインターフェースおよびＡｂｉｓインターフェース）と基地局コントローラ（Ａインターフェースなど）とを結合するネットワークと共に、ＧＳＭ／ＥＤＧＥの無線部分である。ＧＥＲＡＮは、ＧＳＭネットワークの中核を表す。ＧＥＲＡＮは、ＰＳＴＮおよびインターネットから移動局を含む遠隔局に、かつ当該遠隔局からＰＳＴＮおよびインターネットに電話呼とパケットデータとを経路指定する。より大きな帯域幅と、より高いデータ転送速度を用いる第３世代通信システムに関して、ＵＭＴＳ（ユニバーサル移動体通信システム）標準がＧＳＭシステムにおいて取り入れられている。ＧＥＲＡＮは、組み合わされたＵＭＴＳ／ＧＳＭネットワークの一部でもある。
【０００３】
今日のネットワークにおいて、以下の課題が存在する。第１に、より多くのトラヒックチャネルが必要とされ、これは容量の課題である。アップリンク（ＵＬ）上よりもダウンリンク（ＤＬ）上にさらに高いデータスループットの需要が存在するため、ＤＬおよびＵＬの使用は対称的ではない。例えば、ＦＴＰ転送を行っている移動局（ＭＳ）には４Ｄ１Ｕが与えられることが可能であり、これは、フルレートに関して４つのユーザリソースを利用し、ハーフレートに関して８つのユーザリソースを利用することを意味し得る。現状では、ネットワークは、音声に関して、４つもしくは８つの発呼側にサービスを提供するか、または１つのデータ呼に関して、４つもしくは８つの発呼側にサービスを提供するかどうか決定しなければならない。データ呼と音声呼の両方が同時に行われるＤＴＭ（二重転送モード）を可能にするためには、より多くのリソースが必要になる。
【０００４】
第２に、多くの新しいユーザは音声呼も望むのに、ネットワークがデータ呼をサービス提供する場合、新しいユーザは、ＵＬリソースおよびＤＬリソースの両方が利用可能でない限り、サービスを得ないことになる。したがって、一部のＵＬリソースは無駄にされる可能性がある。一方で、呼を行うことを待っているカスタマが存在し、サービスが提供されることができず、他方で、ＵＬは利用可能であるが、ＤＬのペアリング（pairing）の欠如により無駄にされる。
【０００５】
第３に、マルチタイムスロットモードで動作しているＵＥが、隣り合うセルを走査して、それらのセルを監視するためにさらに少ない時間が存在し、これは、呼の中断およびパフォーマンスの課題を引き起こす可能性がある。
【０００６】
図１は、無線通信システムにおける送信機１１８と受信機１５０のブロック図を示す。ダウンリンクの場合、送信機１１８は、基地局の一部であり得、受信機１５０は、無線デバイス（遠隔局）の一部であり得る。アップリンクの場合、送信機１１８は、無線デバイスの一部であり得、受信機１５０は、基地局の一部であり得る。基地局は、一般に、無線デバイスと通信する固定局であり、ノードＢ、進化型ノードＢ（ｅノードＢ）、アクセスポイントなどと呼ばれる場合もある。無線デバイスは、固定であってよく、または移動可能であってもよく、遠隔局、移動局、ユーザ機器、移動体機器、端末、遠隔端末、アクセス端末、局などと呼ばれる場合もある。無線デバイスは、セルラ電話、携帯情報端末（ＰＤＡ）、無線モデム、無線通信デバイス、ハンドヘルドデバイス、加入者ユニット、ラップトップコンピュータなどであり得る。
【０００７】
送信機１１８において、送信（ＴＸ）データプロセッサ１２０は、データを受信して、処理（例えば、フォーマット、符号化、およびインタリーブ）し、符号化データを提供する。変調器１３０は、符号化データに関して変調を実行して、変調信号を提供する。変調器１３０は、ＧＳＭに関して、ガウス最小シフトキーイング（ＧＭＳＫ）を実行することが可能であり、グローバル進化用拡張データレート（Enhanced Data rates for Global Evolution）（ＥＤＧＥ）に関して、８位相シフトキーイング（８−ＰＳＫ）を実行することが可能であり、以下同様である。ＧＭＳＫは、連続する位相変調プロトコルであり、一方、８−ＰＳＫはディジタル変調プロトコルである。送信機ユニット（ＴＭＴＲ）１３２は、変調信号を条件付け（例えば、フィルタリング、増幅、およびアップコンバート）して、アンテナ１３４を経由して送信されるＲＦ変調信号を生成する。
【０００８】
受信機１５０において、アンテナ１５２は、送信機１１０およびその他の送信機からＲＦ変調信号を受信する。アンテナ１５２は、受信ＲＦ信号を受信機ユニット（ＲＣＶＲ）１５４に提供する。受信機ユニット１５４は、受信ＲＦ信号を条件付け（例えば、フィルタリング、増幅、およびダウンコンバート）して、条件付けられた信号をディジタル化し、サンプルを提供する。復調器１６０は、下で説明されるようにサンプルを処理して、復調データを提供する。受信（ＲＸ）データプロセッサ１７０は、復調データを処理（例えば、ディインタリーブおよび復号）して、復号データを提供する。一般に、変調器１６０およびＲＸデータプロセッサ１７０による処理は、それぞれ、送信機１１０における変調器１３０ならびにＴＸデータプロセッサ１２０による処理に対して補完的である。
【０００９】
コントローラ／プロセッサ１４０および１８０は、それぞれ、送信機１１８ならびに受信機１５０において動作を指令する。メモリ１４２および１８２は、それぞれ、送信機１１８と受信機１５０とによって使用されるコンピュータソフトウェアならびにデータの形でプログラムコードを格納する。
【００１０】
図２は、図１の受信機１５０における受信機ユニット１５４ならびに復調器１６０の設計のブロック図を示す。受信機ユニット１５４内で、受信チェーン４４０は、受信ＲＦ信号を処理して、ＩｂｂおよびＱｂｂとして示されるＩベースバンド信号とＱベースバンド信号とを提供する。受信チェーン４４０は、低雑音増幅、アナログフィルタリング、直交周波数逓降変換（quadrature downconversion）などを実行することが可能である。アナログディジタルコンバータ（ＡＤＣ）４４２は、ｆａｄｃのサンプリングレートでＩベースバンド信号とＱベースバンド信号とをディジタル化して、ＩａｄｃおよびＱａｄｃとして示されるＩサンプルとＱサンプルとを提供する。一般に、ＡＤＣサンプリングレートｆａｄｃは、任意の整数係数または非整数係数によって、シンボルレートｆｓｙｍと関連付けられることが可能である。
【００１１】
復調器１６０内で、プリプロセッサ４２０は、ＡＤＣ４４２からのＩサンプルおよびＱサンプルに関して事前処理を実行する。例えば、プリプロセッサ４２０は、直流（ＤＣ）オフセットを除去すること、周波数オフセットを除去することなどが可能である。インプットフィルタ４２２は、特定の周波数レスポンスに基づいて、プリプロセッサ４２０からのサンプルをフィルタリングして、ＩｉｎおよびＱｉｎとして示されるインプットＩサンプルとインプットＱサンプルとを提供する。フィルタ４２２は、ＡＤＣ４４２による標本化の結果として生じる画像ならびにジャマー（jammer）を抑圧するために、ＩサンプルおよびＱサンプルをフィルタリングすることが可能である。フィルタ４２２は、例えば、２４Ｘオーバーサンプリングから２Ｘオーバーサンプリングへのサンプルレート変換を実行することも可能である。データフィルタ４２４は、別の周波数レスポンスに基づいて、インプットフィルタ４２２からのインプットＩサンプルとインプットＱサンプルとをフィルタリングして、ＩｏｕｔおよびＱｏｕｔとして示されるアウトプットＩサンプルとアウトプットＱサンプルとを提供する。フィルタ４２２および４２４は、有限インパルス応答（ＦＩＲ）フィルタ、無限インパルス応答（ＩＩＲ）フィルタ、またはその他のタイプのフィルタを用いて実装されることが可能である。フィルタ４２２および４２４の周波数レスポンスは、良好なパフォーマンスを達成するために選択され得る。一設計では、フィルタ４２２の周波数レスポンスは固定であり、フィルタ４２４の周波数レスポンスは構成可能である。
【００１２】
隣接チャネル干渉（ＡＣＩ）検出器４３０は、フィルタ４２２からインプットＩサンプルとインプットＱサンプルとを受信して、受信ＲＦ信号内のＡＣＩに関して検出し、ＡＣＩ指示子をフィルタ４２４に提供する。ＡＣＩ指示子は、ＡＣＩが存在しているか否かを示し、存在する場合、そのＡＣＩが、＋２００ＫＨｚに中心を置く、より高いＲＦチャネルに起因するか、かつ／または−２００ＫＨｚに中心を置く、より低いＲＦチャネルに起因するかを示すことが可能である。フィルタ４２４の周波数レスポンスは、良好なパフォーマンスを達成するために、下で説明されるように、ＡＣＩ指示子に基づいて調整されることが可能である。
【００１３】
等化器／検出器４２６は、フィルタ４２４からアウトプットＩサンプルとアウトプットＱサンプルとを受信して、これらのサンプルに関して、等化、整合フィルタリング、検出、および／またはその他の処理を実行することが可能である。例えば、等化器／検出器４２６は、ＩサンプルおよびＱサンプルの系列とチャネル推定とを考慮して、送信されている可能性が最も高いシンボルの系列を決定する最尤系列推定器（ＭＬＳＥ）を実装することが可能である。
【００１４】
移動体通信用グローバルシステム（ＧＳＭ）は、セルラ無線通信において広く行き渡った標準である。ＧＳＭは、スペクトルリソースを共有するために、時分割多重接続（ＴＤＭＡ）および周波数分割多重接続（ＦＤＭＡ）の組合せを用いる。ＧＳＭネットワークは、通常、いくつかの周波数帯域内で動作する。例えば、アップリンク通信の場合、ＧＳＭ−９００は、一般に、（移動局からベーストランシーバステーションに）８９０〜９１５ＭＨｚの帯域内で無線スペクトルを使用する。ダウンリンク通信の場合、ＧＳＭ９００は、（基地局から移動局に）９３５〜９６０ＭＨｚを使用する。さらに、それぞれの周波数帯域は、２００ｋＨｚの搬送周波数に分割されて、２００ｋＨｚの間隔が空けられた１２４個のＲＦチャネルを提供する。ＧＳＭ−１９００は、アップリンクに関して、１８５０〜１９１０ＭＨｚ帯域を使用し、ダウンリンクに関して、１９３０〜１９９０ＭＨｚを使用する。ＧＳＭ９００のように、ＦＤＭＡは、アップリンクおよびダウンリンクの両方に関して、ＧＳＭ−１９００スペクトルを２００ｋＨｚ帯域の搬送周波数に分割する。同様に、ＧＳＭ−８５０は、アップリンクに関して、８２４〜８４９ＭＨｚ帯域を使用し、ダウンリンクに関して、８６９〜８９４ＭＨｚ帯域を使用し、一方、ＧＳＭ−１８００は、アップリンクに関して、１７１０〜１７８５ＭＨｚ帯域を使用し、ダウンリンクに関して、１８０５〜１８８０ＭＨｚ帯域を使用する。
【００１５】
ＧＳＭ内のそれぞれのチャネルは、絶対無線周波数チャネル番号、すなわち、ＡＲＦＣＮによって識別された特定の絶対無線周波数チャネルによって識別される。例えば、ＡＲＦＣＮ１〜１２４は、ＧＳＭ９００のチャネルに割り当てられ、一方、ＡＲＦＣＮ５１２〜８１０は、ＧＳＭ１９００のチャネルに割り当てられる。同様に、ＡＲＦＣＮ１２８〜２５１は、ＧＳＭ８５０のチャネルに割り当てられ、一方、ＡＲＦＣＮ５１２〜８８５は、ＧＳＭ１８００のチャネルに割り当てられる。また、それぞれの基地局には、１つまたは複数の搬送周波数が割り当てられる。それぞれの搬送周波数は、８つの連続するタイムスロットが、４．６１５ミリ秒の期間を有する１個のＴＤＭＡフレームを形成するように、ＴＤＭＡを使用して（タイムスロット０から７とラベル付けされた）８つのタイムスロットに分割される。物理チャネルは、ＴＤＭＡフレーム内で１個のタイムスロットを占有する。それぞれのアクティブな無線デバイス／ユーザには、呼の期間に対して、１つまたは複数のタイムスロット指標が割り当てられる。それぞれの無線デバイスに関するユーザ特定のデータは、その無線デバイスに割り当てられた（１つまた複数の）タイムスロット内、およびトラヒックチャネルに関して使用されるＴＤＭＡ内で送られる。
【００１６】
フレーム内のそれぞれのタイムスロットは、ＧＳＭ内でデータの「バースト」を送信するために使用される。タイムスロットおよびバーストという用語は、交換可能に使用されることが可能な場合がある。それぞれのバーストは、２個の末端フィールドと、２個のデータフィールドと、トレーニング系列（すなわち、ミッドアンブル）フィールドと、ガード周期（ＧＰ）とを含む。それぞれのフィールド内のシンボル数が括弧内に示される。バーストは、末端フィールド、データフィールド、およびミッドアンブルフィールドに関する１４８個のシンボルを含む。シンボルは、ガード周期内で送られない。特定の搬送周波数のＴＤＭＡフレームは、番号付けされて、マルチフレームと呼ばれる、２６個または５１個のＴＤＭＡフレームのグループの形で形成される。
【００１７】
図３は、ＧＳＭにおけるフレーム形態例およびバースト形態例を示す。伝送のためのタイムラインは、マルチフレームに分割される。ユーザ特定のデータを送るために使用されるトラヒックチャネルの場合、この例において、それぞれのマルチフレームは、ＴＤＭＡフレーム０から２５とラベル付けされた２６個のＴＤＭＡフレームを含む。トラヒックチャネルは、それぞれのマルチフレームのＴＤＭＡフレーム０から１１、およびＴＤＭＡフレーム１３から２４の中で送られる。制御チャネルは、ＴＤＭＡフレーム１２内で送られる。データは、隣り合う基地局を測定するために無線デバイスによって使用されるアイドルＴＤＭＡフレーム２５内で送られない。
【００１８】
図４は、ＧＳＭシステムにおけるスペクトル例を示す。この例では、５個のＲＦ変調信号は、２００ＫＨｚずつ間隔が空けられた５個のＲＦチャネル上で送信される。当該ＲＦチャネルは、０Ｈｚの中心周波数を用いて示される。２個の隣接ＲＦチャネルは、所望されるＲＦチャネルの中心周波数から＋２００ＫＨｚおよび−２００ＫＨｚの中心周波数を有する。（ブロッカーまたは非隣接ＲＦチャネルと呼ばれる）次の２個の最も近いＲＦチャネルは、所望されるＲＦチャネルの中央周波数から、＋４００ＫＨｚおよび−４００ＫＨｚの中央周波数を有する。スペクトル内に、説明を簡単にするために図３に示されない、その他のＲＦチャネルが存在する可能性がある。ＧＳＭでは、ＲＦ変調信号は、ｆｓｙｍ＝１３０００／４０＝毎秒２７０．８キロシンボル（Ｋｓｐｓ）のシンボルレートを用いて生成され、最高で±１３５ＫＨｚの−３ｄＢ帯域幅を有する。したがって、隣接ＲＦチャネル上のＲＦ変調信号は、図４に示されるように、縁で互いに重なる場合がある。
【００１９】
ＧＳＭでは、音声、データ、および／または制御情報などの情報を通信するために、１つまたは複数の変調方式が使用される。変調方式の例は、ＧＭＳＫ（ガウス最小シフトキーイング）、Ｍ−ａｒｙ  ＱＡＭ（直交振幅変調）、またはＭ−ａｒｙ  ＰＳＫ（位相シフトキーイング）を含むことが可能であり、この場合、Ｍ＝２ｎであり、ｎは、指定された変調方式に関するシンボル期間内で符号化されたビットの数である。ＧＭＳＫは、毎秒２７０．８３キロビットの最大レートで未加工の伝送（raw transmission）を可能にする定エンベロープバイナリ変調方式（constant envelope binary modulation scheme）である。
【００２０】
ＧＳＭは、標準の音声サービスに関して効率的である。しかし、高フィデリティ（high-fidelity）の音声サービスおよびデータサービスは、音声サービスとデータサービスの両方を転送するための容量の需要が高まったことにより、より高いデータスループットレートを望む。容量を増大させるために、汎用パケット無線サービス（ＧＰＲＳ）標準、ＥＤＧＥ（ＧＳＭ進化のための拡張データレート（Enhanced Data rates for GSM Evolution））標準、およびＵＭＴＳ（ユニバーサル移動体通信システム）標準がＧＳＭシステムにおいて取り入れられている。
【００２１】
汎用パケット無線サービス（ＧＰＲＳ）は、非音声サービスである。汎用パケット無線サービスは、情報が移動体電話網の全域で送受信されることを可能にする。汎用パケット無線サービスは、回路交換データ（ＣＳＤ）およびショートメッセージサービス（ＳＭＳ）を補完する。ＧＰＲＳは、ＧＳＭと同じ変調方式を用いる。ＧＰＲＳは、フレーム全体（すべての８つのタイムスロット）が、同時に単一の移動局によって使用されることを可能にする。したがって、より高いデータスループットレートが達成可能である。
【００２２】
ＥＤＧＥ標準は、ＧＭＳＫ変調と８−ＰＳＫ変調の両方を使用する。また、この変調タイプは、バーストごとに変更され得る。ＥＤＧＥにおいて、８−ＰＳＫ変調は、線状の、３π／８回転を伴う８レベル位相変調であり、一方、ＧＭＳＫは、非線形の、ガウスパルス形周波数変調（Gaussian-pulse-shaped frequency modulation）である。しかし、ＧＳＭにおいて使用される特定のＧＭＳＫ変調は、線状変調（すなわち、π／２回転を伴う２レベル位相変調）を用いて概算されることが可能である。概算されたＧＭＳＫのシンボルパルスおよび８−ＰＳＫのシンボルパルスは同じである。
【００２３】
ＧＳＭ／ＥＤＧＥにおいて、周波数バースト（ＦＢ）は、移動局（ＭＳ）が、周波数オフセット推定および周波数オフセット訂正を使用して、基地局の局部発振器（ＬＯ）に対して、移動局のＬＯを同期することを可能にするために、基地局（ＢＳ）によって定期的に送られる。これらのバーストは、すべての「０」ペイロードおよびトレーニング系列に対応する単一のトーンを備える。周波数バーストのこのすべてのゼロペイロードは、一定の周波数信号であるか、または単一のトーンバーストである。パワーオンモードもしくはキャンプオンモードにあるとき、または初めてネットワークにアクセスするとき、遠隔局は、キャリアのリストから周波数バーストを連続的に探索する。周波数バーストを検出するとすぐ、ＭＳは、キャリアから６７．７ＫＨｚである、その通常の周波数に対する周波数オフセットを推定する。ＭＳ  ＬＯは、この推定された周波数オフセットを使用して訂正されることになる。パワーオンモードにおいて、この周波数オフセットは、＋／−１９ＫＨｚ程度であり得る。ＭＳは、その同期を待機モードに維持する目的で、周波数バーストを監視するために、周期的に起動することになる。待機モードにおいて、この周波数オフセットは±２ＫＨｚ範囲内である。
【００２４】
現代の移動体セルラ電話は、通常の音声呼およびデータ呼を提供することが可能である。両方のタイプの呼に対する需要は、増大し続け、ネットワーク容量の需要を高めている。ネットワークオペレータは、その容量を増大させることによって、この需要に対応する。これは、例えば、セルを分割または追加することによって、したがって、より多くの基地局を追加することによって、達成され、これはハードウェアコストを高める。特に、小さな領域内に配置された多くのユーザまたは加入者が一度にネットワークにアクセスする、国際的なフットボール試合または大きな祝祭など、大きなイベントの間に、著しく大きなピーク需要に対処するために、ハードウェアコストを不当に高めずに、ネットワーク容量を増大させることが望ましい。第１の遠隔局に通信のためのチャネル（チャネル周波数とタイムスロットとを備えたチャネル）が割り当てられるとき、第２の遠隔局は、第１の遠隔局がそのチャネルの使用を終えた後でだけ、その割り当てられたチャネルを使用することが可能である。すべての割り当てられたチャネル周波数がそのセル内で使用中であり、かつすべての利用可能なタイムスロットが使用中であるか、または割り当てられているとき、最大容量に達する。これは、任意の追加の遠隔局ユーザがサービスを得ることができないことを意味する。実際には、高い周波数再使用パターンならびに（タイムスロットおよびチャネル周波数の８０％などの）高容量負荷によってもたらされる同一チャネル干渉（ＣＣＩ）と、隣接チャネル干渉（ＡＣＩ）とに起因するもう１つの容量制限が存在する。
【００２５】
ネットワークオペレータは、そのすべてがリソースの追加とコストの追加とを必要とするいくつかの様式で、この問題に対応した。例えば、一手法は、セクタ分割されたアンテナアレー、または方向性アンテナアレーを使用することによって、セルをセクタに分割することである。それぞれのセクタは、セル範囲内の遠隔局のサブセットに通信を提供することが可能であり、異なるセクタ内の遠隔局同士の間の干渉は、セルがセクタに分割されず、すべての遠隔局が同じセル内にあった場合よりも少ない。もう１つの手法は、セルを、それぞれが基地局を有する、より小さなセルに分割することである。これらの手法は両方とも、ネットワーク機器の追加により、実装が高価である。加えて、セルを追加することまたはセルをいくつかのより小さなセルに分割することは、結果として、セル同士の間の距離が減じられるため、１個のセル内の複数の遠隔局が、隣り合うセルからのより多くのＣＣＩ干渉およびＡＣＩ干渉を経験する可能性がある。
【発明の概要】
【００２６】
第１の実施形態では、本特許出願は、コントローラプロセッサと、メモリサブシステムと、コントローラプロセッサとメモリとの間で動作可能に接続されたデータバスであって、コントローラプロセッサが、メモリサブシステムにパラメータに関する値を送り、かつメモリサブシステムからパラメータに関する値を受信するために、データバスを経由して、メモリサブシステムと通信するデータバスと、メモリサブシステム内に格納されたソフトウェアであって、メモリサブシステムが、少なくとも１つのデータ表を備え、これらのデータが、遠隔局の少なくとも１つのセットに関するパラメータの値、トレーニング系列の値、タイムスロット番号の値、およびチャネル周波数の値を備えるソフトウェアと、を備えた基地局コントローラを備える。
【００２７】
もう１つの実施形態では、本特許出願は、第１のデータおよび第２のデータを生成することと、第１のトレーニング系列および第２のトレーニング系列を生成することと、第１の組み合わされたデータを作成するために、第１のトレーニング系列を第１のデータと組み合わせることと、第２の組み合わされたデータを作成するために、第２のトレーニング系列を第２のデータと組み合わせることと、第１の送信信号および第２の送信信号を作成するために、同じ搬送周波数と同じタイムスロットとを使用して、第１の組み合わされたデータと第２の組み合わされたデータの両方を変調および送信することと、１個の基地局によって、同じセル内の同じ搬送周波数上の同じタイムスロット内でトレーニング系列の両方を使用することとを備えた、チャネルを共有する第１の信号および第２の信号を作成する手段ならびに命令を備える。
【００２８】
もう１つの実施形態では、本特許出願は、新しい接続をセットアップすることと、チャネル周波数上に未使用のタイムスロットが存在する場合、新しいタイムスロットを割り当てることと、チャネル周波数上に未使用のタイムスロットが存在しない場合、新しい接続が既存の接続と共有するために、使用済みのタイムスロットを選択することと、新しい接続が既存の接続と共有するために、チャネル周波数上で使用済みのタイムスロットが選択されている場合、新しい接続に関して、異なるトレーニング系列コード（および、対応する新しいトレーニング系列）を選択することと、１個の基地局１１４によって、同じセル内の同じチャネル周波数４１１上の同じタイムスロット４１２内で前記トレーニング系列コード４０４、４０５の両方を使用することとを備えた、単一のチャネル上で信号を共有する手段および命令を備える。
【００２９】
もう１つの実施形態では、異なるトレーニング系列コードと既存の接続のトレーニング系列コードとの間の相互相関比は低い。
【００３０】
もう１つの実施形態では、本特許出願は、それにより、複数のデータが生成される複数のデータ送信装置と、それにより、複数のトレーニング系列が生成される複数のアウトプットを有する、少なくとも１個の系列ジェネレータと、それぞれが複数のインプットおよび少なくとも１つのアウトプットを有する、複数のコンバイナであって、前記インプットのうちの第１のインプットが、前記データ送信装置のうちの１つに動作可能に接続され、前記インプットのうちの第２のインプットが、前記系列ジェネレータの前記アウトプットのうちの１つに動作可能に接続され、それにより、少なくとも１つの組み合わされたデータを作成するために、少なくとも１つのトレーニング系列が、少なくとも１つのデータと組み合わされる複数のコンバイナと、それにより、送信機変調器が、第１の搬送周波数と第１のタイムスロットとを使用して、前記組み合わされたデータを変調し、複数の変調信号を出力する、複数のインプットおよび少なくとも１つのアウトプットを有する送信機変調器とを備えた、チャネルを共有している第１の信号および第２の信号を作成するための装置を備える。
【００３１】
もう１つの実施形態では、本特許出願は、コントローラプロセッサと、アンテナと、基地局アンテナに動作可能に接続されたデュプレクサスイッチと、デュプレクサスイッチに動作可能に接続された受信機フロントエンドと、受信機フロントエンドに動作可能に接続された受信機復調器と、受信機復調器とコントローラプロセッサとに動作可能に接続されたチャネル復号器およびディインタリーバと、コントローラプロセッサに動作可能に接続された基地局コントローラインターフェースと、コントローラプロセッサに動作可能に接続されたコーダおよびインタリーバと、コーダおよびインタリーバに動作可能に接続された送信機変調器と、前記送信機変調器とデュプレクサスイッチとの間で動作可能に接続された送信機フロントエンドモジュールと、コントローラプロセッサとチャネル復号器およびディインタリーバ、受信機復調器、受信機フロントエンド、送信機変調器、ならびに送信機フロントエンドの間で動作可能に接続されたデータバスと、メモリ内に格納されたソフトウェアであって、このメモリは、少なくとも１つのデータ表を備え、これらのデータが、遠隔局の少なくとも１つのセットに関するパラメータの値、（トレーニング系列に対応する）トレーニング系列コードの値、タイムスロット番号の値、およびチャネル周波数の値を備えたソフトウェアと、を備えた基地局を備える。
【００３２】
本方法および本装置の適用可能性のさらなる範囲は、以下の詳細な説明、特許請求の範囲、および図面から明らかになるであろう。しかし、本発明の趣旨内および範囲内の様々な変更ならびに修正が当業者に明らかになるため、詳細な説明および特定の例は、本発明の好ましい実施形態を示すものの、例示としてだけ提示される点を理解されたい。
【００３３】
本発明の特徴、対象、および利益は、添付の図面と共に、下に記載された詳細な説明から明らかになるであろう。
【図面の簡単な説明】
【００３４】
【図１】送信機および受信機を示すブロック図。
【図２】受信機ユニットおよび復調器を示すブロック図。
【図３】ＧＳＭにおけるフレーム形態例およびバースト形態例を示す図。
【図４】ＧＳＭシステムにおけるスペクトル例を示す図。
【図５】セルラ通信システムの簡素化された表現を示す図。
【図６】セルラシステムの一部であるセルの構成を示す図。
【図７】時分割多重接続（ＴＤＭＡ）通信システムに関するタイムスロットの構成例を示す図。
【図８Ａ】単一のチャネルを共有している第１の信号および第２の信号を作成するために、多重接続通信システム内で動作するための装置を示す図。
【図８Ｂ】単一のチャネルを共有している第１の信号および第２の信号を作成するために、多重接続通信システム内で動作するため、かつ第１の変調信号と第２の変調信号とを組み合わせるためにコンバイナを使用するための装置を示す図。
【図９】添付の図面の図８、１０、または１１のいずれかにおいて示される装置を使用するための方法を開示する流れ図。
【図１０Ａ】図９によって説明される本方法が、基地局コントローラ内に在局することになる、実施形態例を示す図。
【図１０Ｂ】図１０Ａの基地局コントローラによって実行されるステップを開示する流れ図。
【図１１】基地局内の信号の流れを例示する態様における基地局を示す図。
【図１２】セルラ通信システムの基地局コントローラ（ＢＳＣ）内に在局し得るメモリサブシステム内のデータ記憶装置に関する構成例を示す図。
【図１３】本方法および本装置のＤＡＲＰ特徴を有する遠隔局に関する受信機アーキテクチャ例を示す図。
【図１４】同じチャネルを２個の遠隔局に割り当てるように適合されたＧＳＭシステムの一部を示す図。
【図１５】本方法および本装置の補完的なトレーニング系列を使用するときに実行されるステップを開示する流れ図。
【図１６】本特許出願において開示される方法を実行し得る、メモリ内に格納されたソフトウェアを有する基地局を示す図。
【図１７】レガシートレーニング系列をＴＳＣのＱＣＯＭ７セットのトレーニング系列とペアリングするときの１％のＦＥＲに関するテスト結果概要を示す図。
【図１８】レガシーＴＳＣをＱＣＯＭ８  ＴＳＣとペアリングするときの１％のＦＥＲに関するテスト結果概要を示す図。
【図１９】ＱＣＯＭ７  ＴＳＣ０をレガシーＴＳＣ０とペアリングするときのパフォーマンスプロットを示す図。
【図２０】ＱＣＯＭ７  ＴＳＣ１をレガシーＴＳＣ１とペアリングするときのパフォーマンスプロットを示す図。
【図２１】ＱＣＯＭ７  ＴＳＣ２をレガシーＴＳＣ２とペアリングするときのパフォーマンスプロットを示す図。
【図２２】ＱＣＯＭ７  ＴＳＣ３をレガシーＴＳＣ３とペアリングするときのパフォーマンスプロットを示す図。
【図２３】ＱＣＯＭ７  ＴＳＣ４をレガシーＴＳＣ４とペアリングするときのパフォーマンスプロットを示す図。
【図２４】ＱＣＯＭ７  ＴＳＣ５をレガシーＴＳＣ５とペアリングするときのパフォーマンスプロットを示す図。
【図２５】ＱＣＯＭ７  ＴＳＣ６をレガシーＴＳＣ６とペアリングするときのパフォーマンスプロットを示す図。
【図２６】ＱＣＯＭ７  ＴＳＣ７をレガシーＴＳＣ７とペアリングするときのパフォーマンスプロットを示す図。
【図２７】ＱＣＯＭ８  ＴＳＣ０をレガシーＴＳＣ０とペアリングするときのパフォーマンスプロットを示す図。
【図２８】ＱＣＯＭ８  ＴＳＣ１をレガシーＴＳＣ１とペアリングするときのパフォーマンスプロットを示す図。
【図２９】ＱＣＯＭ８  ＴＳＣ２をレガシーＴＳＣ２とペアリングするときのパフォーマンスプロットを示す図。
【図３０】ＱＣＯＭ８  ＴＳＣ３をレガシーＴＳＣ３とペアリングするときのパフォーマンスプロットを示す図。
【図３１】ＱＣＯＭ８  ＴＳＣ４をレガシーＴＳＣ４とペアリングするときのパフォーマンスプロットを示す図。
【図３２】ＱＣＯＭ８  ＴＳＣ５をレガシーＴＳＣ５とペアリングするときのパフォーマンスプロットを示す図。
【図３３】ＱＣＯＭ８  ＴＳＣ６をレガシーＴＳＣ６とペアリングするときのパフォーマンスプロットを示す図。
【図３４】ＱＣＯＭ８  ＴＳＣ７をレガシーＴＳＣ７とペアリングするときのパフォーマンスプロットを示す図。
【図３５】遠隔局におけるＭＵＲＯＳ機能を識別するために、基地局によって取られるステップを備える流れ図。
【図３６】遠隔局にトレーニング系列情報を信号で知らせるために取られるステップを備える流れ図。
【発明を実施するための形態】
【００３５】
添付の図面に関して、下で記載される発明を実施するための形態は、本発明の例示的な実施形態の説明として意図され、本発明が実施され得る実施形態だけを表すことが意図されない。この説明の全体にわたって使用される「例示的な」という用語は、「例、事例、または例示として機能すること」を意味し、その他の実施形態に勝って好ましいまたは有利であると解釈されるとは限らない。発明を実施するための形態は、本発明の十分な理解をもたらすための特定の詳細を含む。しかし、本発明がこれらの特定の詳細なしに実施され得ることは当業者に明らかになるであろう。場合によっては、よく知られている構造およびデバイスは、本発明の概念をあいまいにすることを避けるために、ブロック図の形で示される。
【００３６】
その他のユーザに起因する干渉は、無線ネットワークのパフォーマンスを制限する。この干渉は、上で議論された、ＣＣＩと呼ばれる、同じ周波数上の隣り合うセルからの干渉、または、やはり上で議論された、ＡＣＩと呼ばれる、同じセル上の隣り合う周波数からの干渉の形をとる場合がある。
【００３７】
単一アンテナ干渉除去（ＳＡＩＣ）は、同一チャネル干渉（ＣＣＩ）を低減するために使用される。３Ｇパートナーシッププロジェクト（３ＧＰＰ）は、ＳＡＩＣパフォーマンスを標準化した。ＳＡＩＣは、干渉に対抗するために使用される方法である。３ＧＰＰは、ＳＡＩＣを適用する受信機を説明するために、ダウンリンク高度受信機パフォーマンス（downlink advanced receiver performance）（ＤＡＲＰ）を採用した。
【００３８】
ＤＡＲＰは、より低い再使用係数を用いることによって、ネットワーク容量を増大させる。さらに、ＤＡＲＰは、干渉を同時に抑圧する。ＤＡＲＰは、遠隔局の受信機のベースバンド部分で動作する。ＤＡＲＰは、一般的な雑音と異なる隣接チャネル干渉および同一チャネル干渉を抑圧する。ＤＡＲＰは、（２００４年のリリース６以来）これまで画定されたＧＳＭ標準において、リリース独立型の特徴として利用可能であり、リリース６以降の仕様書の不可欠な部分である。以下は、２つのＤＡＲＰ方法の説明である。第１は、ジョイント検出／復調（ＪＤ）方法である。ＪＤは、所望される信号に加えて、いくつかの干渉信号のうちの１つを復調するために、同期移動体ネットワークにおける隣接セル内のＧＳＭ信号構造の知識を使用する。干渉信号を取り出すためのＪＤの能力は、特定の隣接チャネル干渉源の抑圧を可能にする。ＧＭＳＫ信号を復調することに加えて、ＪＤは、ＥＤＧＥ信号を復調するために使用されることも可能である。ブラインド型干渉除去（blind interferer cancellation）（ＢＩＣ）は、ＧＭＳＫ信号を復調するためにＤＡＲＰにおいて使用されるもう１つの方法である。ＢＩＣの場合、受信機は、所望される信号が受信されるのと同時に受信される可能性がある任意の干渉信号の構造の知識を有さない。受信機は、任意の隣接チャネル干渉源に対して効果的に「ブラインド（blind）」であるため、この方法は、干渉構成要素を全体として抑圧することを試みる。ＧＭＳＫ信号は、ＢＩＣ方法によって望まれるキャリアから復調される。ＢＩＣは、ＧＭＳＫ変調音声サービスおよびＧＭＳＫ変調データサービスに関して使用されるとき最も効果的であり、非同期ネットワークにおいて使用されることが可能である。
【００３９】
本方法および本装置のＤＡＲＰ可能な遠隔局等化器／検出器４２６は、等化、検出などに先立って、ＣＣＩ除去も実行する。図２の等化器／検出器４２６は、復調データを提供する。ＣＣＩ除去は、通常、ＢＳ上で利用可能である。また、遠隔局は、ＤＡＲＰ可能であってよく、またはＤＡＲＰ可能でなくてもよい。ネットワークは、遠隔局が、リソース割当て段階で、呼の開始点で、ＧＳＭ遠隔局（例えば、移動局）に関して、ＤＡＲＰ可能であるか否かを決定することが可能である。
【００４０】
基地局によって扱われることが可能な遠隔局に対するアクティブな接続の数を増大させることが望ましい。添付の図面の図５は、セルラ通信システム１００の簡素化された表現を示す。このシステムは、基地局１１０、１１１、および１１４と、遠隔局１２３、１２４、１２５、１２６、および１２７とを備える。基地局コントローラ１４１から１４４は、モバイルスイッチングセンタ１５１、１５２の制御の下で、異なる遠隔局１２３〜１２７の間で信号を経路指定するために動作する。モバイルスイッチングセンタ１５１、１５２は、公衆交換電話網（ＰＳＴＮ）１６２に接続される。遠隔局１２３〜１２７は、通常、ハンドヘルド移動体デバイスであるが、データを扱うことが可能な多くの固定無線デバイスおよび無線デバイスも、遠隔局１２３〜１２７の総称に該当する。
【００４１】
例えば、音声データを運んでいる信号は、モバイルスイッチングセンタ１５１、１５２の制御の下で、基地局コントローラ１４１〜１４４によって遠隔局１２３〜１２７のそれぞれと、その他の遠隔局１２３〜１２７との間で転送される。あるいは、例えば、音声データを運んでいる信号は、公衆交換電話網１６２を経由して、遠隔局１２３〜１２７のそれぞれと、その他の通信ネットワークのその他の通信機器との間で転送される。公衆交換電話網１６２は、呼が移動体セルラシステム１００と、その他の通信システムとの間で経路指定されることを可能にする。かかるその他のシステムは、異なるタイプの、異なる標準に適合するその他の移動体セルラ通信システム１００を含む。
【００４２】
遠隔局１２３〜１２７のそれぞれは、いくつかの基地局１１０、１１１、１１４のうちのいずれか１つによってサービス提供されることが可能である。遠隔局１２４は、サービス提供している基地局１１４によって送信された信号と、近傍のサービス提供していない基地局１１０、１１１によって送信され、その他の遠隔局１２５にサービス提供することが意図された信号の両方を受信する。
【００４３】
基地局１１０、１１１、１１４からの異なる信号の強度は、遠隔局１２４によって周期的に測定されて、ＢＳＣ１４４、１１４などに報告される。近傍の基地局１１０、１１１からの信号が、サービス提供している基地局１１４の信号よりもさらに強くなる場合、モバイルスイッチングセンタ１５２は、近傍の基地局１１０をサービス提供している基地局にするために動作し、かつサービス提供している基地局１１４をサービス提供していない基地局にするために動作して、近傍の基地局１１０に信号をハンドオーバする。ハンドオーバは、データセッションまたは進行中の呼をコアネットワークに接続されたあるチャネルから別のチャネルに転送する方法を指す。
【００４４】
セルラ移動体通信システムでは、無線リソースは、いくつかのチャネルに分割される。それぞれのアクティブな接続（例えば、音声呼）には、（基地局１１０、１１１、１１４によって遠隔局１２３〜１２７に送信されて、遠隔局１２３〜１２７によって受信された）ダウンリンク信号に関する特定のチャネル周波数を有する特定のチャネルと、（遠隔局１２３〜１２７によって基地局１１０、１１１、１１４に送信されて、基地局１１０、１１１、１１４によって受信された）アップリンク信号に関する特定のチャネル周波数を有するチャネルとが割り当てられる。ダウンリンク信号およびアップリンク信号に関する周波数は、同時送受信を可能にして、遠隔局１２３〜１２７において、または基地局１１０、１１１、１１４において、送信信号と受信信号との間の干渉を低減するために、多くの場合、異なる。
【００４５】
セルラシステムが、多くのユーザにアクセスを提供するための方法は、周波数再使用である。添付の図面の図６は、周波数再使用を使用するセルラ通信システムにおけるセルの構成を示す。この特定の例は、４個のセル：１２個の周波数を表す、４：１２の再使用係数を有する。それは、基地局に関して利用可能な１２個の周波数が、図６に例示されるように、Ａ〜Ｄとラベル付けされた、基地局の４つの場所に割り当てられることを意味する。それぞれの場所は、３個のセクタ（または、セル）に分割される。別の形で述べると、１２個のセクタ（４つの場所に関して、１つの場所当たり３個のセクタ）のすべてが、異なる周波数を有するように、１つの周波数が、４つの場所のそれぞれの３個のセクタのそれぞれに割り当てられる。周波数再使用パターンは、４個のセルの後で繰り返す。図６は、それにより、基地局１１０がセルＡに属し、基地局１１４がセルＢに属し、基地局１１１がセルＣに属し、以下同様である、システムのセル繰返しパターン２１０を例示する。基地局１１０は、それぞれ、隣接基地局１１１および１１４の隣接サービス領域２３０ならびに２４０と重複するサービス領域２２０を有する。遠隔局１２４、１２５は、これらのサービス領域同士の間を自由に移動する。上記で議論されたように、セル同士の間の信号の干渉を低減させるために、それぞれのセルには、チャネル周波数のセットが割り当てられ、この場合、隣接セルにチャネル周波数の異なるセットが割り当てられるように、それぞれの周波数が１つまたは複数のチャネルをサポートすることが可能である。しかし、隣接しない２個のセルは、周波数の同じセットを使用することが可能である。基地局１１０は、例えば、そのサービス領域２２０内の遠隔局１２５と通信するための周波数ｆ１、ｆ２、およびｆ３を備える周波数割当てセットＡを使用することが可能である。同様に、基地局１１４は、例えば、そのサービス領域２４０内の遠隔局１２４と通信するための周波数ｆ４、ｆ５、およびｆ６を備える周波数割当てセットＢを使用することが可能であり、以下同様である。太い境界線によって定義された領域２５０は、４つの場所の１つの繰返しパターンを含む。この繰返しパターンは、通信システム１００によってサービス提供される地理的領域に関して定期的な構成で繰り返す。この例は、４つの場所の後で繰り返すが、繰返しパターンは、４つ以外の数の場所、および１２個以外の数の周波数を有することが可能である点が理解され得る。
【００４６】
ＧＳＭを用いて上で述べられたように、それぞれの搬送周波数は、ＴＤＭＡを使用して分割される。ＴＤＭＡは、容量の増大を実現するための多重接続技法である。ＴＤＭＡを使用して、それぞれの搬送周波数は、フレームと呼ばれる間隔に区分化される。それぞれのフレームは、割当て可能なユーザタイムスロットにさらに区分化される。ＧＳＭでは、フレームは、８つのタイムスロットに区分化される。したがって、８つの連続するタイムスロットは、４．６１５ミリ秒の期間を有する１つのＴＤＭＡを形成する。
【００４７】
物理チャネルは、特定の周波数上のそれぞれのフレーム内の１つのタイムスロットを占有する。特定の搬送周波数のＴＤＭＡフレームは、それぞれのユーザにそれぞれのフレーム内の１つまたは複数のタイムスロットが割り当てられている状態で、番号付けされる。さらに、フレーム構造は、固定ＴＤＭＡ割当てが、それぞれのタイムフレームの間に周期的に出現する１つまたは複数のスロットを構成するように繰り返す。したがって、それぞれの基地局は、単一のチャネル周波数内で異なる割り当てられたタイムスロットを使用して、複数の遠隔局１２３〜１２７と通信することが可能である。上述のように、タイムスロットは周期的に繰り返す。例えば、第１のユーザは、周波数ｆ１のすべてのフレームの第１のスロット上で送信することが可能であり、一方、第２のユーザは、周波数ｆ２のすべてのフレームの第２のスロット上で送信することが可能である。それぞれのダウンリンクタイムスロットの間、遠隔局１２３〜１２７には、基地局１１０、１１１、１１４によって送信された信号を受信するためのアクセスが与えられ、それぞれのアップリンクタイムスロットの間、基地局１１０、１１１、１１４には、遠隔局１２３〜１２７によって送信された信号を受信するためのアクセスが与えられる。移動局１２３〜１２７に対する通信のためのチャネルは、したがって、ＧＳＭシステムに関する周波数およびタイムスロットの両方を備える。同様に、基地局１１０、１１１、１１４に対する通信のためのチャネルは、周波数とタイムスロットの両方を備える。
【００４８】
図７は、時分割多重接続（ＴＤＭＡ）通信システムに関するタイムスロットの構成例を示す。基地局１１４は、番号付けされたタイムスロット系列３０内でデータ信号を送信し、それぞれの信号は、遠隔局１２３〜１２７のセットのうちの１つだけに関し、それぞれの信号は、送信信号の範囲内のすべての遠隔局１２３〜１２７のアンテナにおいて受信されている。基地局１１４は、割り当てられたチャネル周波数上でスロットを使用してすべての信号を送信する。例えば、第１の遠隔局１２４には、第１のタイムスロット３が割り当てられることが可能であり、第２の遠隔局１２６には、第２のタイムスロット５が割り当てられることが可能である。基地局１１４は、この例では、タイムスロット系列３０内のタイムスロット３の間に、第１の遠隔局１２４向けの信号を送信して、タイムスロット系列３０のタイムスロット５の間に、第２の遠隔局１２６向けの信号を送信する。第１ならびに第２の遠隔局１２４、１２６は、基地局１１４から信号を受信するために、タイムスロット系列３０のそのそれぞれのタイムスロット３および５の間、アクティブである。遠隔局１２４、１２６は、アップリンク上でタイムスロット系列３１の対応するタイムスロット３および５の間に信号を基地局１１４に信号を送信する。基地局１１４が３０を送信するための（かつ、遠隔局１２４、１２６が３０を受信するための）タイムスロットは、遠隔局１２４、１２６が３１を送信するための（かつ、基地局１１４が３１を受信するための）タイムスロットに関して、適時にオフセットされることが理解され得る。
【００４９】
このタイムスロットの送受信を適時にオフセットすることは、中でも、送信動作と受信動作とが異なる時間に発生することを可能にする時分割複信（ＴＤＤ）と呼ばれる。
【００５０】
音声データ信号は、基地局１１０、１１１、１１４と遠隔局１２３〜１２７との間で送信されることになる信号だけではない。制御チャネルは、基地局１１０、１１１、１１４と遠隔局１２３〜１２７との間の通信の様々な態様を制御するデータを送信するために使用される。中でも、基地局１１０、１１１、１１４は、基地局１１０、１１１、１１４が遠隔局１２３〜１２７に信号を送信するために系列のセットのどれを使用することになるかを示す系列コード、またはトレーニング系列コード（ＴＳＣ）を、遠隔局１２３〜１２７に送るために制御チャネルを使用する。ＧＳＭでは、２６ビットのトレーニング系列が等化のために使用される。これは、すべてのタイムスロットバーストの最中に信号内で送信される、知られている系列である。
【００５１】
これらの系列は、時間と共に迅速に変化するチャネル劣化を補償するために、その他のセクタまたはセルからの干渉を抑圧するために、かつ遠隔局の受信機を受信信号と同期するために、遠隔局１２３〜１２７によって使用される。これらの機能は、遠隔局１２３〜１２７の受信機の一部である等化器によって実行される。等化器４２６は、知られている送信トレーニング系列信号がマルチパスフェージングによってどのように修正されるかを決定する。等化は、所望される信号の残りを抽出するために、逆フィルタを構成することによって、望まれない反映から所望される信号を抽出するためにこの情報を使用することが可能である。異なる系列（および関連する系列コード）は、互いに近接する基地局１１０、１１１、１１４によって送信された系列同士の間の干渉を低減するために、異なる基地局１１０、１１１、１１４によって送信される。
【００５２】
上述のように、ＤＡＲＰと共に、本方法および本装置の遠隔局１２３〜１２７は、遠隔局１２３〜１２７にサービス提供している基地局１１０、１１１、１１４によってその遠隔局に送信された信号を、その他のセルのサービス提供していない基地局１１０、１１１、１１４によって送信されたその他の望まれない信号と区別するためにこの系列を使用することが可能である。これは、望まれる信号の振幅に比べて、望まれない信号の受信振幅または受信電力レベルがしきい値未満である限り有効である。望まれない信号が、このしきい値より高い振幅を有する場合、望まれない信号は、望まれる信号に対して干渉を引き起こす可能性がある。加えて、このしきい値は、遠隔局１２３〜１２７の受信機の機能に応じて異なる可能性がある。例えば、サービス提供している基地局１１０、１１１、１１４およびサービス提供していない基地局１１０、１１１、１１４からの信号が、送信のために同じタイムスロットを共有する場合、干渉している信号および所望される（すなわち、望まれる）信号は、遠隔局１２３〜１２７の受信機に同時に到着する可能性がある。
【００５３】
図５を再び参照すると、遠隔局１２４において、基地局１１０からの遠隔局１２５向けの伝送は、基地局１１４からの遠隔局１２４向けの伝送に干渉する可能性がある（干渉信号の経路は、破線の矢印１７０によって示される）。同様に、遠隔局１２５において、基地局１１４からの遠隔局１２４向けの伝送は、基地局１１０からの遠隔局１２５向けの伝送に干渉する可能性がある（干渉信号の経路は、破線の矢印１８２によって示される）。
【表１】
0005646678.tif 000002
【００５４】
表１は、図６に例示された２個の基地局１１０および１１４によって送信された信号に関するパラメータの値の例を示す。表１の行３および４の中の情報は、遠隔局１２４に関して、第１の基地局１１４からの望まれる信号と、第２の基地局１１０からの、遠隔局１２５向けの望まれない干渉源信号の両方が受信され、２個の受信信号は、同じチャネルと類似の電力レベル（それぞれ、−８２ｄＢｍおよび−８１ｄＢｍ）とを有することを示す。同様に、行６および７の中の情報は、遠隔局１２５に関して、第２の基地局１１０からの望まれる信号と、第１の基地局１１４からの、遠隔局１２４向けの望まれない干渉源信号の両方が受信され、２個の受信信号は、同じチャネルと類似の電力レベル（それぞれ、−８０ｄＢｍおよび−７９ｄＢｍ）とを有することを示す。
【００５５】
したがって、それぞれの遠隔局１２４、１２５は、同じチャネル上で（すなわち、同時に）異なる基地局１１４、１１０から、類似の電力レベルを有する望まれる信号と望まれない干渉源信号の両方を受信する。２個の信号は、同じチャネル上で、類似の電力レベルを伴って到着するため、これらの信号は互いに干渉する。これは、望まれる信号の復調および復号の際に誤りを引き起こす可能性がある。この干渉は、上記で議論された同一チャネル干渉である。
【００５６】
同一チャネル干渉は、ＤＡＲＰ可能にされた遠隔局１２３〜１２７、基地局１１０、１１１、１１４、および基地局コントローラ１５１、１５２の使用によって、これまで可能であったよりもさらに抑圧されることが可能である。基地局１１０、１１１、１１４は、類似の電力レベルを有する２個の同一チャネル信号を同時に受信および復調することが可能であり得、一方、ＤＡＲＰは、遠隔局１２３〜１２７が、ＤＡＲＰによって、類似の機能を有することを可能にする。このＤＡＲＰ機能は、単一アンテナ干渉除去（ＳＡＩＣ）と呼ばれる方法によって、またはデュアルアンテナ干渉除去（ＤＡＩＣ）と呼ばれる方法によって実装されることが可能である。
【００５７】
ＤＡＲＰ可能な遠隔局１２３〜１２７の受信機は、受信された望まれない同一チャネル信号の振幅が、望まれる信号の振幅と類似であるか、またはそれよりもさらに高いときでさえ、望まれない同一チャネル信号を拒絶しながら、望まれる信号を復調することが可能である。ＤＡＲＰ特徴は、受信された同一チャネル信号の振幅が類似である場合により良好に動作する。この状況は、通常、それぞれが、異なる基地局１１０、１１１、１１４と通信している２個の遠隔局１２３〜１２７のそれぞれがセル境界近くにあるときに、本方法および本装置をまだ用いていないＧＳＭなど、既存のシステム内で発生することになり、この場合、それぞれの基地局１１０、１１１、１１４からそれぞれの遠隔局１２３〜１２７への経路損失は類似である。
【００５８】
対照的に、ＤＡＲＰ可能でない遠隔局１２３〜１２７は、望まれない同一チャネル干渉源信号が、望まれる信号の振幅よりもさらに低い振幅、またはさらに低い電力レベルを有する場合、望まれる信号だけを復調することが可能である。一例では、これは、少なくとも８ｄＢだけさらに低い可能性がある。したがって、ＤＡＲＰ可能な遠隔局１２３〜１２７は、ＤＡＲＰ機能を有さない遠隔局１２３〜１２７が可能であるよりも、望まれる信号に対してかなり高い振幅の同一チャネル信号を許容し得る。
【００５９】
同一チャネル干渉（ＣＣＩ）比は、ｄＢで表される、望まれる信号および望まれない信号の電力レベル間の比、または振幅間の比である。一例では、同一チャネル干渉比は、例えば、（それにより、望まれる信号の電力レベルが、同一チャネル干渉源（すなわち、望まれない）信号の電力レベルよりも６ｄＢさらに低い）−６ｄＢであり得る。もう１つの例では、この比は、（それにより、望まれる信号の電力レベルが、同一チャネル干渉源（すなわち、望まれない）信号の電力レベルよりも６ｄＢさらに高い）＋６ｄＢであり得る。良好なＤＡＲＰパフォーマンスを有する、本方法および本装置の遠隔局１２３〜１２７の場合、干渉源信号の振幅は、望まれる信号の振幅よりも１０ｄＢほどさらに高い可能性があり、遠隔局１２３〜１２７は、望まれる信号を依然として処理することが可能である。干渉源信号の振幅が、望まれる信号の振幅よりも１０ｄＢさらに高い場合、同一チャネル干渉比は、−１０ｄＢである。
【００６０】
上で説明されたＤＡＲＰ機能は、ＡＣＩまたはＣＣＩが存在する場合、遠隔局１２３〜１２７の信号の受信を改善する。ＤＡＲＰ機能を有する新しいユーザは、既存のユーザから来る干渉をさらに良好に除去することになる。やはりＤＡＲＰ機能を有する既存のユーザは、同じことを行い、新しいユーザによる影響は受けないことになる。一例では、ＤＡＲＰは、０ｄＢ（信号に関する同一チャネル干渉と同じレベル）から−６ｄＢの範囲内のＣＣＩに対して適切に動作する（同一チャネルは、所望される信号、すなわち、望まれる信号よりも６ｄＢさらに強い）。したがって、同じＡＲＦＣＮと同じタイムスロットとを使用しているが、異なるＴＳＣを割り当てられた２人のユーザは、良好なサービスを得ることになる。
【００６１】
このＤＡＲＰ特徴は、２個の遠隔局１２４および１２５が、両方ともＤＡＲＰ特徴を可能にしている場合、これらの遠隔局が、それぞれ、２個の基地局１１０および１１４から類似の電力レベルを有する望まれる信号を受信することと、それぞれの遠隔局１２４、１２５が、その望まれる信号を復調することとを可能にする。したがって、ＤＡＲＰ可能にされた遠隔局１２４、１２５は両方とも、データまたは音声に関して、同じチャネルを同時に使用することが可能である。
【００６２】
上で説明された、２個の基地局１１０、１１１、１１４から２個の遠隔局１２３〜１２７に対する２つの同時の呼をサポートするために単一チャネルを使用する特徴は、先行技術におけるその適用において、多少、制限される。この特徴を使用するためには、２個の遠隔局１２４、１２５は、２個の基地局１１４、１１０の範囲内にあり、それぞれ、類似の電力レベルで２個の信号を受信している。この条件のため、前述のように、通常、２個の遠隔局１２４、１２５はセル境界に近接することになる。
【００６３】
本方法および本装置は、それぞれの呼が、基地局１１０、１１１、１１４によって送信された信号と、遠隔局１２３〜１２７によって送信された信号とを用いた、単一の基地局１１０、１１１、１１４と、複数の遠隔局１２３〜１２７のうちの１つとの間の通信を備える、（搬送周波数上のタイムスロットからなる）同じチャネル上の２個以上の同時の呼をサポートすることを可能にする。本方法および本装置は、ＤＡＲＰに関する新しい、発明の用途を提供する。上述のように、ＤＡＲＰを用いて、同じ搬送周波数上の同じタイムスロット上の２個の信号は、ＤＡＲＰ以前よりもさらに高い干渉レベルで、異なるトレーニング系列を使用することによって区別されることが可能である。ＢＳ１１０、１１１、１１４からの使用されていない信号は、干渉として動作するため、ＤＡＲＰは、トレーニング系列の使用により、望まれない信号（ＢＳ１１０、１１１、１１４からの、使用されていない信号）をフィルタリング／抑圧する。
【００６４】
本方法および本装置は、同じセル内で２つ以上のトレーニング系列を使用することを可能にする。先行技術では、トレーニング系列のうちの１つ、すなわち、基地局１１０、１１１、１１４に割り当てられていないトレーニング系列だけが、少なくとも１個の移動局１２３〜１２７の受信機に関して、マルチユーザオンワンスロット（Multi-User on One Slot）（ＭＵＲＯＳ）においても動作するように、干渉として動作することになる。しかし、重要な違いは、その移動局向けの望まれない信号が、同じセル内の別の移動局１２３〜１２７によって望まれることである。レガシーシステムでは、望まれない信号は、別のセル内の移動局１２３〜１２７向けである。本方法および本装置によれば、両方のトレーニング系列信号は、同じ基地局１１０、１１１、１１４によって、同じセル内の同じ搬送周波数上の同じタイムスロット内で使用されることが可能である。２つのトレーニング系列は、１個のセル内で使用され得るため、セル内で２倍の通信チャネルが使用されることが可能である。通常、別の（隣り合わない）セルまたはセクタからの干渉であるトレーニング系列を利用して、かつ基地局１１０、１１１、１１４が、そのすでに使用されているトレーニング系列に加えて、そのトレーニング系列を使用することを可能にすることによって、通信チャネルの数は二倍にされる。
【００６５】
したがって、本方法および本装置と共に使用されるとき、ＤＡＲＰは、ＧＳＭネットワークが、追加のユーザにサービス提供するために、すでに使用中の同一チャネル（すなわち、すでに使用中のＡＲＦＣＮ）を使用することを可能にする。一例では、それぞれのＡＲＦＣＮは、フルレート（ＦＲ）音声用に２人のユーザに関して使用されることが可能であり、ハーフレート（ＨＲ）音声用に４人のユーザに関して使用されることが可能である。ＭＳが優れたＤＡＲＰパフォーマンスを有する場合、ＡＲＦＣＮは、３人目に対して、または４人目に対してさえサービス提供することも可能である。同じタイムスロット上で同じＡＦＲＣＮを使用している追加のユーザにサービス提供するために、ネットワークは、異なる位相シフトを使用して、追加のユーザのＲＦ信号を同じキャリア上で送信し、異なるＴＳＣを使用して、同じトラヒックチャネル（同じＡＲＦＣＮおよび使用中のタイムスロット）を追加のユーザに割り当てる。バーストは、それに応じて、ＴＳＣに対応するトレーニング系列を用いて変調される。ＤＡＲＰ可能なＭＳは、望まれる信号、すなわち、所望される信号を検出することが可能である。第１および第２のユーザと同じように、第３および第４のユーザを追加することが可能である。
【００６６】
添付の図面の図８Ａは、単一チャネルを共有している第１の信号および第２の信号を作成するために、多重接続通信システムにおいて動作するための装置を示す。（第１および第２の遠隔局１２３〜１２７向けの）第１のデータ送信装置４０１および第２のデータ送信装置４０２は、伝送のために、第１のデータ４２４ならびに第２のデータ４２５を作成する。系列ジェネレータ４０３は、第１の系列４０４および第２の系列４０５を生成する。第１のコンバイナ４０６は、第１の組み合わされたデータ４０８を作成するために、第１の系列４０４を第１の４２４データと組み合わせる。第２のコンバイナ４０７は、第２の組み合わされたデータ４０９を作成するために、第２の系列４０５を第２のデータ４２５と組み合わせる。
【００６７】
第１および第２の組み合わされたデータ４０８、４０９は、第１の搬送周波数４１１と第１のタイムスロット４１２とを使用して、第１および第２の組み合わされたデータ４０８、４０９の両方を変調するために、送信機変調器４１０に入力される。この例では、搬送周波数は、発振器４２１によって生成されることが可能である。送信機変調器は、第１の変調信号４１３および第２の変調信号４１４をＲＦフロントエンド４１５に出力する。ＲＦフロントエンドは、ベースバンドからＲＦ（無線周波数）周波数に、第１および第２の変調信号４１３、４１４をアップコンバートすることによって、これらの変調信号を処理する。アップコンバートされた信号は、それらの信号がそれぞれ送信されるアンテナ４１６および４１７に送られる。
【００６８】
第１および第２の変調信号は、送信されるのに先立って、コンバイナ内で組み合わされることが可能である。コンバイナ４２２は、送信機変調器４１０もしくはＲＦフロントエンド４１５の一部であってよく、または個別のデバイスであってもよい。単一のアンテナ４１６は、放射によって、組み合わされた第１の信号および第２の信号を送信する手段を提供する。これは、図８Ｂに例示される。
【００６９】
添付の図面の図９は、図８Ａおよび８Ｂに示される、単一のチャネルを共有している第１信号ならびに第２の信号を作成するために、多重接続通信システムにおいて動作するための装置を使用するための方法を示す。本方法は、基地局１１０、１１１、１１４が、複数の遠隔局１２３〜１２７に送信する目的で使用するための特定のチャネル周波数と特定のタイムスロットとを割り当てることを含み、それにより、異なるトレーニング系列がそれぞれの遠隔局１２３〜１２７に割り当てられる。したがって、一例では、この方法は、基地局コントローラ１５１、１５２内で実行され得る。別の例では、この方法は、基地局１１０、１１１、１１４内で実行され得る。
【００７０】
方法５０１の開始に続いて、ステップ５０２で、基地局１１０、１１１、１１４と遠隔局１２３〜１２７との間に新しい接続をセットアップするかどうかについて決定が下される。応答が「いいえ」である場合、本方法は、開始ブロック５０１に戻り、上のステップが繰り返される。応答が「はい」である場合、新しい接続がセットアップされる。次いで、ブロック５０３で、未使用のチャネル（すなわち、任意のチャネル周波数向けの未使用のタイムスロット）が存在するかどうかについて決定が下される。使用済みのチャネル周波数上または未使用のチャネル周波数上に未使用のタイムスロットが存在する場合、ブロック５０４において、新しいタイムスロットが割り当てられる。次いで、本方法は、ブロック５０１に戻り、上のステップが繰り返される。
【００７１】
最終的に、（すべてのタイムスロットが接続のために使用されるため）未使用のタイムスロットがもはや存在しないとき、ブロック５０３の質問に対する応答は「いいえ」であり、本方法はブロック５０５に移る。ブロック５０５で、第１の基準のセットに従って、新しい接続が既存の接続と共有するために、使用済みのタイムスロットが選択される。様々な基準が存在し得る。例えば、１つの基準は、タイムスロットが低トラヒックを有する場合、そのタイムスロットが選択され得ることであってよい。もう１つの基準は、タイムスロットが、１個以下の遠隔局１２３〜１２７によってすでに使用されていることであってよい。用いられるネットワーク計画方法に基づいて、その他の可能な基準が存在することになり、当該基準は、それらの２つの例に限定されないことが理解され得る。
【００７２】
新しい接続が既存の接続と共に共有するために、チャネル周波数上の使用済みのタイムスロットが選択されていると、次いで、第２の基準のセットに従って、新しい接続向けのＴＳＣが、ブロック５０６で選択される。これらの第２の基準は、ブロック５０５において、タイムスロットの選択のために使用された基準のうちのいくつか、またはその他の基準を含むことが可能である。１つの基準は、ＴＳＣが、使用済みのタイムスロットを備える、当該チャネルに関するセルまたはセクタによってまだ使用されていないことである。もう１つの基準は、ＴＳＣが、近傍のセルまたはセクタによって、そのチャネル上で使用されていないことであってよい。次いで、本方法は、開始ブロック５０１に戻り、上のステップが繰り返される。
【００７３】
添付の図面の図１０Ａは、図９によって説明された本方法が基地局コントローラ６００内に在局することになる例を示す。基地局コントローラ６００内に、コントローラプロセッサ６６０とメモリサブシステム６５０とが在局する。本方法のステップは、メモリサブシステム６５０内のメモリ６８５内のソフトウェア６８０内に、もしくはコントローラプロセッサ６６０内に在局しているメモリ６８５内のソフトウェア６８０内に、または基地局コントローラ６００内のメモリ６８５内のソフトウェア６８０内に、あるいはいくつかのその他のディジタル信号プロセッサ（ＤＳＰ）内やその他の形態のハードウェア内に格納されることが可能である。図１０Ａによって示されるように、基地局コントローラ６００は、モバイルスイッチセンタ６１０に接続され、基地局６２０、６３０、および６４０にも接続される。
【００７４】
メモリサブシステム６５０内に示されるのは、３つのデータ表６５１、６５２、６５３の一部である。データのそれぞれの表は、ＭＳとラベル付けされた列によって示される遠隔局１２３、１２４のセットに関するパラメータの値を格納する。表６５１は、トレーニング系列コードの値を格納する。表６５２は、タイムスロット番号ＴＳに関する値を格納する。表６５３は、チャネル周波数ＣＨＦの値を格納する。データ表は、あるいは、多次元の単一の表または図１０Ａに示される表と異なる次元のいくつかの表として構成されることが可能である点が理解され得る。
【００７５】
コントローラプロセッサ６６０は、パラメータに関する値をメモリサブシステム６５０に送り／メモリサブシステム６５０から受信するために、データバス６７０を経由して、メモリサブシステム６５０と通信する。コントローラプロセッサ６６０内に、アクセス付与コマンドを生成するための機能６６１と、基地局６２０、６３０、６４０にアクセス付与コマンドを送るための機能６６２と、トラヒック割当てメッセージを生成するための機能６６３と、基地局６２０、６３０、または６４０にトラヒック割当てメッセージを送るための機能６６４とを含む機能が含まれる。これらの機能は、メモリ６８５内に格納されたソフトウェア６８０を使用して実行されることが可能である。
【００７６】
コントローラプロセッサ６６０内、または基地局コントローラ６００内の他の場所の中に基地局６２０、６３０、または６４０によって送信された信号の電力レベルを制御するための電力制御機能６６５も存在し得る。
【００７７】
基地局コントローラ６００内にあるとして示される機能、すなわち、メモリサブシステム６５０およびコントローラプロセッサ６６０は、モバイルスイッチングセンタ６１０内に在局することも可能である点が理解され得る。同様に、基地局コントローラ６００の一部であるとして説明される機能のうちのいくつかまたはすべては、基地局６２０、６３０、または６４０のうちの１つもしくは複数の中にも同じく適切に在局することが可能である。
【００７８】
図１０Ｂは、基地局コントローラ６００によって実行されるステップを開示する流れ図である。チャネルを遠隔局１２３、１２４（例えば、遠隔局ＭＳ２３）に割り当てるとき、例えば、遠隔局１２３がサービスを要求するとき、遠隔局１２３、１２４にサービスを提供することを望んでいる基地局６２０、６３０、６４０は、チャネル割当てに関する要求メッセージを基地局コントローラ６００に送る。コントローラプロセッサ６６０は、ステップ６０２で、データバス６７０を経由して、要求メッセージを受信するとすぐ、新しい接続が求められるかどうかを決定する。応答が「いいえ」である場合、本方法は、開始ブロック６０１に戻り、上のステップが繰り返される。応答が「はい」である場合、新しい接続セットアップが開始される。次いで、ブロック６０３で、未使用のチャネル（すなわち、任意のチャネル周波数向けの未使用のタイムスロット）が存在するかどうかについて決定が下される。使用済みのチャネル周波数上または未使用のチャネル周波数上に未使用のタイムスロットが存在する場合、ブロック６０４において、新しいタイムスロットが割り当てられる。次いで、本方法は、開始ブロック６０１に戻り、上のステップが繰り返される。
【００７９】
他方で、コントローラプロセッサ６６０が、任意のチャネル周波数上に未使用のタイムスロットが存在しないことを決定した場合、コントローラプロセッサ６０６は、使用済みのタイムスロットを選択する。図１０Ｂのステップ６０５を参照されたい。この選択は、タイムスロットの現在の使用、および遠隔局１２３、１２４の両方がＤＡＲＰ可能にされているか、もしくはそのうちの１個だけがＤＡＲＰ可能にされているかなどの基準に関する情報を取得するために、メモリサブシステム６５０またはその他のメモリ６８５にアクセスすることに基づき得る。コントローラプロセッサ６６０は、使用済みのタイムスロットを選択して、そのタイムスロットに関するトレーニング系列コードを選択する。図１０Ｂのステップ６０６を参照されたい。そのタイムスロットはすでに使用されているため、これは、そのタイムスロットに関して選択された第２のトレーニング系列になる。
【００８０】
タイムスロットを選択するための基準を適用する目的で、コントローラプロセッサ６６０は、情報、例えば、タイムスロットもしくはトレーニング系列の現在の割当て、またはそれら両方の現在の割当て、および遠隔局１２３、１２４がＤＡＲＰ機能を有するかどうかに関する情報を取得するために、データバス６７０を経由して、メモリ６５０にアクセスするか、あるいはその他のメモリ６８５にアクセスする。次いで、コントローラプロセッサ６６０は、コマンド（６６１または６６３）を生成して、チャネル周波数、タイムスロット、およびトレーニング系列を遠隔局１２３に割り当てるために、コマンド（６６２または６６４）を基地局６２０に送る。次いで、本方法は、開始ブロック６０１に戻り、上のステップが繰り返される。
【００８１】
添付の図面の図１１は、基地局６２０、９２０における信号の流れを示す。基地局コントローラインターフェース９２１は、通信リンク９５０を経由して、基地局コントローラ６００と通信する。通信リンク９５０は、例えば、データケーブルまたはＲＦリンクであり得る。コントローラプロセッサ９６０は、データバス９７０を経由して、受信機構成要素９２２、９２３、および９２４、ならびに送信機構成要素９２７、９２８、および９２９と通信して、これらを制御する。コントローラプロセッサ９６０は、データバス９８０を経由して、ＢＳＣインターフェース９２１と通信する。データバス９７０は、１つのバスだけを備えてよく、もしくはいくつかのバスを備えてもよく、一部双方向であってよく、または完全に双方向であってもよい。データバス９７０および９８０は、同じバスであり得る。
【００８２】
一例では、チャネルの付与を要求するメッセージは、基地局アンテナ９２５において、符号化信号、変調信号、放射信号の形で遠隔局１２３、１２４から受信されて、デュプレクサスイッチ９２６に入力される。この信号は、デュプレクサスイッチ９２６の受信部分から、その信号を（例えば、ダウンコンバート、フィルタリング、および振幅することによって）条件付ける受信機フロントエンド９２４に渡される。受信機復調器９２３は、条件付けされた信号を復調して、復調信号を復号およびディインタリーブするチャネル復号器およびディインタリーバ９２２に出力し、その結果として生じるデータをコントローラプロセッサ９６０に出力する。コントローラプロセッサ９６０は、その結果として生じるデータから、チャネルの付与を要求するメッセージを導出する。コントローラプロセッサ９６０は、基地局コントローラインターフェース９２１を経由して、基地局コントローラ６００にメッセージを送る。次いで、基地局コントローラ６００は、独立して、またはモバイルスイッチングセンタ６１０と共に、チャネルを遠隔局２３、２４に付与するように、または付与しないように動作する。
【００８３】
基地局コントローラ６００は、アクセス付与コマンド、ならびに、遠隔局１２３、１２４に関するその他のディジタル信号またはトラヒック、例えば、割当てメッセージを生成して、通信リンク９５０を経由して、それらをＢＳＣインターフェース９２１に送る。これらの信号は、次いで、データバス９８０を経由して、コントローラプロセッサ９６０に送られる。コントローラプロセッサ９６０は、遠隔局１２３、１２４に関する信号をコーダおよびインタリーバ９２９に送り、符号化およびインタリーブされた信号は、次いで、送信機変調器９２８に渡される。図１１から、送信機変調器９２８に入力される、それぞれが遠隔局１２３、１２４に関する、いくつかの信号が存在することが理解され得る。これらのいくつかの信号は、図１１に示されるように、Ｉ成分とＱ成分とを有する、組み合わされた変調信号を提供するために、送信機変調器９２８内で組み合わされることが可能である。しかし、いくつかの信号の組合せは、あるいは、送信機フロントエンドモジュール９２７内で、かつまたは送信チェーン内のその他の段階で、事後変調が実行されることが可能である。変調された、組み合わされた信号は、送信機フロントエンド９２７から出力されて、デュプレクサスイッチ９２６の送信ポートに入力される。この信号は、次いで、伝送のために、デュプレクサスイッチ９２６の通常のポートまたはアンテナポートを経由して、アンテナ９２５に出力される。
【００８４】
もう１つの例では、チャネルの付与を要求している、第２の遠隔局１２３、１２４からの第２のメッセージは、基地局アンテナ９２５において、第２の受信信号内で受信される。第２の受信信号は、上で説明されたように処理されて、チャネルの付与に対する要求が、処理された第２の受信信号内で基地局コントローラ６００に送られる。
【００８５】
基地局コントローラ６００は、上で説明されたように、第２のアクセス付与メッセージを生成して、それを基地局６２０、９２０に送り、基地局６２０、９２０は、上で説明されたように、遠隔局１２３、１２４に関する第２のアクセス付与メッセージを備える信号を送信する。
【００８６】
添付の図面の図１２は、セルラ通信システム１００の本方法および本装置の基地局コントローラ（ＢＳＣ）６００内に在局し得るメモリサブシステム６５０内のデータ記憶装置に関する構成例を示す。図１２の表１００１は、遠隔局１２３〜１２７に割り当てられたチャネル周波数の値の表であり、遠隔局１２３〜１２７は番号付けされている。表１００２は、タイムスロット番号に対して遠隔局番号１２３〜１２７が示される、タイムスロットの値の表である。タイムスロット番号３が遠隔局１２３、１２４、および２２９に割り当てられていることが理解され得る。同様に、表１００３は、トレーニング系列（ＴＳＣ）を遠隔局１２３〜１２７に割り当てるデータ表を示す。
【００８７】
図１２の表１００５は、正に説明された表１００１、１００２、および１００３に示されるパラメータのすべてを含めるために多次元である拡大されたデータ表を示す。図１２に示される表１００５の一部は、使用されることになる完全な表の単なる小さな一部分であることが理解されよう。表１００５は、加えて、周波数割当てセットの割当てを示し、それぞれの周波数割当てセットは、セルの特定のセクタ内またはセル内で使用される周波数のセットに対応する。表１００５で、周波数割当てセットｆ１は、図１２の表１００５に示されるすべての遠隔局１２３〜１２７に割り当てられる。示されない、表１００５のその他の部分は、その他の遠隔局１２３〜１２７に割り当てられた周波数割当てセットｆ２、ｆ３などを示すことが理解されよう。データの第４番目の行は、値ではなく、表１００１内のデータの行３と５の間に示されない多くの可能な値が存在することを示す反復点を示す。
【００８８】
位相シフト
基地局１１０、１１１、１１４によって送信された２個の信号に関する変調の絶対位相は、同一でなくてよい。同じチャネル（同一ＴＣＨ）を使用して追加のユーザにサービス提供するために、２つ以上のＴＳＣを提供することに加えて、ネットワークは、（１つまたは複数の）既存の同一ＴＣＨ遠隔局に関して、新しい同一チャネル（同一ＴＣＨ）遠隔局のＲＦ信号のシンボルを位相シフトすることが可能である。可能である場合、ネットワークは、均一に分布し、間隔が空けられた位相シフトを用いて、これらのシンボルを制御し、これにより、受信機パフォーマンスを改善することができる。例えば、２人のユーザに関する（特定のＡＲＦＣＮを有する）搬送周波数の位相シフトは、９０度離れることになり、３人のユーザの場合、６０度離れることになる。４人のユーザに関するキャリア（ＡＲＦＣＮ）の位相シフトは、４５度離れることになる。上述のように、ユーザは、異なるＴＳＣを使用することになる。本方法および本装置のそれぞれの追加のＭＳ１２３〜１２７には、異なるＴＳＣが割り当てられ、その独自のトラヒックデータを得るために、その独自のＴＳＣとＤＡＲＰ特徴とを使用する。
【００８９】
したがって、改良型のＤＡＲＰパフォーマンスの場合、２個の異なる移動局（遠隔局）１２３、１２４向けの２個の信号は、それらのチャネルインパルス応答に関してπ／２だけ位相シフトされ得ることが理想的であるが、これ未満でも、十分なパフォーマンスを提供することになる。
【００９０】
第１および第２の遠隔局１２３、１２４に同じチャネル（すなわち、同じチャネル周波数上の同じタイムスロット）が割り当てられるとき、信号は、変調器９２８が、互いに対して、９０度の位相シフトで２個の信号を変調し、それにより、位相ダイバシティに起因する信号同士の間の干渉を低減するように、（先に説明されたように、異なるトレーニング系列を使用して）２個の遠隔局１２３、１２４に送信されることが好ましい場合がある。したがって、例えば、変調器９２８から出現するＩサンプルおよびＱサンプルは、それぞれ、２個の信号のうちの１つを表すことが可能であり、それらの信号は、９０度の位相だけ分離されている。変調器９２８は、したがって、２個の遠隔局１２３、１２４に関する信号同士の間の位相差をもたらす。
【００９１】
同じチャネルを共有している、いくつかの遠隔局１２３、１２４の場合、異なるオフセットを用いて、ＩサンプルおよびＱサンプルの複数のセットが生成され得る。例えば、同じチャネル上に第３の遠隔局１２３、１２４に関する第３の信号が存在する場合、変調器９２８は、第１の信号の位相に対して、好ましくは６０度ならびに１２０度の、第２の信号および第３の信号に関する位相シフトをもたらし、結果として生じるＩサンプルおよびＱサンプルは、すべての３個の信号を表す。例えば、ＩサンプルおよびＱサンプルは、３個の信号のベクトル総和を表すことが可能である。
【００９２】
このようにして、送信機変調器９２８は、基地局６２０、９２０において、同じ周波数上の同じタイムスロットを使用して、異なる遠隔局１２３、１２４向けの同時の信号同士の間の位相差をもたらす手段を提供する。かかる手段は、その他の様式で提供されることが可能である。例えば、変調器９２８内で個別の信号が生成されることが可能であり、結果として生じるアナログ信号は、位相シフト要素を介して、それらのうちの１つを渡し、次いで、単に、位相シフトされた信号および位相シフトされていない信号を合計することによって、送信機フロントエンド９２７内で組み合わされることが可能である。
【００９３】
電力制御の局面
下の表２は、図５に示されるように、２個の基地局１１０および１１４によって送信され、遠隔局１２３から１２７によって受信された信号に関する、チャネル周波数、タイムスロット、トレーニング系列、および受信信号電力レベルの値の例を示す。
【表２】
0005646678.tif 000003
【００９４】
太線の長方形によって輪郭が描かれた、表２の行３および４は、指標３２を有するチャネル周波数を使用し、かつ基地局１１４から信号を受信するためにタイムスロット３を使用しているが、それぞれ、異なるトレーニング系列ＴＳＣ２およびＴＳＣ３が割り当てられた遠隔局１２３および遠隔局１２４の両方を示す。同様に、行９および１０は、同じ基地局１１０から信号を受信するために、同じチャネル周波数と同じタイムスロットとが２個の遠隔局１２５、１２７に関して使用されていることも示す。いずれの場合にも、遠隔局１２５、１２７の望まれる信号の受信電力レベルは、２個の遠隔局１２５、１２７に関してかなり異なることが理解され得る。表３の強調表示されている行３および４は、基地局１１４が遠隔局１２３向けの信号を送信し、遠隔局１２４向けの信号も送信することを示す。遠隔局１２３における受信電力レベルは−６７ｄＢｍであり、一方、遠隔局１２４における受信電力レベルは−１０２ｄＢｍである。表３の行９および１０は、基地局１１０が遠隔局１２５向けの信号を送信し、遠隔局１２７向けの信号も送信することを示す。遠隔局１２５における受信電力レベルは−１０１ｄＢｍであり、一方、遠隔局１２７における受信電力レベルは−５７ｄＢｍである。それぞれの例において、電力レベルの大きな差は、基地局１１０からの遠隔局１２５、１２７までの異なる距離に起因し得る。あるいは、電力レベルにおける差は、別の遠隔局と比べてある遠隔局に関して、信号を送信している基地局と、信号を受信している遠隔局との間の異なる経路損失または信号の異なる量のマルチパス除去に起因し得る。
【００９５】
別の遠隔局と比べた、ある遠隔局に関する受信電力レベルにおける差は、意図的ではなく、セル計画にとって理想的ではないが、この差は、本方法および本装置の動作を損なわない。
【００９６】
ＤＡＲＰ機能を有する遠隔局１２３〜１２７は、遠隔局１２３〜１２７のアンテナにおいて、２個の信号の振幅または電力レベルが類似である限り、同時に受信された２個の同一チャネル信号のうちのいずれか１つを成功裏に復調することが可能である。信号が両方とも同じ基地局１１０、１１１、１１４によって送信され、かつ（２本以上のアンテナ、例えば、信号ごとに１本を有する場合があり）２個の送信信号の電力レベルが本質的に同じである場合、それぞれの遠隔局１２３〜１２７は、本質的に同じ電力レベル（例えば、それぞれの６ｄＢ範囲内）でそれら２個の信号を受信するため、これは達成可能である。基地局１１０、１１１、１１４のいずれかが、類似の電力レベルで２個の信号を送信するように構成される場合、または基地局１１０、１１１、１１４が、固定電力レベルで両方の信号を送信する場合、送信電力は類似である。この状況は、表２を参照することによって、かつ表３を参照することによって例示され得る。
【００９７】
表２は、遠隔局１２３、１２４が、基地局１１４から本質的に異なる電力レベルを有する信号を受信することを示すものの、さらに詳しく調べると、表２の行３および５によって示されるように、遠隔局１２３は、基地局１１４から同じ電力レベル（−６７ｄＢｍ）で２個の信号を受信し、１個の信号は、遠隔局１２３向けの望まれる信号であり、もう１つの信号は、遠隔局１２４向けの望まれない信号であることが理解され得る。遠隔局１２３〜１２７が同じ電力レベルを有する信号を受信するための基準は、したがって、この例では、満たされているとして示される。移動局１２３がＤＡＲＰ受信機を有する場合、移動局１２３は、この例では、したがって、望まれる信号を復調して、望まれない信号を拒否することが可能である。
【００９８】
同様に、（上の）表２の行４および６を調べることによって、遠隔局１２４は、同じチャネルを共有し、同じ電力レベル（−１０２ｄＢｍ）を有する２個の信号を受信することが理解され得る。両方の信号は基地局１１４からである。２個の信号のうちの１つは、遠隔局１２４向けの望まれる信号であり、もう１つの信号は、遠隔局１２３による使用が意図された、望まれない信号である。
【００９９】
上の概念をさらに例示するために、表３は、表２の行が単に並べ替えられた、表２の改変バージョンである。遠隔局１２３および１２４はそれぞれ、１個の基地局１１４から同じチャネルおよび類似の電力レベルを有する２個の信号、すなわち、望まれる信号と望まれない信号とを受信することが理解され得る。また、遠隔局１２５は、２個の異なる基地局１１０、１１４から同じチャネルおよび類似の電力レベルを有する２個の信号、すなわち、望まれる信号と望まれない信号とを受信する。
【表３】
0005646678.tif 000004
【０１００】
上で説明された本装置および本方法は、シミュレートされており、本方法は、ＧＳＭシステムにおいて適切に動作することが分かっている。上で説明され、図８Ａ、８Ｂ、１０Ａ、１１、および１２に示される装置は、例えば、ＧＳＭシステムの基地局１１０、１１１、１１４の一部であり得る。
【０１０１】
本方法および本装置のもう１つの態様によれば、基地局１１０、１１１、１１４は、同じチャネルを使用して、第１の遠隔局１２３〜１２７がＤＡＲＰ可能にされた受信機を有し、第２の遠隔局１２３〜１２７が、ＤＡＲＰ可能にされた受信機を有さないような、２個の遠隔局１２３〜１２７との呼を維持することが可能である。２個の遠隔局１２４〜１２７によって受信された信号の振幅は、値の範囲内の量だけ異なるように構成され、一例では、これは８ｄＢと１０ｄＢの間であってよく、ＤＡＲＰ可能にされた遠隔局向けの信号の振幅が、ＤＡＲＰ可能にされない遠隔局１２４〜１２７向けの信号の振幅よりもさらに低いようにも構成される。
【０１０２】
ＭＵＲＯＳ移動体または非ＭＵＲＯＳ移動体は、その望まれない信号を干渉として扱うことが可能である。しかし、ＭＵＲＯＳの場合、両方の信号は、セル内の望まれる信号として扱われることが可能である。ＭＵＲＯＳ可能にされたネットワーク（例えば、ＢＳおよびＢＳＣ）に伴う利点は、ＢＳ１１０、１１１、１１４は、両方の信号が所望される信号として扱われることが可能であるように、タイムスロットごとに、１つのトレーニング系列だけでなく、２つ以上のトレーニング系列を使用することが可能な点である。ＢＳ１１０、１１１、１１４は、適切な振幅で信号を送信し、その結果、本方法および本装置のそれぞれの移動は、十分高い振幅でその独自の信号を受信し、２個の信号は、２つのトレーニング系列に対応する２個の信号が検出され得るように、振幅比を維持する。この特徴は、ＢＳ１１０、１１１、１１４内またはＢＳＣ６００内のメモリ内に格納されたソフトウェアを使用して実装されることが可能である。例えば、ＭＳ１２３〜１２７は、その経路損失に基づいて、かつ既存のトラヒックチャネルの利用可能性に基づいて、ペアリングのために選択される。しかし、ある移動体に関する経路損失が別の移動体１２３〜１２７に関する経路損失と非常に異なる場合、ＭＵＲＯＳは、依然として動作することが可能である。これは、１個の移動体１２３〜１２７が、ＢＳ１１０、１１１、１１４からかなり離れている場合に発生する可能性がある。
【０１０３】
電力制御に関して、ペアリングの異なる可能な組合せが存在する。ＭＳ１２３〜１２７は両方とも、ＤＡＲＰ可能な場合があり、または１個だけがＤＡＲＰ可能な場合もある。両方の場合、移動体１２３〜１２７における受信振幅または受信電力レベルは、互いの１０ｄＢ範囲内である可能性があり、ＭＳ２に関しても同じことが言える。しかし、１個のＭＳだけがＤＡＲＰ可能である場合、さらなる制約は、非ＤＡＲＰ移動体１２３〜１２７が、第２の信号よりも高い（一例では、第２の信号よりも、少なくとも８ｄＢさらに高い）その望まれる（すなわち、所望される）第１の信号を有することである。ＤＡＲＰ可能な移動体１２３〜１２７は、第１の信号（一例では、これは１０ｄＢ以上）に達しないさらに低いしきい値以下のその第２の信号を受信する。したがって、一例では、ＤＡＲＰ／ＤＡＲＰ可能な遠隔局１２３〜１２７に関する振幅比は０ｄＢから±１０ｄＢであり得、または、非ＤＡＲＰ／ＤＡＲＰの場合、非ＤＡＲＰ移動体に有利に、８ｄＢから１０ｄＢさらに高い信号であり得る。また、ＢＳ１１０、１１１、１１４は、それぞれのＭＳ１２３〜１２７が感度限界よりも高いその望まれる信号を受信するように、２個の信号を送信することが好ましい。（一例では、これは、その感度限界から少なくとも６ｄＢ高い）。したがって、１個のＭＳ１２３〜１２７が、より大きな経路損失を有する場合、ＢＳ１１０、１１１、１１４は、これを達成するために適した振幅で、そのＭＳの信号を送信する。これは絶対振幅を設定する。次いで、別の信号からの差が、その別の他の信号の絶対振幅を決定する。
【０１０４】
添付の図面の図１３は、ＤＡＲＰ特徴を有する、本方法および本装置の遠隔局１２３〜１２７に関する受信機アーキテクチャ例を示す。一例では、受信機は、単一のアンテナ干渉除去（ＳＡＩＣ）等化器１１０５、または最尤系列推定器（ＭＬＳＥ）等化器１１０６のいずれかを使用するように適合される。その他のプロトコルを実装しているその他の等化器が使用されることも可能である。類似の振幅を有する２個の信号が受信される場合、ＳＡＩＣ等化器を使用することが好ましい。ＭＬＳＥ等化器は、通常、受信信号の振幅が類似でない場合、例えば、望まれる信号が、望まれない同一チャネル信号の振幅よりもかなり大きな振幅を有する場合に使用される。
【０１０５】
添付の図面の図１４は、同じチャネルを２個の遠隔局１２３〜１２７に割り当てるように適合されたＧＳＭシステムの一部の簡素化された表示を示す。本システムは、基地局トランシーバサブシステム（ＢＴＳ）、すなわち基地局１１０と、２個の遠隔局、すなわち、移動局１２５および１２７とを備える。ネットワークは、基地局トランシーバサブシステム１１０を経由して、同じチャネル周波数と同じタイムスロットとを２個の遠隔局１２５および１２７に割り当てることが可能である。ネットワークは、異なるトレーニング系列を２個の遠隔局１２５および１２７に割り当てる。遠隔局１２５および１２７は、両方とも、移動局であり、それらの両方に、１６０に等しいＡＲＦＣＮを有するチャネル周波数と、３に等しい、タイムスロット指標番号を有するタイムスロットＴＳとが割り当てられる。遠隔局１２５には、５のトレーニング系列ＴＳＣが割り当てられ、一方、１２７には、０のトレーニング系列ＴＳＣが割り当てられる。それぞれの遠隔局１２５、１２７は（図において、破線で示された）その他の遠隔局１２５、１２７向けの信号と共に、（図において、太線で示された）その独自の信号を受信することになる。それぞれの遠隔局１２５、１２７は、望まれない信号を拒否しながら、その独自の信号を復調することが可能である。
【０１０６】
上で説明されたように、本方法および本装置によれば、単一の基地局１１０、１１１、１１４は、第１の信号および第２の信号、すなわち、それぞれ、第１ならびに第２の遠隔局１２３〜１２７向けの信号を送信することが可能であり、それぞれの信号は、同じチャネル上で送信され、それぞれの信号は、異なるトレーニング系列を有する。ＤＡＲＰ機能を有する第１の遠隔局１２３〜１２７は、第１の信号と第２の信号とを区別するために、トレーニング系列を使用して、第１の信号および第２の信号の振幅が、本質的に、例えば、互いの１０ｄＢ範囲内であるとき、第１の信号を復調ならびに使用することが可能である。
【０１０７】
要約すれば、図１４は、ネットワークが、同じ物理リソースを２個の移動局に割り当てるが、それらの移動体に異なるトレーニング系列を割り当てることを示す。それぞれの移動体は、（図１４において太線で示された）その独自の信号と、（図１４において破線で示された）その他の同一ＴＣＨユーザ向けの信号とを受信することになる。ダウンリンク上で、それぞれの移動局は、その他の移動体局向けの信号をＣＣＩと見なし、その干渉を拒否することになる。したがって、２個の異なるトレーニング系列は、別のＭＵＲＯＳユーザからの干渉を抑圧するために使用されることが可能である。
【０１０８】
ＭＳのペアリング
本方法および本装置がどのように実装されるかによれば、（レガシーＵＥをＭＵＲＯＳ  ＵＥとペアリングすることが望ましいため）ＭＵＲＯＳクラスマークの無線アクセス機能に依存せずに、特定のＢＳに接続されたＭＳのうちのどれが、ＭＵＲＯＳ可能であるかを識別することは有用であり得る。ＭＳのクラスマークを要求することによって、ＢＳはＭＳのＤＡＲＰ機能を識別することが可能である。クラスマークは、ＭＳからＢＳに対するその能力の宣言である。これは、ＧＥＲＡＮ標準において、ＴＳ１０．５．１．５−７の２４．００８で説明される。現在、当該標準は、ＭＳのＤＡＲＰ機能を示すクラスマークを定義するが、これまでのところ、ＭＵＲＯＳクラスマーク、または新しいトレーニング系列クラスマークをサポートすることは定義されていない。したがって、レガシーＭＳに関するクラスマークを使用して、ＭＳがＭＵＲＯＳ可能であるかどうかを識別することは不可能である。加えて、当該標準におけるＤＡＲＰクラスマークの定義にもかかわらず、当該標準は、ＢＳにその能力を伝えるために、ＢＳにクラスマークを送ることをＭＳに求めない。実際には、多くの製造会社は、そのＭＳがＢＳによって自動的により雑音の多いチャネルに割り当てられ、それにより、そのＭＳからの通信が潜在的に劣化することを恐れて、呼のセットアップ手順において、ＤＡＲＰクラスマークをＢＳに送るようにそのＤＡＲＰ可能なＭＳを設計していない。したがって、ＭＳがＭＵＲＯＳ可能であるかどうか、またはＤＡＲＰ可能であるかどうかさえ、何らかの確信を持って識別することは、現在、不可能である。レガシーＭＳは、ＭＵＲＯＳ動作を行う機能を有さないため、レガシーＭＳにその役割を果たさせることが望まれる。現在の課題は、それをサポートするためのシグナリングが存在しないことである。
【０１０９】
理論上、ＭＳの国際移動体装置識別番号（ＩＭＥＩ）に基づいて、ＢＳがＭＳ内のＭＵＲＯＳ機能を識別することは可能であろう。ＢＳは、ＭＳから直接的にそれを求めることによって、ＭＳのＩＭＥＩを確立することが可能である。ＩＭＥＩは、ＭＳにとって独自であり、ネットワーク内のどこかに配置されたデータベースを参照するために使用され、それにより、ＭＳが属する移動体電話のモデル、ならびに、さらに、ＤＡＲＰおよびＭＵＲＯＳなど、その能力を識別することが可能である。電話がＤＡＲＰ可能またはＭＵＲＯＳ可能である場合、その電話は、ＢＳによって、別の適切なＭＳとスロットを共有するための候補と見なされることになる。しかし、ＩＭＥＩを使用することは論理的に可能であるものの、ＤＡＲＰ機能またはＭＵＲＯＳ機能だけでは、特定のＭＳが別のＭＳとＴＤＭＡスロットを共有することが可能であるかどうかを決定するための十分な基準ではない。動作中、ＢＳはそのＢＳに現在接続されている、ＤＡＲＰ可能なＭＳまたはＭＵＲＯＳ可能なＭＳのリストを構築することになる。特定のスロットを共有することが可能なＭＳの識別は、その他の基準を考慮する。
【０１１０】
第一に、所与の雑音環境におけるＭＳの干渉除去能力が確立され得る。（図３５の流れ図のステップ１６１０を参照されたい。）この知識は、ＭＳを最も適切な利用可能な共有スロットに割り当てるために使用される。（図３５の流れ図のステップ１６２０を参照されたい。）この干渉除去能力は、その他の候補ＭＳとの最善のペアリングを可能にするためにも使用される。（図３５の流れ図のステップ１６３０を参照されたい。）ＭＳの干渉除去機能を決定する１つの方式は、「発見バースト」を送ることである。これは、その中で、ＭＳによって受信されることが所望される信号が、知られている干渉パターンをその上に付加した短い無線バーストである。発見バーストは、制御された電力レベルで付加されたＣＣＩ信号を有する基本的な音声信号を含む。発見バーストを送るとき、現在動作中の呼に関して使用されているトレーニング系列とは異なるトレーニング系列が送られる。これは、発見バーストを実際の音声信号と区別する。
【０１１１】
本方法および本装置の特定の実装形態では、ビット誤り率（ＢＥＰ）が測定される。（下で議論されるように、遠隔局が干渉を除去する能力を示すその他のパラメータが使用されることも可能である。）これは、ＭＳの周期的報告内でＢＳに送り返される。ＧＥＲＡＮ標準では、ＢＥＰは、０〜３１の値によって表され、０は２５％のビット誤りの確率に対応し、３１は０．０２５％の確率に対応する。すなわち、ＢＥＰが高ければ高いほど、ＭＳが干渉を除去する能力はますます高くなる。ＢＥＰは「拡張測定報告」の一部として報告される。バーストが送られると、ＭＳのＢＥＰが所与のしきい値未満である場合、後続の報告において、ＭＳはＭＵＲＯＳ動作にとって不適切であると見なされる。シミュレーションでは、少なくとも２５のＢＥＰが、しきい値の有利な選択として示される。ＢＥＰはチャネル上でバーストを送り、ＭＳにおいて、そのバースト内で発生する誤りの数を測定することによって導出される点に留意されたい。しかし、特に、バーストの全域で誤り周波数の劇的な偏差が存在する場合、ＢＥＰそれだけでは、十分に正確なＭＳおよびチャネルの品質の尺度でない可能性がある。したがって、ＢＥＰの共分散（ＣＶＢＥＰ）を考慮に入れて、ＭＵＲＯＳ動作決定を平均ＢＥＰに基づかせることが好ましい場合がある。これらの２つの量は、ＭＳがＢＳに送る報告内に存在していることが標準によって要求されている。
【０１１２】
あるいは、この決定は、一ＳＡＣＣＨ周期（０．４８ミリ秒）に対してＭＳによってＢＳに戻されたＲｘＱｕａｌパラメータに基づくことも可能である。ＲｘＱｕａｌは、０〜７の間の値であり、この場合、それぞれの値は、バースト数において推定されたビット誤り数に対応する（３ＧＰＰ  ＴＳ０５．０８を参照されたい）。これは、８つのレベルからなり、受信信号のビット誤り率（ＢＥＲ）に対応する、標準定義された受信品質の尺度である。誤り率が高ければ高いほど、ＲｘＱｕａｌはますます高くなる。シミュレーションは、２以下のＲｘＱｕａｌが、ＭＵＲＯＳ動作に関するしきい値の有利な選択であることを示している。
【０１１３】
あるいは、パラメータＲｘＬｅｖが、選択基準として同様に使用され得る。ＲＸＬＥＶは、ｄＢmの単位で受信された平均信号強度を示す。これは、発見バーストの後で、ＭＳにも報告されることになる。少なくとも１００ｄＢｍのＲｘＬｅｖが有利であることが示されている。ＭＵＲＯＳのペアリングに関する特定の規準が説明されているものの、多くのその他の基準が代わりに使用されることが可能であること、または上で識別された基準と組み合わせて使用されることが可能であることは当業者に明らかであろう。
【０１１４】
アップリンク上のジョイント検出
本方法および本装置は、ネットワークが新しい変調方法をサポートする必要を回避するために、ハンドセットのＧＭＳＫ機能とＤＡＲＰ機能とを使用する。ネットワークは、それぞれのユーザを分離するために、アップリンク上で既存の方法、例えば、ジョイント検出を使用することが可能である。ジョイント検出は、同一チャネル割当てを使用し、この場合、同じ物理リソースが２個の異なる移動体に割り当てられるが、それぞれの移動体には、異なるトレーニング系列が割り当てられる。アップリンク上で、本方法および本装置のそれぞれの移動局１２３〜１２７は、異なるトレーニング系列を使用することが可能である。ネットワークは、アップリンク上で２人のユーザを分離するために、ジョイント検出方法を使用することが可能である。
【０１１５】
音声コーデックおよび新しいユーザに対する距離
その他のセルに対する干渉を低減するために、ＢＳ１１０、１１１、１１４は、そのＢＳから遠隔局すなわち移動体局の距離に対して、そのダウンリンク電力を制御する。ＭＳ１２３〜１２７がＢＳ１１０、１１１、１１４に近接するとき、ダウンリンク上でＢＳ１１０、１１１、１１４によってＭＳ１２３〜１２７に送信されるＲＦ電力レベルは、ＢＳ１１０、１１１、１１４からさらに離れた遠隔局１２３〜１２７に対するよりもさらに低い可能性がある。同一チャネルユーザに関する電力レベルは、それらのユーザが同じＡＲＦＣＮおよびタイムスロットを共有するとき、さらに離れた発呼側にとって十分大きい。同一チャネルユーザは同じ電力レベルを有する場合があるが、ネットワークが基地局１１０、１１１、１１４からの同一チャネルユーザの距離を考慮する場合、これは改善され得る。一例では、電力は、距離を識別して、新しいユーザ１２３〜１２７に必要なダウンリンク電力を推定することによって制御されることが可能である。これは、それぞれのユーザ１２３〜１２７のタイミングアドバンス（timing advance）（ＴＡ）パラメータを介して行われることが可能である。それぞれのユーザ１２３〜１２７のＲＡＣＨは、この情報をＢＳ１１０、１１１、１１４に提供する。
【０１１６】
ユーザに対する類似の距離
もう１つの新規性のある特徴は、現在のユーザ／既存のユーザと類似の距離を有する新しいユーザを選ぶことである。ネットワークは、同じセル内にいて、類似の距離にあり、上で識別された電力レベルとおよそ同じ電力レベルを必要とする既存のユーザのトラヒックチャネル（ＴＣＨ＝ＡＲＦＣＮおよびＴＳ）を識別することが可能である。また、もう１つの新規性のある特徴は、ネットワークは、次いで、このＴＣＨを、このＴＣＨの既存のユーザとは異なるＴＳＣを有する新しいユーザに割り当てることが可能である点である。
【０１１７】
音声コーデックの選択
もう１つの考慮事項は、ＤＡＲＰ可能な移動体のＣＣＩ除去は、どの音声コーデックが使用されるかに応じて異なることである。したがって、ネットワーク（ＮＷ）は、この基準を使用して、遠隔局１２３〜１２７に対する距離と、使用されるコーデックとに従って、異なるダウンリンク電力レベルを割り当てることが可能である。したがって、ネットワークがＢＳ１１０、１１１、１１４に対して類似の距離にある同一チャネルユーザを発見するとなおよい場合がある。これは、ＣＣＩ除去のパフォーマンス限界に起因する。ある信号が別の信号と比べて強すぎる場合、干渉により、さらに弱い信号は検出され得ない。したがって、ネットワークは、同一チャネルおよび同一タイムスロットを割り当てるとき、ＢＳ１１０、１１１、１１４から新しいユーザまでの距離を考慮することが可能である。以下は、ネットワークがその他のセルに対する干渉を最小限に抑えるために実行することが可能な手順である。
【０１１８】
ユーザダイバシティを達成して、ＤＴｘを十分に活用するための周波数ホッピング
音声呼は、ＤＴｘ（間欠伝送）モードを用いて送信されることが可能である。これは、割り当てられたＴＣＨバーストが、（聴取している間に）音声がない期間にわたって沈黙することが可能なモードである。セル内のすべてのＴＣＨがＤＴｘを使用するときのその利点は、ＵＬ上およびＤＬ上の両方で、サービス提供しているセルの電力レベル全体を削減し、したがって、その他のセルに対する干渉が削減され得ることである。人々は、通常、時間の４０％、聴取しているため、これは重大な効果を有する。ＤＴｘ特徴は、述べられたように、知られている利点を達成するために、ＭＵＲＯＳモードにおいても使用され得る。
【０１１９】
ユーザダイバシティを確立するために周波数ホッピングが使用されるとき、ＭＵＲＯＳが達成されることになる追加の利点も存在する。２人のＭＵＲＯＳユーザが一緒にペアリングする場合、ＭＵＲＯＳペアリングされたユーザの両方がＤＴｘ状態にある、ある期間が存在し得る。上述のように、これはその他のセルにとって有利であるが、ＭＵＲＯＳペアリングされたユーザのいずれも互いから利益を得ない。このため、ＭＵＲＯＳペアリングされたユーザの両方がＤＴｘ状態にある場合、割り当てられたリソースは無駄になる。この潜在的に有用なＤＴｘ周期を活かすために、ユーザのグループが、すべてのフレームベースで互いに動的にペアリングしているように、周波数ホッピングを発生させることが可能である。この方法は、ＭＵＲＯＳ動作にユーザダイバシティをもたらし、ペアリングされたＭＵＲＯＳユーザの両方がＤＴｘ状態にある確率を低減させる。これはまた、ＴＣＨ上に１つのＧＭＳＫを有する確率も高める。利点は、音声呼のパフォーマンスを増大させて、ＮＷの容量全体を最大化することも含む。
【０１２０】
かかる事例の例が示され得る。ＮＷが、フルレート音声コーデックを使用して、類似のＲＦ電力を使用する８つのＭＵＲＯＳ発呼側、Ａ、Ｂ、Ｃ、Ｄ、Ｔ、Ｕ、Ｖ、Ｗを識別したと仮定する。発呼側Ａ、Ｂ、Ｃ、Ｄは非周波数ホッピングであり得る。加えて、発呼側Ａ、Ｂ、Ｃ、Ｄは、同じタイムスロット、例えば、ＴＳ３上にあるが、４つの異なる周波数、すなわち、ＡＲＦＣＮ  ｆ１、ｆ２、ｆ３、およびｆ４を使用する。発呼側Ｔ、Ｕ、Ｖ、Ｗは周波数ホッピングである。加えて、発呼側Ｔ、Ｕ、Ｖ、Ｗは、同じタイムスロットＴＳ３上にあり、周波数ｆ１、ｆ２、ｆ３、およびｆ４（ＭＡリスト）を使用する。これらの発呼側には、それぞれ、ＨＳＮ＝０、ならびにＭＡＩＯ０、１、２、および３が与えられると仮定する。これは、下の表に示されるように、巡回形式で、Ａ、Ｂ、Ｃ、ＤをＴ、Ｕ、Ｖ、Ｗとペアリングさせることになる。
【表４】
0005646678.tif 000005
【０１２１】
上記は、単なる例である。この形式は、それがどのように動作するかを示すために選択される。しかし、この特定の構成に限定されるべきではない。これは、ペアリングのさらなる無作為さが導入される場合、さらにいっそう良好に動作する。これは、４つのＭＡリスト上の周波数ホッピング上に８人のユーザのすべてを配置し、２人のユーザがそれぞれＡＲＦＣＮであることを条件として、これらのユーザに異なるＨＳＮ（上の例では、０から３）とＭＡＩＯとを与えることによって達成され得る。
【０１２２】
データ転送
第１の方法は、使用済みのトラヒックチャネル（ＴＣＨ）をペアリングする。一例では、この特徴は、ミラーを使って、または遠隔局側１２３〜１２７に何の変更も行われない状態で、ネットワーク側で実装される。ネットワークは、異なるＴＳＣを有する第１の遠隔局１２３〜１２７によってすでに使用中のＴＣＨを第２の遠隔局１２３〜１２７に割り当てる。例えば、すべてのＴＣＨが使用されている場合、求められる任意の追加の（１つまたは複数の）サービスは、類似の電力を使用している既存の（１つまたは複数の）ＴＣＨとペアリングされることになる。例えば、追加のサービスが４Ｄ１Ｕデータ呼である場合、ネットワークは、追加の新しい遠隔局１２３〜１２７に対して類似の電力要件を有する４つの連続するタイムスロットを使用する４人の既存の音声呼ユーザを発見する。そのような一致が存在しない場合、ネットワークは、一致させるために、タイムスロットおよびＡＲＦＣＮを再構成することが可能である。次いで、ネットワークは、４つのタイムスロットを４Ｄ  ＴＣＨを必要とする新しいデータ呼に割り当てる。新しいデータ呼は、異なるＴＳＣも使用する。加えて、追加の呼に関するアップリンク電力が、そのタイムスロットをすでに使用している遠隔局１２３〜１２７のアップリンク電力に近づけられるかまたはそのアップリンク電力と同等にされることが可能である。
【０１２３】
遠隔局１２３〜１２７に２個以上のＴＳＣを割り当てる
２つ以上のタイムスロットを使用するデータサービスを考慮する場合、タイムスロットの（それが偶数である場合）すべて、または（それが奇数である場合）１つだけを除いてすべてがペアリングされ得る。したがって、改善された容量は、ＭＳ１２３〜１２７に２個以上のＴＳＣを与えることによって達成され得る。複数のＴＳＣを使用することによって、遠隔局１２３〜１２７は、一例では、実際のＲＦリソース割当てが半減され得るように、そのペアリングされたタイムスロットを１つのタイムスロット内に組み合わせることが可能である。例えば、４ＤＬデータ転送の場合、ＭＳが、現在、それぞれのフレーム内のＴＳ１、ＴＳ２、ＴＳ３、およびＴＳ４の中にバーストＢ１、Ｂ２、Ｂ３、およびＢ４を有すると仮定する。本方法を使用すると、Ｂ１およびＢ２には、１個のＴＳＣ、例えば、ＴＳＣ０が割り当てられ、一方、Ｂ３およびＢ４は、異なるＴＳＣ、例えば、ＴＳＣ１を有する。Ｂ１およびＢ２は、ＴＳ１上で送信されることが可能であり、Ｂ３およびＢ４は、同じフレーム内のＴＳ２上で送信されることが可能である。このようにして、これまでの４ＤＬ割当ては、無線で４つのバーストを送信するために、２つのタイムスロットだけを使用した。ＳＡＩＣ受信機は、ＴＳＣ０を用いて、Ｂ１およびＢ２を復号することが可能であり、ＴＳＣ１を用いて、Ｂ３およびＢ４を復号することが可能である。４つのバーストを復号するパイプライン処理は、通常の手法を用いて、この特徴を継ぎ目なく動作させることが可能である。
【０１２４】
タイムスロットを組み合わせる
１人のユーザの偶数のタイムスロットを組み合わせることは、無線（ＯＴＡ）割当てを半減し、電池エネルギーを節約することができる。これは、隣り合うセルを走査および／または監視するため、ならびにサービス提供しているセルと隣り合うセルの両方に関するシステム情報更新のために、追加の時間も解放する。ネットワーク側にいくつかのさらなる特徴が存在する。ネットワークは、新しいユーザの距離に基づいて、同一チャネル、同一タイムスロット（同一ＴＳ）の追加の割当てを行うことが可能である。当初、ネットワークは、そのユーザが類似の距離にあるＴＣＨを使用することが可能である。これは、それぞれのユーザのタイミングＴＡを通じて行われ得る。それぞれのユーザのＲＡＣＨは、この情報をＢＳ１１０、１１１、１１４に提供する。
【０１２５】
ネットワークトラヒック割当ての変更
上記の説明は、２人の同一チャネル、同一ＴＳユーザが、異なる方向に移動している場合、すなわち、１人がＢＳに向かって移動し、もう１人がＢＳから離れて移動している場合、それら２人のうちの１人が、より良好な電力レベルの一致を有する、別のＴＣＨに交換することになる地点が存在することも意味する。ネットワークは、異なるＡＲＦＣＮ上およびＴＳ上にユーザを連続的に再度割り当てることが可能であるため、これは問題にはならないであろう。これはローカルエリア内の周波数再使用パターンに関係するため、使用されることになる新しいＴＳＣの選択を最適化することなど、いくつかのさらなる最適化が有用な場合がある。この特徴の１つの利点は、この特徴は、ネットワーク側、例えば、ＢＳおよびＢＳＣで、主にソフトウェア変更を使用することである。ネットワークトラヒックチャネル割当てに関する変更は、容量を増大し得る。
【０１２６】
音声およびデータの両方に関する同一チャネル動作
さらなる改善が行われ得る。第１に、同一ＴＣＨ（同一チャネルおよび同一タイムスロット）は、容量およびデータ転送速度を改善するために、同じＴＣＨ上で音声呼に関して、ならびにデータ呼に関して使用されることが可能である。この特徴は、ＣＳＩから４およびＭＣＳ１から４．８ＰＳＫなど、ＧＭＳＫ変調データサービスに適用されることが可能である。
【０１２７】
より少ないタイムスロットが使用される
この特徴は、容量の増大を達成するために、データ呼に関して同一チャネル（同一ＴＣＨ）を再使用するために適用され得る。データ転送の２つのタイムスロットは、ペアリングされて、対応するバーストのそれぞれにおいて使用される２つのトレーニング系列を有する１つのタイムスロットを使用して送信されることが可能である。２つのタイムスロットは目標受信機に割り当てられる。これは、４つのタイムスロットダウンリンクが、２つのタイムスロットダウンリンクに削減され得ることを意味し、これは、受信機に関する電力と時間とを節約する。４つのタイムスロットから２つのタイムスロットに変更することは、ＮＣを監視することなど、他のタスクを行うためのさらなる時間を遠隔局に与え、これは、ハンドオフ、すなわち、ＨＯを改善することになる。
【０１２８】
Ｔｒａ、Ｔｒｂ、Ｔｔａ、Ｔｔｂ−動的ＭＡＣモード規則および拡張された動的ＭＡＣモード規則など、マルチスロットクラス構成要件に関する割当ての制約が、緩和されることが可能である。これは、ネットワークがセル内で様々な発呼側からの要求にサービス提供するさらに多くの選択肢が存在することを意味する。これは、拒否されたサービス要求の数を削減するか、または最小限に抑える。これは、ネットワークの観点から、容量およびスループットを増大させる。それぞれのユーザは、ＱｏＳを損なわずに、より少ないリソースを使用することが可能である。より多くのユーザがサービス提供され得る。一例では、これは、ネットワーク側のソフトウェア変更として実装されることが可能であり、遠隔局１２３〜１２７は、そのＤＡＲＰ機能に加えて、追加のＴＳＣを受け入れるように適合される。ネットワークトラヒックチャネル割当てに関する変更は、容量およびスループットを増大させることが可能である。アップリンクネットワークリソースの使用は、ネットワークが使用中の間ですら、保存されることが可能である。電力は、遠隔局１２３〜１２７上で保存されることが可能である。データ呼を割り当てているネットワークに関するさらに良好なハンドオーバパフォーマンスおよびさらに少ない制限、ならびに改善されたパフォーマンスが達成され得る。
【０１２９】
デュアルキャリア
本方法および本装置は、パフォーマンスを改善することに加えて、デュアルキャリアを用いて使用されることが可能である。データ転送速度を改善するために、データ転送速度を増大させる目的で、そこからＭＳ（すなわち、ＵＥまたは遠隔局）が２つのＡＲＦＣＮを同時に得ることが可能なデュアルキャリアを割り当てる３ＧＰＰ仕様書が存在する。したがって、遠隔局は、追加のデータスループットを得るために、より多くのＲＦリソースを使用し、これは、上述の課題を強める。
【０１３０】
新しいＴＳＣ
本方法および本装置は、既存のＤＡＲＰ可能な構成要素に対する改善であり、その結果、ネットワークは、異なるＴＳＣを異なる遠隔局１２３〜１２７に割り当てることによって、追加のユーザにサービス提供し、追加のサービスを提供するために、同一ＴＣＨ、すなわち、同一チャネル（すでに使用中のＡＲＦＣＮ）および同一タイムスロット（すでに使用中のタイムスロット）を使用することが可能である。より高度なＳＡＩＣ受信機（例えば、ＱｕａｌｃｏｍｍのｅＳＡＩＣおよびｅｅＳＡＩＣ）の場合、同じＡＲＦＣＮ上および同じタイムスロット上で第３のユーザ／サービスまたは第４のユーザ／サービスにすら対応することが可能である。容量を改善するために使用される１つの特徴は、同一ＴＣＨ上で複数のＴＳＣを使用すること、すなわち、２人のユーザ／２つのサービスが同じＴＣＨを共有する場合、２個のＴＳＣが使用され、３人のユーザ／３つのサービスが同じＴＣＨを共有する場合、３個のＴＳＣが使用されることである。上で開示された方法は、ＧＥＲＡＮ音声呼／データ呼に関するこの特徴を活かすために使用されることが可能である。
【０１３１】
本方法および本装置の１つのスロット上で複数のユーザに対してＤＡＲＰ可能な受信機のＳＡＩＣを使用して、２つの異なるトレーニング系列が、同じチャネルを共有している２個の遠隔局に関して使用される。評価されるトレーニング系列の特性は、自動相関および相互相関である。これらのうち、相互相関は特に本方法および本装置にとって有用である。ＤＡＲＰ機能は、良好な相互相関を用いて適切に実行する。２つのトレーニング系列の相互相関は、相互直交性の尺度と考えられることが可能である。簡単に言えば、２つのトレーニング系列がより相互に直交であればあるほど、遠隔局１２３〜１２７の受信機は、ますます容易に、一方のトレーニング系列をもう一方のトレーニング系列と区別することができる。
【０１３２】
相互相関は、相互相関比と呼ばれるパラメータを用いて定量化される。２つのトレーニング系列が完全に無相関である場合（これは、実際には、決して達成されない理想的な状態である）、これらの２つのトレーニング系列の間の相互相関は無く、これらの２つのトレーニング系列の相互相関比はゼロである。
【０１３３】
対照的に、２つのトレーニング系列が完全に相関している場合（これは、同一チャネル動作にとって、かつＤＡＲＰ動作にとって、最悪の状態である）、これらの２つの系列の間の相互相関は最大化され、これらの２つのトレーニング系列に関する相関比は、単一、すなわち、１に等しい。
【０１３４】
ＭＵＲＯＳ呼においてユーザを区別するために、表４に示される２つの異なる既存のトレーニング系列を使用することが可能である。表４は、第３世代パートナーシッププロジェクト（３ＧＰＰ）標準化団体によって発表された「Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  ＧＳＭ／ＥＤＧＥ  Ｒａｄｉｏ  Ａｃｃｅｓｓ  Ｎｅｔｗｏｒｋ；Ｍｕｌｔｉｐｌｅｘｉｎｇ  ａｎｄ  ｍｕｌｔｉｐｌｅ  ａｃｃｅｓｓ  ｏｎ  ｔｈｅ  ｒａｄｉｏ  ｐａｔｈ（リリース４）」という表題の技術仕様書３ＧＰＰ  ＴＳ  ４５．００２  Ｖ４．８．０（２００３−０６）の第５．２．３項で識別される既存のＧＳＭシステムに関する既存の８つのトレーニング系列を開示する。
【０１３５】
しかし、それは、周波数計画に関する８つの独立したトレーニング系列セットを、周波数計画に対して若干制限的であり得る４つのペアリングされたトレーニング系列セットに削減することになる。したがって、本特許出願は、ＧＥＲＡＮ仕様書において定義された既存のトレーニング系列と共働することが可能な、以下のトレーニング系列の２つの新しいセットを識別する。新しいセットは、直交トレーニング系列のセットである。既存のトレーニング系列は、レガシー遠隔局に関して使用されることが可能であり、一方、トレーニング系列の新しいセットは、この新しい特徴を実行することが可能な新しい遠隔局に関して使用されることが可能である。
【０１３６】
使用される新しいトレーニング系列は、特に、それらのトレーニング系列を本方法および本装置のＧＳＭ実装形態における使用に適したものにする、有利な相関属性を有する。これらの新しい系列は、表４に示された既存の系列とペアリングするために特に選択されている。これらの新しい系列は、下の表５および６に列挙されており、以下の本文においてより詳細に説明される。本方法および本装置は、チャネル共有のために使用される２つの系列が（下の表４に示された）既存のセットから選択される場合、満足に動作することになるものの、既存のトレーニング系列と組み合わせて、トレーニング系列として、新しい補完的な系列の定義、およびそれらの使用によって、さらに良好なパフォーマンスが取得され得ることが決定されている。
【０１３７】
したがって、一例では、本方法および本装置をＧＳＭシステムに適用して、基地局１１０、１１１、１１４は、第１のトレーニング系列を有する第１の信号、および第１のトレーニング系列に対して補完的な新しいトレーニング系列である第２のトレーニング系列を備える第２の信号の両方を送信する。例えば、基地局１１０、１１１、１１４は、（表４からの）コードＴＳＣ０によって識別された第１のトレーニング系列を有する第１の信号と、第１のトレーニング系列ＴＳＣ０に対して補完的な新しいトレーニング系列である、（表５または６からの）コードＴＳＣ０’によって識別された第２のトレーニング系列を備える第２の信号とを送信する。第１のトレーニング系列と、第２の補完的な新しいトレーニング系列との間の相互相関比は、非常に低い。この低い相互相関の結果として、ＤＡＲＰ受信機のパフォーマンスは、第１のトレーニング系列と第２のトレーニング系列とが、ＤＡＲＰ受信機によって同時に受信された２個の信号に関して使用される場合に、特に都合がよいことが分かっている。ＤＡＲＰ受信機は、第１の信号と第２の信号とをより良好に区別することが可能であり、遠隔局１２３〜１２７が通信に関して使用するために、２つのトレーニング系列のうちのどれが割り当てられているかに応じて、第２の信号を拒否しながら、第１の信号をより良好に復調すること、または第１の信号を拒否しながら、第２の信号をより良好に復調することが可能である。
【０１３８】
新しい系列は、対応する既存のトレーニング系列に対して相関している場合、２／１６と４／１６との間の相互相関比を有する。追加の新しい系列の使用は、さらなる利点を提供し、それにより、それぞれのセル内またはセクタ内でより多くの系列が利用可能であり、セル計画に関して、より大きな柔軟性と、より少ない制約とをもたらす。
【０１３９】
新しいトレーニング系列は、遠隔局１２３〜１２７によって基地局１１０、１１１、１１４に送信された信号に関して使用されるとき、パフォーマンス利点をもたらすことも可能である点に留意されたい。ＤＡＲＰ機能または類似の高度パフォーマンスを有する受信機を有する基地局１１０、１１１、１１４は、その基地局が同じチャネル上で受信する、それぞれ、異なる遠隔局１２３〜１２７によって送信された２個の信号をより良好に区別することが可能である。呼の間、基地局１１０、１１１、１１４によって送信されたその呼に関するダウンリンク信号、および遠隔局１２３〜１２７によって送信されたアップリンク信号は両方とも、通常、（ＧＳＭの場合と同様に）同じ系列を有する。
【０１４０】
上述のように、表４は、ＧＳＭシステムに関して使用される８つの既存のトレーニング系列のセットを示す。トレーニング系列は、ＴＳＣ０からＴＳＣ７にラベル付けされる。それぞれのトレーニング系列は、２６ビット（ビット０からビット２５）を有する。これらのトレーニング系列のすべてにおいて、トレーニング系列の初めの５つのビットと最後の５つのビットは、トレーニング系列内のその他の場所の５つのビットの繰り返されたバージョンである。例えば、ＴＳＣ０トレーニング系列の５つの最上位のビット（ビット２１から２５）は００１００であり、これらのビットは、ビット５から９で繰り返される。ＴＳＣ０トレーニング系列の最下位のビット（ビット０から４）は１０１１１であり、これらのビットは、ビット１６から２０で繰り返される。この繰返しにより、それぞれのトレーニング系列に省略数を割り当てることが通例であり、省略数は、あるいは、１６進法（ｈｅｘ）形式で表されることが可能であるが、この数はビット５から２０によって形成された語のデシマル値と定義されている。したがって、ＴＳＣ０に関する通し番号は、表に示されるように、１０進法で４７１７２、または、１６進法（ｈｅｘ）でＢ８４４である。
【０１４１】
表４に示されるトレーニング系列は、第３世代パートナーシッププロジェクト（３ＧＰＰ）標準化団体によって発表された「Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  ＧＳＭ／ＥＤＧＥ  Ｒａｄｉｏ  Ａｃｃｅｓｓ  Ｎｅｔｗｏｒｋ；Ｍｕｌｔｉｐｌｅｘｉｎｇ  ａｎｄ  ｍｕｌｔｉｐｌｅ  ａｃｃｅｓｓ  ｏｎ  ｔｈｅ  ｒａｄｉｏ  ｐａｔｈ（リリース４）」という表題の技術仕様書３ＧＰＰ  ＴＳ  ４５．００２  Ｖ４．８．０（２００３−０６）の第５．２．３項に列挙され、やはり第３世代パートナーシッププロジェクト（３ＧＰＰ）標準化団体によって発表された「Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  ＧＳＭ／ＥＤＧＥ  Ｒａｄｉｏ  Ａｃｃｅｓｓ  Ｎｅｔｗｏｒｋ；Ｒａｄｉｏ  ｔｒａｎｓｍｉｓｓｉｏｎ  ａｎｄ  ｒｅｃｅｐｔｉｏｎ（リリース４）」という表題の技術仕様書３ＧＰＰ  ＴＳ  ４５．００５  Ｖ４．１８．０（２００５−１１）においてさらに議論される。
【表５】
0005646678.tif 000006
【０１４２】
表５は、本方法および本装置による使用のための、表４に示されたトレーニング係数に対して補完的な新しいトレーニング系列の好ましいセットを示す。それぞれの新しいトレーニング系列は、既存のトレーニング系列のうちの１つと組み合わせて使用するためのものである。新しい補完的なトレーニング系列は、ＴＳＣ０’からＴＳＣ７’とラベル付けされる。ＴＳＣ０’は、ＴＳＣ０と組み合わせて使用するためのものであり、ＴＳＣ１’は、ＴＳＣ１と組み合わせて使用するためのものであり、以下同様である。本方法および本装置を適用する際に、基地局１１０、１１１、１１４は、同じチャネル上で、第１のトレーニング系列（例えば、ＴＳＣ０）を有する第１の信号、および第１のトレーニング系列に対して補完的な第２のトレーニング系列（例えば、ＴＳＣ０’）を備える第２の信号の両方を送信する。
【表６】
0005646678.tif 000007
【０１４３】
適切な属性を有する、新しいトレーニング系列の別のセットが表６に示される。これらのトレーニング系列は、上で説明されたように、表４からの対応するトレーニング系列と共に使用するためのものである。
【表７】
0005646678.tif 000008
【０１４４】
改善された同一チャネル拒否パフォーマンスは、表７に示される、２個の同一チャネル信号に関してペアリングが使用される場合に取得される。表７に示される、それぞれの新しいトレーニング系列は、表５または表６からであり得る。
【表８】
0005646678.tif 000009
【０１４５】
あるいは、十分なパフォーマンスは、以下のペアリングのうちのいずれかを使用することによって取得されることが可能である。すなわち、表４からの任意の２つのトレーニング系列、表５からの任意の２つのトレーニング系列、表６からの任意の２つのトレーニング系列、表４から６のいずれかからの任意の２つの異なるトレーニング系列である。
【０１４６】
したがって、新しいトレーニング系列を使用するためのステップは以下の通りである。
【０１４７】
２人のユーザに関してＭＵＲＯＳモードが可能にされるとき、それらのうちの少なくとも１つが、新しいトレーニング系列の知識を有する、ＭＵＲＯＳ可能なかつＤＡＲＰ可能な遠隔局１２３〜１２７である。
【０１４８】
動作パターンは、０−０’、１−１’．．．、７−７'になるように選択されることが可能である。しかし、トレーニング系列とその補完物とを使用することの他に、その他の組合せも適切に動作する。例えば、１−２、１−２’が動作し得る。しかし、１−１’および２−２’など、表４からのトレーニング系列とその補完物とを使用するほうがよい場合がある。これは、コードの変更に適合することが可能なＤＡＲＰ繰返しプロセスによる。
【０１４９】
相互相関が低いように、トレーニング系列は異なることが望ましい。
【０１５０】
追加のトレーニング系列を使用することは、追加のトレーニング系列コードが定義されることになる場合を除いて、結果として、あるとしても、最低限の変更を遠隔局１２３〜１２７側に実装させることになる。追加のトレーニング系列コードを使用することは、本同一ＴＣＨ方法および本同一ＴＣＨ装置の改善である。
【０１５１】
遠隔局１２３〜１２７側への影響は、以下である。
【０１５２】
直交トレーニング系列コードの新しいセットを定義する。既存のトレーニング系列は、レガシー遠隔局に関して使用されることが可能であり、一方、トレーニング系列の新しいセットは、この新しい特徴を実行し得る新しい遠隔局１２３〜１２７に関して使用されることが可能である。
【０１５３】
したがって、ＤＡＲＰ可能であることに加えて、遠隔局１２３〜１２７は、新しいトレーニング系列コードもサポートする。
【０１５４】
ネットワーク側への影響は、以下である。
【０１５５】
ネットワークは、２つの異なるトレーニング系列を同一ＴＣＨユーザに割り当てる。新しいトレーニング系列が定義される場合、ネットワークは、これらのトレーニング系列を新しいトレーニング系列セットをサポートしている遠隔局１２３〜１２７に割り当て、レガシートレーニング系列をレガシー遠隔局１２３〜１２７に割り当てる。
【０１５６】
図１５は、本方法と共に取られるステップを例示する流れ図である。方法１５０１の開始に続いて、ステップ１５０２において、基地局１１０、１１１、１１４と遠隔局１２３〜１２７との間で新しい接続をセットアップするかどうかについて決定が下される。応答が「いいえ」である場合、本方法は、開始ブロック１５０１に戻り、上のステップが繰り返される。応答が「はい」であり、新しい接続がセットアップされるとき。次いで、ブロック１５０３において、未使用のチャネル（すなわち、任意のチャネル周波数向けの未使用のタイムスロット）が存在するかどうかについて決定が下される。使用済みのチャネル周波数上または未使用のチャネル周波数上に未使用のタイムスロットが存在する場合、ブロック１５０４において、新しいタイムスロットが割り当てられる。次いで、本方法は、開始ブロック１５０１に戻り、上のステップが繰り返される。
【０１５７】
（すべてのタイムスロットが接続のために使用されたため）最終的に未使用のタイムスロットがもはや存在しないとき、ブロック１５０３の質問に対する応答は「いいえ」であり、本方法はブロック１５０５に戻る。ブロック１５０５において、新しい接続が既存の接続と共有するために、使用済みのタイムスロットが選択される。
【０１５８】
新しい接続が既存の接続と共に共有するために、チャネル周波数上の使用済みのタイムスロットが選択されると、次いで、新しい接続に関する（そのスロットの現在のユーザによって使用されるトレーニング系列に対して補完的な）補完的なトレーニング系列が、ブロック１５０６において選択される。本方法は、次いで、開始ブロック１５０１に戻り、上のステップが繰り返される。
【０１５９】
本特許出願において開示される本方法は、図１６に示されるように、ＢＴＳ内のプロセッサ９６０によって実行されるメモリ９６２内に格納されたソフトウェア９６１内の実行可能命令として格納されることが可能である。これらの方法は、ＢＳＣ内のプロセッサによって実行されるメモリ内に格納されたソフトウェア内の実行可能命令として格納されることも可能である。遠隔局１２３〜１２７は、その遠隔局が使用するように命令されたトレーニング系列を使用する。
【０１６０】
ＴＳＣの新しく提案されるセット、ＱＣＯＭ７＋ＱＣＯＭ８
上述のように、ＧＳＭ仕様書において識別された上の既存のトレーニング系列と共働することが可能なトレーニング系列の２つの新しいセット、すなわち、ＱＣＯＭ７＋ＱＣＯＭ８が識別されている。ＱＣＯＭは表５に対応し、ＱＣＯＭ８は表６に対応する。系列のこれらの２つの新しいセットは、将来のＭＵＲＯＳ動作に関して提案される。ペアリングは、
ＱＣＯＭ７トレーニング系列と共に、ＧＳＭ／ＥＤＧＥ仕様書において識別されたトレーニング系列、およびＱＣＯＭ８トレーニング系列と共に、ＧＳＭ／ＥＤＧＥ仕様書において識別されたトレーニング系列である。
【０１６１】
２つのグループ内に、トレーニング系列ビットの何らかの重複が存在する。両方のグループは、ＧＳＭ／ＥＤＧＥ仕様書において識別されたトレーニング系列とペアリングされるときに適切に実行する。上記で議論されたように、２人のユーザに関してＭＵＲＯＳモードが可能にされるとき、動作パターンは、０−０’、１−１’．．．、７−７’になるように選択されることが可能である。
【０１６２】
表８は、トレーニング系列の新しいセットとレガシートレーニング系列とを使用して、テストを実行したときに使用されたパラメータのテスト構成概要である。図１７〜１８はテスト結果を含み、図１９〜３４はパフォーマンスプロットである。
【表９】
0005646678.tif 000010
【０１６３】
追加のトレーニング系列コードの割当てのためのシグナリング
現在、先行技術によれば、上で説明されたように、８つの定義されたトレーニング系列が存在し、これらのトレーニング系列は、同じセル内の異なるユーザではなく、異なるセルの全域で異なるユーザ同士の間の分離を実現するために使用される。
【０１６４】
対照的に、ＭＵＲＯＳ動作によれば、それぞれのセルは、２つのトレーニング系列が同じセル内の２人のユーザを分離するための能力を有する。ＭＵＲＯＳでは、８つのトレーニング系列の少なくとも１つの新しいセットが定義される。遠隔局は、その遠隔局が新しいトレーニング系列セットをサポートするかどうかを（ＢＳを経由して）ネットワークに示す。既存のシグナリングメッセージは、８つのトレーニング系列のうちのどれを通信リンクのために使用するかを遠隔局に伝えるための３つのビットを含む。シグナリングメッセージは、遠隔局が、トレーニング系列の２つのセットのうちのどれを使用するかを信号で知らされることも可能であるように、拡張される。
【０１６５】
本方法および本装置によれば、シグナリングメッセージ自体のサイズを増大せずに、トレーニング系列セット情報を遠隔局にシグナリングするための機構が定義される。本方法および本装置によれば、遠隔局は、その遠隔局がクラスマーク３シグナリングなどの機構を介して、トレーニング系列の新しいセットをサポートするかどうかをネットワークに信号で知らせる。（図３６の流れ図のステップ１７１０を参照されたい）。ネットワークが、ＭＳが、通信チャネルに関して、トレーニング系列の２つ以上のセットをサポートすることを知ると、そのネットワークは、確立されている通信チャネルに関して、遠隔局がトレーニング系列のどのセットを使用すべきかを決定することが可能である。本方法および本装置によれば、（３ＧＰＰ  ＴＳ  ４４．０１８、第１０．５．２．５項において定義される）チャネル記述と呼ばれる既存の情報要素は、確立されている通信チャネルに関して、遠隔局によって使用されることになるトレーニング系列セットを信号で知らせるために修正される。（図３６の流れ図のステップ１７２０を参照されたい）。チャネル記述は、チャネルタイプおよびＴＤＭＡオフセットと呼ばれる、５ビットのフィールドを有する。チャネルタイプおよびＴＤＭＡオフセットフィールドの本コーディングは以下の通りである。
【表１０】
0005646678.tif 000011
【０１６６】
チャネルタイプおよびＴＤＭＡオフセットフィールドのコーディングから理解できるように、（ビット位置８内の）第５番目のビットは、常に、０の値を有する。
【０１６７】
本方法および本装置は、移動体デバイスが、トラヒックチャネルに関して、どのトレーニング系列セットを使用するかを示すために、第５番目のビットを利用する。本方法および本装置の利点は、この情報の信頼性が、既存の制御メッセージと一致し、すべての回路交換割当てメッセージに応じるために、仕様書の一ヶ所に変更が行われることである。
【０１６８】
チャネルタイプおよびＴＤＭＡオフセットフィールドの提案される新しいコーディングは、下の表１０に示される通りである。
【表１１】
0005646678.tif 000012
【０１６９】
Ｓビットは、以下のように、使用するためのトレーニング系列セットを示す。
【０１７０】
Ｓ
０  使用されることになるレガシートレーニング系列セット
１  使用されることになる代替のトレーニング系列セット／新しいトレーニング系列セット
遠隔局が代替のトレーニング系列セット／新しいトレーニング系列セットをサポートせず、ビットＳが１に設定される場合、遠隔局は、「チャネルモード受入不可能」を引き起こす割当て障害を戻すべきである。
【０１７１】
１つまたは複数の例示的な実施形態では、説明された機能は、ハードウェア、ソフトウェア、ファームウェア、またはそれらの任意の組合せの形で実装されることが可能である。ソフトウェアの形で実装される場合、これらの機能は、コンピュータ読取可能な媒体上の１つもしくは複数の命令またはコードとして、格納あるいは送信されることが可能である。コンピュータ読取可能な媒体は、ある場所から別の場所へのコンピュータプログラムの転送を円滑にする任意の媒体を含めて、コンピュータ記憶媒体および通信媒体の両方を含む。記憶媒体は、汎用コンピュータまたは専用コンピュータによってアクセスされ得る任意の利用可能な媒体であってよい。限定ではなく、例として、かかるコンピュータ読取可能な媒体は、ＲＡＭ、ＲＯＭ、ＥＥＰＲＯＭ、ＣＤ−ＲＯＭ、またはその他の光ディスク記憶装置、磁気ディスク記憶装置もしくはその他の磁気記憶デバイス、あるいは命令もしくはデータ構造の形で所望されるプログラムコード手段を運ぶためまたは格納するために使用されることが可能であり、かつ汎用コンピュータもしくは専用コンピュータ、または汎用プロセッサもしくは専用プロセッサによってアクセスされることが可能な任意のその他の媒体を備え得る。また、任意の接続は、正確には、コンピュータ読取可能な媒体と呼ばれる。例えば、ソフトウェアが、同軸ケーブル、光ファイバケーブル、より対線、ディジタル加入者線（ＤＳＬ）、または赤外線、無線、およびマイクロ波などの無線技術を使用して、ウェブサイト、サーバ、もしくはその他の遠隔ソースから送信される場合、同軸ケーブル、光ファイバケーブル、より対線、ＤＳＬ、または、赤外線、無線、およびマイクロ波などの無線技術は、媒体の定義の中に含まれる。本明細書で使用される場合、ディスク（Disk）およびディスク（disc）は、コンパクトディスク（ＣＤ）、レーザディスク、光ディスク、ディジタル多目的ディスク（ＤＶＤ）、フロッピー（登録商標）ディスク、およびブルーレイディスクを含み、この場合、ディスク（disk）は、通常、磁気的にデータを再生し、一方、ディスク（disc）は、レーザーを用いて、光学的にデータを再生する。上記の組合せも、コンピュータ読取可能な媒体の範囲内に含まれるべきである。
【０１７２】
本明細書で説明された方法は、様々な手段によって実装されることが可能である。例えば、これらの方法は、ハードウェア、ファームウェア、ソフトウェア、またはそれらの組合せの形で実装されることが可能である。ハードウェア実装形態の場合、ＡＣＩを検出するため、ＩサンプルおよびＱサンプルをフィルタリングするため、ＣＣＩを除去するためなどに使用される処理ユニットは、１つもしくは複数の特定用途向け集積回路（ＡＳＩＣ）、ディジタル信号プロセッサ（ＤＳＰ）、ディジタル信号処理デバイス（ＤＳＰＤ）、プログラマブル論理素子（ＰＬＤ）、フィールドプログラマブルゲートアレー（ＦＰＧＡ）、プロセッサ、コントローラ、マイクロコントローラ、マイクロプロセッサ、電子デバイス、本明細書で説明された機能を実行するように設計されたその他の電子ユニット、コンピュータ、またはそれらの組合せの中で実装されることが可能である。
【０１７３】
本開示のこれまでの説明は、当業者が本開示を行うことまたは本開示を使用することを可能にするために提供される。本開示に対する様々な修正は、当業者に容易に明らかになり、本明細書で定義される一般原理は、本開示の趣旨または範囲から逸脱せずに、その他の改変形態に適用されることが可能である。したがって、本開示は、本明細書で説明された例に限定されることが意図されず、本明細書で開示された原理および新規性のある特徴に一致する最も広範な範囲が与えられるべきである。
【０１７４】
当業者は、情報および信号は、様々な異なる技術および技法のうちのいずれかを使用して表されることが可能である点をさらに理解されよう。例えば、上の説明の全体を通して参照され得るデータ、命令、コマンド、情報、信号、ビット、シンボル、およびチップは、電圧、電流、電磁波、磁場もしくは磁性粒子、光場もしくは光粒子、またはそれらの任意の組合せによって表すことが可能である。
【０１７５】
当業者は、本明細書で開示された実施形態に関して説明された様々な実例となる論理ブロック、モジュール、回路、およびアルゴリズムステップは、電子ハードウェア、コンピュータソフトウェア、またはそれら両方の組合せとして実施され得ることをさらに理解されよう。ハードウェアとソフトウェアのこの交換可能性を分かりやすく例示するために、様々な実例となる構成要素、ブロック、モジュール、回路、およびステップは概してそれらの機能性の点から上で説明されている。かかる機能性がハードウェアとして実施されるかまたはソフトウェアとして実施されるかは、特定のアプリケーションおよびシステム全体に課せられた設計制約に依存する。当業者は、説明された機能性をそれぞれの特定のアプリケーションに関して様々な様式で実施することができるが、かかる実施決定は、本発明の範囲からの逸脱を生じさせるものと解釈されるべきではない。
【０１７６】
本明細書で開示された実施形態に関して説明された様々な実例となる論理ブロック、モジュール、および回路は、汎用プロセッサ、ディジタル信号プロセッサ（ＤＳＰ）、特定用途向け集積回路（ＡＳＩＣ）、フィールドプログラマブルゲートアレー（ＦＰＧＡ）もしくはその他のプログラマブル論理素子、ディスクリートゲートもしくはトランジスタロジック、ディスクリートハードウェア構成要素、または本明細書で説明された機能を実行するように設計された、それらの任意の組合せと共に実装あるいは実行されることが可能である。汎用プロセッサはマイクロプロセッサであり得るが、代替では、プロセッサは、任意の通常のプロセッサ、コントローラ、マイクロコントローラ、または状態機械であってよい。プロセッサは、コンピューティングデバイスの組合せ、例えば、ＤＳＰとマイクロプロセッサの組合せ、複数のマイクロプロセッサ、ＤＳＰコアと共に１つもしくは複数のマイクロプロセッサ、または任意のその他のかかる構成として実施されることも可能である。
【０１７７】
本明細書で開示された実装形態に関して説明された方法またはアルゴリズムのステップは、ハードウェアの形で直接的に、プロセッサによって実行されるソフトウェアモジュールの形で、またはそれら２つの組合せの形で実施されることが可能である。ソフトウェアモジュールは、ランダムアクセスメモリ（ＲＡＭ）、フラッシュメモリ、読出し専用メモリ（ＲＯＭ）、電気的にプログラマブルＲＯＭ（ＥＰＲＯＭ）、電気的に消去可能なプログラマブルＲＯＭ（ＥＥＰＲＯＭ）、レジスタ、ハードディスク、着脱可能なディスク、ＣＤ−ＲＯＭ、または当技術分野で知られている任意のその他の形態の記憶媒体の中に在局し得る。例示的な記憶媒体は、プロセッサが、その記憶媒体から情報を読み取り、かつその記憶媒体に情報を書き込むことが可能であるように、プロセッサに結合される。代替では、記憶媒体は、プロセッサと一体であってよい。プロセッサおよび記憶媒体は、ＡＳＩＣ内に在局し得る。ＡＳＩＣは、ユーザ端末内に在局し得る。代替では、プロセッサおよび記憶媒体は、ユーザ端末内のディスクリート構成要素として在局し得る。
【０１７８】
したがって、本発明は、以下の特許請求の範囲によること除いて、限定されるべきではない。
なお、以下に本願の出願当初の請求項を付記する。
［１］
単一のチャネル上で信号を共有するための方法であって、
新しい接続をセットアップすることと、
前記新しい接続が既存の接続と共有するために、チャネル周波数４１１上で使用済みのタイムスロット４１２を選択することと、
前記新しい接続に関して、前記既存の接続のトレーニング系列４０４と異なるトレーニング系列４０５を選択することと、
１個の基地局１１４によって、前記同じチャネル周波数４１１上の前記同じタイムスロット４１２内で前記トレーニング系列４０４、４０５の両方を使用すること、とを備える方法。
［２］
前記チャネル周波数４１１上に未使用のタイムスロット４１２が存在する場合、新しいタイムスロット４１２を割り当てることをさらに備え、前記チャネル周波数４１１上に未使用のタイムスロット４１２が存在しない場合、前記新しい接続が既存の接続と共有するために、前記使用済みのタイムスロット４１２が選択される［１］に記載の方法。
［３］
前記既存の接続に関して、前記新しい接続のシンボルを位相シフトすることをさらに備える、［１］に記載の方法。
［４］
前記チャネル周波数４１１と、前記タイムスロット４１２と、前記トレーニング系列コード４０４とを１個の遠隔局１２３に割り当てるためのコマンドを生成して、前記コマンドを基地局１１４に送ることをさらに備える、［１］に記載の方法。
［５］
前記タイムスロット４１２が、基地局１１４から前記タイムスロット４１２を使用している新しい前記遠隔端末１２４までの距離に類似した、前記基地局１１４からの前記距離を有する遠隔局１２３によって使用されることを備える基準に従って、前記新しい接続に関して、前記使用済みのタイムスロット４１２が選択される、［１］に記載の方法。
［６］
前記タイムスロット４１２が低いトラヒックを有する場合、前記タイムスロット４１２が選択され得ること、または前記タイムスロット４１２が、１個以下の遠隔局１２３〜１２７によってすでに使用済みであることを備える基準に従って、前記新しい接続に関して、前記使用済みのタイムスロット４１２が選択される、［１］に記載の方法。
［７］
前記タイムスロット４１２をすでに使用している遠隔局１２３、前記タイムスロット４１２を使用している前記遠隔局１２４の両方がＤＡＲＰ可能である場合、前記遠隔局１２３において受信された電力レベルが、前記新しい遠隔局１２４の１０ｄＢ範囲内であり得ることを備える基準に従って、前記新しい接続に関して、前記使用済みのタイムスロット４１２が選択される、［１］に記載の方法。
［８］
ＤＡＲＰ可能でない遠隔局１２３が、前記ＤＡＲＰ可能な遠隔局１２４の所望される信号よりも、実質的に、≦１０ｄＢさらに高い所望される信号を有する、［１］に記載の方法。
［９］
第１のデータ４２４および第２のデータ４２５を生成することと、
前記既存の接続のトレーニング系列４０４および前記異なるトレーニング系列４０５を生成することと、
第１の組み合わされたデータ４０８を作成するために、前記既存の接続のトレーニング系列４０４を前記第１のデータ４２４と組み合わせ、第２の組み合わされたデータ４０９を作成するために、前記異なるトレーニング系列４０５を前記第２のデータ４２５と組み合わせることと、
第１の送信信号４１３および第２の送信信号４１４を作成するために、前記同じチャネル周波数４１１と前記同じ使用済みのタイムスロット４１２とを使用して、前記第１の組み合わされたデータ４０８と前記第２の組み合わされたデータ４０９の両方を変調ならびに送信することと、をさらに備える、［１］に記載の方法。
［１０］
前記位相シフトが均一に分布する、［３］に記載の方法。
［１１］
チャネルを共有する第１の信号および第２の信号を作成するための方法であって、
第１のデータ４２４および第２のデータ４２５を生成することと、
第１のトレーニング系列４０４および第２のトレーニング系列４０５を生成することと、
第１の組み合わされたデータ４０８を作成するために、前記第１のトレーニング系列４０４を前記第１のデータ４２４と組み合わせ、第２の組み合わされたデータ４０９を作成するために、前記第２のトレーニング系列４０５を前記第２のデータ４２５と組み合わせることと、
第１の送信信号４１３および第２の送信信号４１４を作成するために、同じ搬送周波数４１１と同じタイムスロット４１２とを使用して、前記第１の組み合わされたデータ４０８と前記第２のデータ組み合わされたデータ４０９の両方を変調ならびに送信することと、
１個の基地局１１４によって、前記同じ搬送周波数４１１上の前記同じタイムスロット４１２内で前記トレーニング系列４０４、４０５の両方を使用すること、とを備える方法。
［１２］
前記タイムスロット４１２が低いトラヒックを有する場合、前記同じタイムスロット４１２が選択され得ること、前記同じタイムスロット４１２が１個以下の遠隔局１２３〜１２７によってすでに使用されていること、前記トレーニング系列４０４が、前記使用済みのタイムスロット４１２を備える前記チャネル周波数４１１に関するセルまたはセクタによって使用されていないこと、または前記トレーニング系列４０４が、近傍の前記セルまたは前記セクタによって、前記チャネル周波数４１１上で使用されていないことを備える基準に従って、前記同じタイムスロット４１２が選択される［１１］に記載の方法。
［１３］
前記第２の組み合わされたデータ４０９に関して、前記第１の組み合わされたデータ４０８のシンボルを位相シフトすることをさらに備える、［１１］に記載の方法。
［１４］
前記同じ搬送周波数４１１と、前記同じタイムスロット４１２と、前記トレーニング系列４０４、４０５とを１個の遠隔局１２３に割り当てるためのコマンドを生成して、前記コマンドを基地局１１４に送ることをさらに備える、［１１］に記載の方法。
［１５］
前記同じタイムスロット４１２が、基地局１１４から前記同じタイムスロット４１２を使用している前記新しい前記遠隔端末１２４までの距離に類似した、前記基地局１１４からの前記距離を有する遠隔局１２３によって使用されることを備える基準に従って、前記同じタイムスロット４１２が選択される、［１１］に記載の方法。
［１６］
前記タイムスロット４１２をすでに使用している遠隔局１２３、前記タイムスロット４１２を使用している前記遠隔局１２４の両方がＤＡＲＰ可能である場合、前記遠隔局１２３において受信された電力レベルが、前記新しい遠隔局１２４の１０ｄＢ範囲内であり得ることを備える基準に従って、前記同じタイムスロット４１２が選択される、［１１］に記載の方法。
［１７］
ＤＡＲＰ可能でない遠隔局１２３が、前記ＤＡＲＰ可能な遠隔局１２４の所望される信号よりも、≦１０ｄＢさらに高い所望される信号を有する、［１１］に記載の方法。
［１８］
前記位相シフトが均一に分布する、［１３］に記載の方法。
［１９］
コントローラプロセッサ６６０と、
メモリサブシステム６５０と、
前記コントローラプロセッサ６６０と前記メモリ６８５との間で動作可能に接続されたデータバスであって、前記コントローラプロセッサ６６０が、前記メモリサブシステム６５０にパラメータに関する値を送り、かつ前記メモリサブシステム６５０から前記パラメータに関する値を受信するために、前記データバス６７０を経由して、前記メモリサブシステム６５０と通信するデータバスと、
前記メモリサブシステム６５０内に格納されたソフトウェア６８０であって、前記メモリサブシステム６５０が、少なくとも１つのデータ表６５１、６５２、６５３を備え、前記データが、遠隔局１２３、１２４の少なくとも１つのセットに関するパラメータの値、トレーニング系列４０４の値、タイムスロット番号４１２の値、およびチャネル周波数４１１の値を備えたソフトウェア６８０と、を備える基地局コントローラ６００。
［２０］
前記ソフトウェア６８０が、
第１のデータ４２４および第２のデータ４２５を生成するための命令と、
第１のトレーニング系列４０４および第２のトレーニング系列４０５を生成するための命令と、
第１の組み合わされたデータ４０８を作成するために、前記第１のトレーニング系列４０４を前記第１のデータ４２４と組み合わせるための命令と、
第２の組み合わされたデータ４０９を作成するために、前記第２のトレーニング系列４０５を前記第２のデータ４２５と組み合わせるための命令と、
第１の送信信号４１３および第２の送信信号４１４を作成するために、同じ搬送周波数４１１と同じタイムスロット４１２とを使用して、前記第１の組み合わされたデータ４０８と前記第２のデータ組み合わされたデータ４０９の両方を変調ならびに送信するための命令と、
１個の基地局１１４によって、前記同じ搬送周波数４１１上の前記同じタイムスロット４１２内で前記トレーニング系列４０４、４０５の両方を使用するための命令と、を備え
た、チャネルを共有する第１の信号および第２の信号を作成するための命令を備える、［１９］に記載の基地局コントローラ６００。
［２１］
前記ソフトウェア６８０が、
新しい接続をセットアップするための命令と、
前記新しい接続が既存の接続と共有するために、使用済みのタイムスロット４１２を選択するための命令と、
前記新しい接続に関して、前記既存の接続のトレーニング系列と異なるトレーニング系列４０５を選択するための命令と、
１個の基地局１１４によって、前記同じチャネル周波数４１１上の前記同じタイムスロット４１２内で前記トレーニング系列４０４、４０５の両方を使用するための命令と、を備えた、単一のチャネル上で信号を共有するための命令を備える、［１９］に記載の基地局コントローラ６００。
［２２］
複数のデータ送信装置４０１と、
複数のアウトプットを有する、少なくとも１個の系列ジェネレータ４０３と、
それぞれが複数のインプットおよび少なくとも１つのアウトプットを有する、複数のコンバイナ４０６、４０７であって、前記インプットのうちの第１のインプットが、前記データ送信装置４０１のうちの１つの前記アウトプットのうちの１つに動作可能に接続され、前記インプットのうちの第２のインプットが、前記系列ジェネレータ４０３の前記アウトプットのうちの１つに動作可能に接続され、それにより、少なくとも１つの組み合わされたデータ４０８を作成するために、少なくとも１つのトレーニング系列４０４が、少なくとも１つのデータ４２４と組み合わされる、複数のコンバイナ４０６、４０７と、
複数のインプットおよび少なくとも１つのアウトプットを有する送信機変調器４１０と、をさらに備える、［１９］に記載の基地局コントローラ６００。
［２３］
前記チャネル周波数４１１上に未使用のタイムスロット４１２が存在する場合、新しいタイムスロット４１２を割り当てることをさらに備え、前記チャネル周波数４１１上に未使用のタイムスロット４１２が存在しない場合、前記新しい接続が既存の接続と共有するために、前記使用済みのタイムスロット４１２が選択される［２１］に記載の基地局コントローラ６００。
［２４］
前記既存の接続に関して、前記新しい接続のシンボルを位相シフトするための少なくとも１つの命令をさらに備える、［２１］に記載の基地局コントローラ６００。
［２５］
前記チャネル周波数４１１と、前記タイムスロット４１２と、前記トレーニング系列４０４とを１個の遠隔局１２３に割り当てるためのコマンドを生成して、前記コマンドを基地局６２０に送るための少なくとも１つの命令をさらに備える、［２１］に記載の基地局コントローラ６００。
［２６］
前記タイムスロット４１２が、基地局１１４から前記タイムスロット４１２を使用している新しい前記遠隔端末１２４までの距離に類似した、前記基地局１１４からの前記距離を有する遠隔局１２３によって使用されることを備える基準に従って、前記新しい接続に関して、前記使用済みのタイムスロット４１２が選択される、［２１］に記載の基地局コントローラ６００。
［２７］
前記タイムスロット４１２が低いトラヒックを有する場合、前記タイムスロット４１２が選択され得ること、または前記タイムスロット４１２が、１個以下の遠隔局１２３によってすでに使用されていることを備える基準に従って、前記新しい接続に関して、前記使用済みのタイムスロット４１２が選択される、［２１］に記載の基地局コントローラ６００。
［２８］
前記タイムスロット４１２をすでに使用している遠隔局１２３、前記タイムスロット４１２を使用している前記新しい遠隔局１２４の両方がＤＡＲＰ可能である場合、前記遠隔局１２３において受信された電力レベルが、前記新しい遠隔局１２４の１０ｄＢ範囲内であり得ることを備える基準に従って、前記新しい接続に関して、前記使用済みのタイムスロット４１２が選択される、［２１］に記載の基地局コントローラ６００。
［２９］
ＤＡＲＰ可能でない遠隔局１２３が、前記ＤＡＲＰ可能な遠隔局１２４の所望される信号よりも、≦１０ｄＢさらに高い所望される信号を有する、［２１］に記載の基地局コントローラ６００。
［３０］
第１のデータ４２４および第２のデータ４２５を生成するための命令と、
前記既存の接続のトレーニング系列４０４および前記異なるトレーニング系列４０５を生成するための命令と、
第１の組み合わされたデータ４０８を作成するために、前記既存の接続のトレーニング系列４０４を前記第１のデータ４２４と組み合わせるための命令と、
第２の組み合わされたデータ４０９を作成するために、前記異なるトレーニング系列４０５を前記第２のデータ４２５と組み合わせるための命令と、
第１の送信信号４１３および第２の送信信号４１４を作成するために、前記同じチャネル周波数４１１と前記同じ使用済みのタイムスロット４１２とを使用して、前記第１の組み合わされたデータ４０８と前記第２の組み合わされたデータ４０９の両方を変調ならびに送信するための命令と、をさらに備える、［２１］に記載の基地局コントローラ６００。
［３１］
前記送信機変調器４１０が、第１の前記組み合わされたデータ４０８が第２の前記組み合わされたデータ４０９に関して位相シフトされるように、前記少なくとも１つの組み合わされたデータ４０８のシンボルを位相シフトする、［２２］に記載の基地局コントローラ６００。
［３２］
前記少なくとも１個の系列ジェネレータ４０３が、複数の系列ジェネレータ４０３を備える、［２２］に記載の基地局コントローラ６００。
［３３］
前記位相シフトが均一に分布する、［２４］に記載の基地局コントローラ６００。
［３４］
前記位相シフトが均一に分布する、［３１］に記載の基地局コントローラ６００。
［３５］
コントローラプロセッサ９６０と、
アンテナ９２５と、
前記基地局アンテナ９２５に動作可能に接続されたデュプレクサスイッチ９２６と、
前記デュプレクサスイッチ９２６に動作可能に接続された受信機フロントエンド９２４と、
前記受信機フロントエンド９２４に動作可能に接続された受信機復調器９２３と、
前記受信機復調器９２３と前記コントローラプロセッサ９６０とに動作可能に接続されたチャネル復号器およびディインタリーバ９２２と、
前記コントローラプロセッサ９６０に動作可能に接続された基地局コントローラインターフェース９２１と、
前記コントローラプロセッサ９６０に動作可能に接続されたコーダおよびインタリーバ９２９と、
前記コーダおよびインタリーバ９２９に動作可能に接続された送信機変調器９２８と、
前記送信機変調器９２８に動作可能に接続され、かつ前記デュプレクサスイッチ９２６に動作可能に接続された送信機フロントエンドモジュール９２７と、
前記コントローラプロセッサ９６０と前記チャネル復号器およびディインタリーバ９２２、前記受信機復調器９２３、前記受信機フロントエンド９２４、前記送信機変調器９２８、および前記送信機フロントエンド９２７の間で動作可能に接続されたデータバス９７０と、
前記メモリ９６２内に格納されたソフトウェア９６１であって、前記メモリ９６２が、少なくとも１つのデータ表６５１、６５２、６５３を備え、前記データが、遠隔局１２３、１２４の少なくとも１つのセットに関するパラメータの値、トレーニング系列４０４の値、タイムスロット番号４１２の値、およびチャネル周波数４１１の値を備えるソフトウェア９６１と、を備える基地局９２０。
［３６］
前記ソフトウェア９６１が、
第１のデータ４２４および第２のデータ４２５を生成するための命令と、
第１のトレーニング系列４０４および第２のトレーニング系列４０５を生成するための命令と、
第１の組み合わされたデータ４０８を作成するために、前記第１のトレーニング系列４０４を前記第１のデータ４２４と組み合わせるための命令と、
第２の組み合わされたデータ４０９を作成するために、前記第２のトレーニング系列４０５を前記第２のデータ４２５と組み合わせるための命令と、
第１の送信信号４１３および第２の送信信号４１４を作成するために、同じ搬送周波数４１１と同じタイムスロット４１２とを使用して、前記第１の組み合わされたデータ４０８と前記第２の組み合わされたデータ４０９の両方を変調ならびに送信するための命令と、
１個の基地局１１４によって、前記同じ搬送周波数４１１上の前記同じタイムスロット４１２内で前記トレーニング系列４０４、４０５の両方を使用するための命令と、を備えた、チャネルを共有する第１の信号および第２の信号を作成するための命令を備える、［３５］に記載の基地局９２０。
［３７］
前記ソフトウェア９６１が、
新しい接続をセットアップするための命令と、
前記新しい接続が既存の接続と共有するために、使用済みのタイムスロット４１２を選択するための命令と、
前記新しい接続に関して、前記既存の接続のトレーニング系列４０４と異なるトレーニング系列コードを選択するための命令と、
１個の基地局１１４によって、前記同じ搬送周波数４１１上の前記同じタイムスロット４１２内で前記トレーニング系列４０４、４０５の両方を使用するための命令と、を備えた、単一のチャネル上で信号を共有するための命令を備える、［３５］に記載の基地局９２０。
［３８］
複数のデータ送信装置４０１と、
複数のアウトプットを有する、少なくとも１個の系列ジェネレータ４０３と、
それぞれが複数のインプットおよび少なくとも１つのアウトプットを有する、複数のコンバイナ４０６、４０７であって、前記インプットのうちの第１のインプットが、前記データ送信装置４０１のうちの１つの前記アウトプットのうちの１つに動作可能に接続され、前記インプットのうちの第２のインプットが、前記系列ジェネレータ４０３の前記アウトプットのうちの１つに動作可能に接続され、それにより、少なくとも１つの組み合わされたデータ４０８を作成するために、少なくとも１つのトレーニング系列４０４が、少なくとも１つのデータ４２４と組み合わされる、複数のコンバイナ４０６、４０７と、
複数のインプットおよび少なくとも１つのアウトプットを有する前記送信機変調器９２８と、をさらに備える、［３５］に記載の基地局９２０。
［３９］
前記搬送周波数４１１上に未使用のタイムスロット４１２が存在する場合、新しいタイムスロット４１２を割り当てることをさらに備え、前記チャネル周波数４１１上に未使用のタイムスロット４１２が存在しない場合、前記新しい接続が既存の接続と共有するために、前記使用済みのタイムスロット４１２が選択される［３７］に記載の基地局９２０。
［４０］
前記既存の接続に関して、前記新しい接続のシンボルを位相シフトするための少なくとも１つの命令をさらに備える、［３７］に記載の基地局９２０。
［４１］
前記タイムスロット４１２が、基地局１１４から前記タイムスロット４１２を使用している新しい前記遠隔端末１２４までの距離に類似した、前記基地局１１４からの前記距離を有する遠隔局１２３によって使用されることを備える基準に従って、前記新しい接続に関して、前記使用済みのタイムスロット４１２が選択される、［３７］に記載の基地局９２０。
［４２］
前記タイムスロット４１２が低いトラヒックを有する場合、前記タイムスロット４１２が選択され得ること、または前記タイムスロット４１２が、１個以下の遠隔局１２３によってすでに使用されていることを備える基準に従って、前記新しい接続に関して、前記使用済みのタイムスロット４１２が選択される、［３７］に記載の基地局９２０。
［４３］
前記タイムスロット４１２をすでに使用している遠隔局１２３、前記タイムスロット４１２を使用している前記遠隔局１２４の両方がＤＡＲＰ可能である場合、前記遠隔局１２３において受信された電力レベルが、前記新しい遠隔局１２４の１０ｄＢ範囲内であり得ることを備える基準に従って、前記新しい接続に関して、前記使用済みのタイムスロット４１２が選択される、［３７］に記載の基地局９２０。
［４４］
ＤＡＲＰ可能でない遠隔局１２３が、前記ＤＡＲＰ可能な遠隔局１２４の所望される信号よりも、≦１０ｄＢさらに高い所望される信号を有する、［３７］に記載の基地局９２０。
［４５］
第１のデータ４２４および第２のデータ４２５を生成するための命令と、
前記既存の接続のトレーニング系列４０４および前記異なるトレーニング系列４０５を生成するための命令と、
第１の組み合わされたデータ４０８を作成するために、前記既存の接続のトレーニング系列４０４を前記第１のデータ４２４と組み合わせるための命令と、
第２の組み合わされたデータ４０９を作成するために、前記異なるトレーニング系列４０５を前記第２のデータ４２５と組み合わせるための命令と、
第１の送信信号４１３および第２の送信信号４１４を作成するために、前記同じチャネル周波数４１１と前記同じ使用済みのタイムスロット４１２とを使用して、前記第１の組み合わされたデータ４０８と前記第２の組み合わされたデータ４０９の両方を変調ならびに送信するための命令と、をさらに備える、［３７］に記載の基地局９２０。
［４６］
第１の前記組み合わされたデータ４０８が、第２の前記組み合わされたデータ４０９に関して位相シフトされるように、前記送信機変調器９２８が、前記少なくとも１つの組み合わされたデータ４０８のシンボルを位相シフトする、［３８］に記載の基地局９２０。
［４７］
前記少なくとも１個の系列ジェネレータ４０３が、複数の系列ジェネレータ４０３を備える、［３８］に記載の基地局９２０。
［４８］
前記位相シフトが均等に分布する、［４０］に記載の基地局９２０。
［４９］
前記位相シフトが均等に分布する、［４６］に記載の基地局９２０。
［５０］
チャネルを共有している第１の信号および第２の信号を作成するための装置であって、
複数のデータ送信装置４０１と、
複数のアウトプットを有する、少なくとも１個の系列ジェネレータ４０３と、
それぞれが複数のインプットおよび少なくとも１つのアウトプットを有する、複数のコンバイナ４０６、４０７であって、前記インプットのうちの第１のインプットが、前記データ送信装置４０１のうちの１つの前記アウトプットのうちの１つに動作可能に接続され、前記インプットのうちの第２のインプットが、前記系列ジェネレータ４０３の前記アウトプットのうちの１つに動作可能に接続され、それにより、少なくとも１つの組み合わされたデータ４０８を作成するために、少なくとも１つのトレーニング系列４０４が、少なくとも１つのデータ４２４と組み合わされる、複数のコンバイナ４０６、４０７と、
複数のインプットおよび少なくとも１つのアウトプットを有する送信機変調器４１０と、を備える装置。
［５１］
第１の前記組み合わされたデータ４０８が、第２の前記組み合わされたデータ４０９に関して位相シフトされるように、前記送信機変調器４１０が、前記少なくとも１つの組み合わされたデータ４０８のシンボルを位相シフトする、［５０］に記載の装置。
［５２］
前記少なくとも１個の系列ジェネレータ４０３が、複数の系列ジェネレータ４０３を備える、［５０］に記載の装置。
［５３］
前記位相シフトが均等に分布する、［５１］に記載の装置。
［５４］
単一のチャネル上で信号を共有するための装置であって、
新しい接続をセットアップする手段と、
前記新しい接続が既存の接続と共有するために、チャネル周波数４１１上で使用済みのタイムスロット４１２を選択する手段と、
前記新しい接続に関して、前記既存の接続のトレーニング系列コード４０４と異なるトレーニング系列コード４０５を選択する手段と、
１個の基地局１１４によって、前記同じチャネル周波数４１１上の前記同じ使用済みのタイムスロット４１２内で前記トレーニング系列４０４、４０５の両方を使用する手段と、を備える装置。
［５５］
前記チャネル周波数４１１上に未使用のタイムスロット４１２が存在する場合、新しいタイムスロット４１２を割り当てる手段をさらに備え、前記チャネル周波数４１１上に未使用のタイムスロット４１２が存在しない場合、前記新しい接続が既存の接続と共有するために、前記使用済みのタイムスロット４１２が選択される、［５４］に記載の装置。
［５６］
前記既存の接続に関して、前記新しい接続のシンボルを位相シフトする手段をさらに備える、［５４］に記載の装置。
［５７］
前記チャネル周波数４１１と、前記タイムスロット４１２と、前記トレーニング系列４０４とを１個の遠隔局１２３に割り当てるためのコマンドを生成して、前記コマンドを基地局１１４に送る手段をさらに備える、［５４］に記載の装置。
［５８］
前記タイムスロット４１２が、基地局１１４から前記タイムスロット４１２を使用している新しい前記遠隔端末１２４までの距離に類似した、前記基地局１１４からの前記距離を有する遠隔局１２３によって使用されることを備える基準に従って、前記新しい接続に関して、前記使用済みのタイムスロット４１２を選択する手段をさらに備える、［５４］に記載の装置。
［５９］
前記タイムスロット４１２が低いトラヒックを有する場合、前記タイムスロット４１２が選択され得ること、または前記タイムスロット４１２が、１個以下の遠隔局１２３〜１２７によってすでに使用されていることを備える基準に従って、前記新しい接続に関して、前記使用済みのタイムスロット４１２を選択する手段をさらに備える、［５４］に記載の装置。
［６０］
前記タイムスロット４１２をすでに使用している遠隔局１２３、前記タイムスロット４１２を使用している前記新しい遠隔局１２４の両方がＤＡＲＰ可能である場合、前記遠隔局１２３において受信された電力レベルが、前記新しい遠隔局１２４の１０ｄＢ範囲内であり得ることを備える基準に従って、前記新しい接続に関して、前記使用済みのタイムスロット４１２を選択する手段をさらに備える、［５４］に記載の装置。
［６１］
非ＤＡＲＰ可能な遠隔局１２３が、前記ＤＡＲＰ可能な遠隔局１２４の所望される信号よりも、≦１０ｄＢさらに高い所望される信号を有する、［５４］に記載の装置。
［６２］
第１のデータ４２４および第２のデータ４２５を生成する手段と、
前記既存の接続のトレーニング系列４０４および前記異なるトレーニング系列４０５を生成する手段と、
第１の組み合わされたデータ４０８を作成するために、前記既存の接続のトレーニング系列４０４を前記第１のデータ４２４と組み合わせ、第２の組み合わされたデータ４０９を作成するために、前記異なるトレーニング系列４０５を前記第２のデータ４２５と組み合わせる手段と、
第１の送信信号４１３および第２の送信信号４１４を作成するために、前記同じチャネル周波数４１１と前記同じ使用済みのタイムスロット４１２とを使用して、前記第１の組み合わされたデータ４０８と前記第２の組み合わされたデータ４０９の両方を変調ならびに送信する手段と、をさらに備える、［５４］に記載の装置。
［６３］
前記位相シフトが均等に分布する、［５６］に記載の装置。
［６４］
チャネルを共有する第１の信号および第２の信号を作成するための装置であって、
第１のデータ４２４および第２のデータ４２５を生成する手段と、
第１のトレーニング系列４０４および第２のトレーニング系列４０５を生成する手段と、
第１の組み合わされたデータ４０８を作成するために、前記第１のトレーニング系列４０４を前記第１のデータ４２４と組み合わせ、第２の組み合わされたデータ４０９を作成するために、前記第２のトレーニング系列４０５を前記第２のデータ４２５と組み合わせる手段と、
第１の送信信号４１３および第２の送信信号４１４を作成するために、同じ搬送周波数４１１と同じタイムスロット４１２とを使用して、前記第１の組み合わされたデータ４０８と前記第２のデータ組み合わされたデータ４０９の両方を変調ならびに送信する手段と、
１個の基地局１１４によって、前記同じ搬送周波数４１１上の前記同じタイムスロット４１２内で前記トレーニング系列４０４、４０５の両方を使用する手段と、を備える装置。
［６５］
前記タイムスロット４１２が低いトラヒックを有する場合、前記同じタイムスロット４１２が選択されることが可能であること、前記同じタイムスロット４１２が１個以下の遠隔局１２３〜１２７によってすでに使用されていること、前記トレーニング系列４０４が、前記使用済みのタイムスロット４１２を備える前記チャネル周波数４１１に関するセルもしくはセクタによって使用されていないこと、または前記トレーニング系列４０４が、近傍の前記セルもしくは前記セクタによって、前記前記チャネル周波数４１１上で使用されていないことを備える基準に従って、前記同じタイムスロット４１２を選択する手段をさらに備える、［６４］に記載の装置。
［６６］
前記第２の組み合わされたデータ４０９に関して、前記第１の組み合わされたデータ４０８のシンボルを位相シフトする手段をさらに備える、［６４］に記載の装置。
［６７］
前記同じ搬送周波数４１１と、前記同じタイムスロット４１２と、前記トレーニング系列４０４、４０５とを１個の遠隔局１２３に割り当てるためのコマンドを生成して、前記コマンドを基地局１１４に送る手段をさらに備える、［６４］に記載の装置。
［６８］
前記同じタイムスロット４１２が、基地局１１４から前記同じタイムスロット４１２を使用している前記新しい前記遠隔端末１２４までの距離に類似した、前記基地局１１４からの前記距離を有する遠隔局１２３によって使用されることを備える基準に従って、前記同じタイムスロット４１２を選択する手段をさらに備える、［６４］に記載の装置。
［６９］
前記タイムスロット４１２をすでに使用している遠隔局１２３、前記タイムスロット４１２を使用している前記新しい遠隔局１２４の両方がＤＡＲＰ可能である場合、前記遠隔局１２３において受信された電力レベルが、前記新しい遠隔局１２４の１０ｄＢ範囲内であり得ることを備える基準に従って、前記同じタイムスロット４１２を選択する手段をさらに備える、［６４］に記載の装置。
［７０］
ＤＡＲＰ可能でない遠隔局１２３が、前記ＤＡＲＰ可能な遠隔局１２４の所望される信号よりも、≦１０ｄＢさらに高い所望される信号を有する、［６４］に記載の装置。
［７１］
前記位相シフトが均一に分布する、［６６］に記載の装置。
［７２］
第１のデータ４２４および第２のデータ４２５を生成するための命令と、
第１のトレーニング系列４０４および第２のトレーニング系列４０５を生成するための命令と、
第１の組み合わされたデータ４０８を作成するために、前記第１のトレーニング系列４０４を前記第１のデータ４２４と組み合わせるための命令と、
第２の組み合わされたデータ４０９を作成するために、前記第２のトレーニング系列４０５を前記第２のデータ４２５と組み合わせるための命令と、
第１の送信信号４１３および第２の送信信号４１４を作成するために、同じチャネル周波数４１１と同じタイムスロット４１２とを使用して、前記第１の組み合わされたデータ４０８と前記第２のデータ組み合わされたデータ４０９の両方を変調ならびに送信するための命令と、
１個の基地局１１４によって、前記同じチャネル周波数４１１上の前記同じタイムスロット４１２内で前記トレーニング系列４０４、４０５の両方を使用するための命令と、を備えた、コンピュータにチャネルを共有する第１の信号および第２の信号を作成させるためのコードを備えたコンピュータ読取可能な媒体を備えるコンピュータプログラム製品。
［７３］
新しい接続をセットアップするための命令と、
前記新しい接続が既存の接続と共有するために、使用済みのタイムスロット４１２を選択するための命令と、
前記新しい接続に関して、前記既存の接続のトレーニング系列４０４と異なるトレーニング系列コード４０５を選択するための命令と、
１個の基地局１１４によって、同じチャネル周波数４１１上の前記同じタイムスロット４１２内で前記トレーニング系列４０４、４０５の両方を使用するための命令と、を備えた、コンピュータに単一のチャネル上で信号を共有させるためにコードを備えた、コンピュータ読取可能な媒体を備えるコンピュータプログラム製品。
［７４］
単一のチャネル上で信号を共有するための方法であって、
新しい接続をセットアップすることと、
前記新しい接続が既存の接続と共有するために、チャネル周波数４１１上で使用済みのタイムスロット４１２を選択することと、
前記新しい接続に関して、前記既存の接続のトレーニング系列４０４と異なるトレーニング系列４０５を選択することとであって、前記異なるトレーニング系列４０５と前記既存の接続のトレーニング系列４０４との間の相互相関比が低い、選択することと、
１個の基地局１１４によって、前記同じチャネル周波数４１１上の前記同じタイムスロット４１２内で前記トレーニング系列４０４、４０５の両方を使用することと、を備える方法。
［７５］
前記既存の接続のトレーニング系列４０４に対して相関している場合、前記異なるトレーニング系列４０５が、２／１６と４／１６との間の前記相互相関比を有する、［７４］に記載の方法。
［７６］
前記異なるトレーニング系列４０５が、前記既存の接続のトレーニング系列４０４に対して補完的である、［７４］に記載の方法。
［７７］
前記既存の接続のトレーニング系列４０４が、００１００  １０１１１００００１０００１００  １０１１１、００１０１  １０１１１０１１１１０００１０１  １０１１１、０１０００  ０１１１０１１１０１００１０００  ０１１１０、０１０００  １１１１０１１０１０００１０００  １１１１０、０００１１  ０１０１１１００１０００００１１  ０１０１１、０１００１  １１０１０１１０００００１００１  １１０１０、および１０１００  １１１１１０１１０００１０１００  １１１１１を備えた、前記トレーニング系列のセットを備えた、［７４］に記載の方法。
［７８］
前記異なる接続のトレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記トレーニング系列の前記セットを備える、［７４］に記載の方法。
［７９］
前記異なるトレーニング系列４０５が、０１１１１  １１００１１０１０１００１１１１  １１００１、  ０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記トレーニング系列の前記セットを備える、［７４］に記載の方法。
［８０］
前記異なる接続トレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記既存の接続のトレーニング系列４０４に対して補完的な前記トレーニング系列の前記セットを備える、［７７］に記載の方法。
［８１］
前記異なるトレーニング系列４０５が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記既存の接続のトレーニング系列４０４に対して補完的な前記トレーニング系列の前記セットを備える、［７７］に記載の方法。
［８２］
チャネルを共有する第１の信号および第２の信号を作成するための方法であって、
第１のデータ４２４および第２のデータ４２５を生成することと、
第１のトレーニング系列４０４および第２のトレーニング系列４０５を生成することと、
第１の組み合わされたデータ４０８を作成するために、前記第１のトレーニング系列４０４を前記第１のデータ４２４と組み合わせ、第２の組み合わされたデータ４０９を作成するために、前記第２のトレーニング系列４０５を前記第２のデータ４２５と組み合わせることと、
第１の送信信号４１３および第２の送信信号４１４を作成するために、同じ搬送周波数４１１と同じタイムスロット４１２とを使用して、前記第１の組み合わされたデータ４０８と前記第２のデータ組み合わされたデータ４０９の両方を変調ならびに送信することと、
１個の基地局１１４によって、前記同じ搬送周波数４１１上の前記同じタイムスロット４１２内で前記トレーニング系列４０４、４０５の両方を使用することと、を備え、前記第１のトレーニング系列４０４と前記第２のトレーニング系列４０５との間の相互相関比が低い方法。
［８３］
前記第１のトレーニング系列４０４に対して相関している場合、前記第２のトレーニング系列４０５が、２／１６と４／１６との間の前記相互相関比を有する、［８２］に記載の方法。
［８４］
前記第２のトレーニング系列４０５が、前記第１のトレーニング系列４０４に対して補完的である、［８２］に記載の方法。
［８５］
前記第１のトレーニング系列４０４が、００１００  １０１１１００００１０００１００  １０１１１、００１０１  １０１１１０１１１１０００１０１  １０１１１、０１０００  ０１１１０１１１０１００１０００  ０１１１０、０１０００  １１１１０１１０１０００１０００  １１１１０、０００１１  ０１０１１１００１０００００１１  ０１０１１、０１００１  １１０１０１１０００００１００１  １１０１０、および１０１００  １１１１１０１１０００１０１００  １１１１１を備えた、前記トレーニング系列のセットを備える、［８２］に記載の方法。
［８６］
前記第２のトレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記トレーニング系列の前記セットを備える、［８２］に記載の方法。
［８７］
前記第２のトレーニング系列４０５が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記トレーニング系列の前記セットを備える、［８２］に記載の方法。
［８８］
前記第２のトレーニング系列コードが、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記第１のトレーニング系列コードに対して補完的な前記トレーニング系列の前記セットを備える、［８５］に記載の方法。
［８９］
前記第２のトレーニング系列コードが、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記第１の系列コードに対して補完的な前記トレーニング系列の前記セットを備える、［８５］に記載の方法。
［９０］
コントローラプロセッサ６６０と、
メモリサブシステム６５０と、
前記コントローラプロセッサ６６０と前記メモリ６８５との間で動作可能に接続されたデータバスであって、前記コントローラプロセッサ６６０が、前記メモリサブシステム６５０にパラメータに関する値を送り、かつ前記メモリサブシステム６５０から前記パラメータに関する値を受信するために、前記データバス６７０を経由して、前記メモリサブシステム６５０と通信するデータバスと、
前記メモリサブシステム６５０内に格納されたソフトウェア６８０であって、前記メモリサブシステム６５０が、少なくとも１つデータ表６５１、６５２、６５３を備え、前記データが、遠隔局１２３、１２４の少なくとも１つのセットに関するパラメータの値、トレーニング系列４０４の値、タイムスロット番号４１２の値、およびチャネル周波数４１１の値を備え、前記トレーニング系列４０４の値が、低い相互相関比を有する第１のトレーニング系列４０４および第２のトレーニング系列４０５を備える、ソフトウェア６８０と、を備える基地局コントローラ６００。
［９１］
前記ソフトウェア６８０が、
第１のデータ４２４および第２のデータ４２５を生成するための命令と、
前記第１のトレーニング系列４０４および前記第２のトレーニング系列４０５を生成するための命令と、
第１の組み合わされたデータ４０８を作成するために、前記第１のトレーニング系列４０４を前記第１のデータ４２４と組み合わせるための命令と、
第２の組み合わされたデータ４０９を作成するために、前記第２のトレーニング系列４０５を前記第２のデータ４２５と組み合わせるための命令と、
第１の送信信号４１３および第２の送信信号４１４を作成するために、前記同じチャネル周波数４１１と同じタイムスロット４１２とを使用して、前記第１の組み合わされたデータ４０８と前記第２のデータ組み合わされたデータ４０９の両方を変調ならびに送信するための命令と、
１個の基地局１１４によって、前記同じチャネル周波数４１１上の前記同じタイムスロット４１２内で前記トレーニング系列４０４、４０５の両方を使用する命令と、を備えた、チャネルを共有する第１の信号および第２の信号を作成するための命令を備える、［９０］に記載の基地局コントローラ６００。
［９２］
前記ソフトウェア６８０が、
新しい接続をセットアップするための命令と、
前記新しい接続が既存の接続と共有するために、使用済みのタイムスロット４１２を選択するための命令と、
前記新しい接続に関して、前記第１のトレーニング系列４０４から前記第２のトレーニング系列４０５を選択するための命令と、
１個の基地局１１４によって、前記同じチャネル周波数４１１上の前記同じタイムスロット４１２内で前記トレーニング系列４０４、４０５の両方を使用するための命令と、を備える、単一のチャネル上で信号を共有するための命令を備える、［９０］に記載の基地局コントローラ６００。
［９３］
それにより、複数のデータ４２４が生成される、複数のデータ送信装置４０１と、
複数のアウトプットを有する、少なくとも１個の系列ジェネレータ４０３と、
それぞれが複数のインプットおよび少なくとも１つのアウトプットを有する、複数のコンバイナ４０６、４０７であって、前記インプットのうちの第１のインプットが、前記データ送信装置４０１のうちの１つの前記アウトプットのうちの１つに動作可能に接続され、前記インプットのうちの第２のインプットが、前記系列ジェネレータ４０３の前記アウトプットのうちの１つに動作可能に接続され、それにより、少なくとも１つの組み合わされたデータ４０８を作成するために、少なくとも１つのトレーニング系列４０４が、少なくとも１つのデータ４２４と組み合わされる、複数のコンバイナ４０６、４０７と、
複数のインプットおよび少なくとも１つのアウトプットを有する送信機変調器４１０と、をさらに備える、［９０］に記載の基地局コントローラ６００。
［９４］
前記第１のトレーニング系列４０４に対して相関している場合、前記第２のトレーニング系列４０５が、２／１６と４／１６との間の前記相互相関比を有する、［９０］に記載の基地局コントローラ６００。
［９５］
前記第２のトレーニング系列４０５が、前記第１のトレーニング系列４０４に対して補完的である、［９０］に記載の基地局コントローラ６００。
［９６］
前記第１のトレーニング系列４０４が、００１００  １０１１１００００１０００１００  １０１１１、００１０１  １０１１１０１１１１０００１０１  １０１１１、０１０００  ０１１１０１１１０１００１０００  ０１１１０、０１０００  １１１１０１１０１０００１０００  １１１１０、０００１１  ０１０１１１００１０００００１１  ０１０１１、０１００１  １１０１０１１０００００１００１  １１０１０、および１０１００  １１１１１０１１０００１０１００  １１１１１を備えた、前記トレーニング系列のセットを備える、［９０］に記載の基地局コントローラ６００。
［９７］
前記第２のトレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記トレーニング系列のセットを備える、［９０］に記載の基地局コントローラ６００。
［９８］
前記第２のトレーニング系列４０５が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記トレーニング系列のセットを備える、［９０］に記載の基地局コントローラ６００。
［９９］
前記第２のトレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記第１のトレーニング系列４０４に対して補完的な前記トレーニング系列の前記セットを備える、［９６］に記載の基地局コントローラ６００。
［１００］
前記第２のトレーニング系列４０５が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記第１のトレーニング系列４０４に対して補完的な前記トレーニング系列の前記セットを備える、［９６］に記載の基地局コントローラ６００。
［１０１］
コントローラプロセッサ９６０と、
アンテナ９２５と、
前記基地局アンテナ９２５に動作可能に接続されたデュプレクサスイッチ９２６と、
（例えば、ダウンコンバート、フィルタリング、および振幅により）前記信号を条件付ける前記デュプレクサスイッチ９２６に動作可能に接続された受信機フロントエンド９２４と、
前記受信機フロントエンド９２４に動作可能に接続された受信機復調器９２３が、前記条件付けされた信号を復調して、に前記復調信号を出力し、
前記受信機復調器９２３と前記コントローラプロセッサ９６０とに動作可能に接続されたチャネル復号器およびディインタリーバ９２２と、
前記コントローラプロセッサ９６０に動作可能に接続された基地局コントローラインターフェース９２１と、
前記コントローラプロセッサ９６０に動作可能に接続されたコーダおよびインタリーバ９２９と、
前記コーダおよびインタリーバ９２９に動作可能に接続された送信機変調器９２８と、
前記送信機変調器９２８に動作可能に接続され、かつ前記デュプレクサスイッチ９２６に動作可能に接続された送信機フロントエンドモジュール９２７と、
前記コントローラプロセッサ９６０と前記チャネル復号器およびディインタリーバ９２２、前記受信機復調器９２３、前記受信機フロントエンド９２４、前記送信機変調器９２８、ならびに前記送信機フロントエンド９２７の間で動作可能に接続されたデータバス９７０と、
前記メモリ９６２内に格納されたソフトウェア９６１であって、前記メモリ９６２が、少なくとも１つのデータ表６５１、６５２、６５３を備え、前記データが、遠隔局１２３、１２４の少なくとも１つのセットに関するパラメータの値、トレーニング系列４０４の値、タイムスロット番号４１２の値、およびチャネル周波数４１１の値を備え、前記トレーニング系列４０４の値が、低い相互相関比を有する第１のトレーニング系列４０４および第２のトレーニング系列４０５を備えたソフトウェア９６１と、を備える、基地局９２０。
［１０２］
前記ソフトウェア６８０が、
第１のデータ４２４および第２のデータ４２５を生成するための命令と、
前記第１のトレーニング系列４０４および前記第２のトレーニング系列４０５を生成するための命令と、
第１の組み合わされたデータ４０８を作成するために、前記第１のトレーニング系列４０４を前記第１のデータ４２４と組み合わせるための命令と、
第２の組み合わされたデータ４０９を作成するために、前記第２のトレーニング系列４０５を前記第２のデータ４２５と組み合わせるための命令と、
第１の送信信号４１３および第２の送信信号４１４を作成するために、同じ搬送周波数４１１と同じタイムスロット４１２とを使用して、前記第１の組み合わされたデータ４０８と前記第２のデータ組み合わされたデータ４０９の両方を変調ならびに送信するための命令と、
１個の基地局１１４によって、前記同じチャネル周波数４１１上の前記同じタイムスロット４１２内で前記トレーニング系列４０４、４０５の両方を使用するための命令と、を備えた、チャネルを共有する第１の信号および第２の信号を作成するための命令を備える、［１０１］に記載の基地局９２０。
［１０３］
前記ソフトウェア６８０が、
新しい接続をセットアップするための命令と、
前記新しい接続が既存の接続と共有するために、使用済みのタイムスロット４１２を選択するための命令と、
前記新しい接続に関して、前記第２のトレーニング系列コード４０５を選択するための命令と、
１個の基地局１１４によって、前記同じチャネル周波数４１１上の前記同じタイムスロット４１２内で前記トレーニング系列４０４、４０５の両方を使用するための命令と、を備えた、単一のチャネル上で信号を共有するための命令を備える、［１０１］に記載の基地局９２０。
［１０４］
それにより、複数のデータ４２４が生成される、複数のデータ送信装置４０１と、
複数のアウトプットを有する、少なくとも１個の系列ジェネレータ４０３と、
それぞれが複数のインプットおよび少なくとも１つのアウトプットを有する、複数のコンバイナ４０６、４０７であって、前記インプットのうちの第１のインプットが、前記データ送信装置４０１のうちの１つの前記アウトプットのうちの１つに動作可能に接続され、前記インプットのうちの第２のインプットが、前記系列ジェネレータ４０３の前記アウトプットのうちの１つに動作可能に接続され、それにより、少なくとも１つの組み合わされたデータ４０８を作成するために、少なくとも１つのトレーニング系列４０４が、少なくとも１つのデータ４２４と組み合わされる、複数のコンバイナ４０６、４０７と、
複数のインプットおよび少なくとも１つのアウトプットを有する送信機変調器４１０と、をさらに備える、［１０１］に記載の基地局９２０。
［１０５］
前記第１のトレーニング系列４０４に対して相関している場合、前記第２のトレーニング系列４０５が、２／１６と４／１６との間の前記相互相関比を有する、［１０１］に記載の基地局９２０。
［１０６］
前記第２のトレーニング系列４０５が、前記第１のトレーニング系列４０４に対して補完的である、［１０１］に記載の基地局９２０。
［１０７］
前記第１のトレーニング系列４０４が、００１００  １０１１１００００１０００１００  １０１１１、００１０１  １０１１１０１１１１０００１０１  １０１１１、０１０００  ０１１１０１１１０１００１０００  ０１１１０、０１０００  １１１１０１１０１０００１０００  １１１１０、０００１１  ０１０１１１００１０００００１１  ０１０１１、０１００１  １１０１０１１０００００１００１  １１０１０、および１０１００  １１１１１０１１０００１０１００  １１１１１を備えた、前記トレーニング系列のセットを備える、［１０１］に記載の基地局９２０。
［１０８］
前記第２のトレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記トレーニング系列のセットを備える、［１０１］に記載の基地局９２０。
［１０９］
前記第２のトレーニング系列４０５が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記トレーニング系列のセットを備える、［１０１］に記載の基地局９２０。
［１１０］
前記第２のトレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記第１のトレーニング系列４０４に対して補完的な前記トレーニング系列の前記セットを備える、［１０７］に記載の基地局９２０。
［１１１］
前記第２のトレーニング系列が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記第１のトレーニング系列４０４に対して補完的な前記トレーニング系列の前記セットを備える、［１０７］に記載の基地局９２０。
［１１２］
チャネルを共有している第１の信号および第２の信号を作成するための装置であって、
それにより、複数のデータ４２４が生成される、複数のデータ送信装置４０１と、
それにより、複数のトレーニング系列４０４が生成される、複数のアウトプットを有する、少なくとも１個の系列ジェネレータ４０３であって、前記複数のトレーニング系列４０４が低い相互相関比を有する、第１のトレーニング系列４０４および第２のトレーニング系列４０５を備える、系列ジェネレータ４０３と、
それぞれが複数のインプットおよび少なくとも１つのアウトプットを有する、複数のコンバイナ４０６、４０７であって、前記インプットのうちの第１のインプットが、前記データ送信装置４０１のうちの１つの前記アウトプットのうちの１つに動作可能に接続され、前記インプットのうちの第２のインプットが、前記系列ジェネレータ４０３の前記アウトプットのうちの１つに動作可能に接続され、それにより、少なくとも１つの組み合わされたデータ４０８を作成するために、少なくとも１つのトレーニング系列４０４が、少なくとも１つのデータ４２４と組み合わされる、複数のコンバイナ４０６、４０７と、
複数のインプットおよび少なくとも１つのアウトプットを有する送信機変調器４１０と、を備える装置。
［１１３］
前記第１のトレーニング系列４０４に対して相関している場合、前記第２のトレーニング系列４０５が、２／１６と４／１６との間の前記相互相関比を有する、［１１２］に記載の装置。
［１１４］
前記第２のトレーニング系列４０５が、前記第１のトレーニング系列４０４に対して補完的である、［１１２］に記載の装置。
［１１５］
前記第１のトレーニング系列４０４が、００１００  １０１１１００００１０００１００  １０１１１、００１０１  １０１１１０１１１１０００１０１  １０１１１、０１０００  ０１１１０１１１０１００１０００  ０１１１０、０１０００  １１１１０１１０１０００１０００  １１１１０、０００１１  ０１０１１１００１０００００１１  ０１０１１、０１００１  １１０１０１１０００００１００１  １１０１０、および１０１００  １１１１１０１１０００１０１００  １１１１１を備えた、前記トレーニング系列のセットを備える、［１１２］に記載の装置。
［１１６］
前記第２のトレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記トレーニング系列のセットを備える、［１１２］に記載の装置。
［１１７］
前記第２のトレーニング系列４０５が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記トレーニング系列のセットを備える、［１１２」に記載の装置。
［１１８］
前記第２のトレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた前記第１のトレーニング系列４０４に対して補完的な前記トレーニング系列の前記セットを備える、［１１５］に記載の装置。
［１１９］
前記第２のトレーニング系列４０５が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、  ０１０００  ０１０１１１０００１００１０００  ０１０１１、および１１１００  １０１１１１１０１１１１１１００  １０１１１を備えた、前記第１のトレーニング系列４０４に対して補完的な前記トレーニング系列の前記セットを備える、［１１５］に記載の装置９２０。
［１２０］
単一のチャネル上で信号を共有するための装置であって、
新しい接続をセットアップする手段と、
前記新しい接続が既存の接続と共有するために、チャネル周波数４１１上で使用済みのタイムスロット４１２を選択する手段と、
前記新しい接続に関して、前記既存の接続のトレーニング系列４０４と異なるトレーニング系列４０５を選択する手段であって、前記異なるトレーニング系列４０５と前記既存の接続のトレーニング系列４０４との間の相互相関比が低い、選択する手段と、
１個の基地局１１４によって、前記同じチャネル周波数４１１上の前記同じタイムスロット４１２内で前記トレーニング系列４０４、４０５の両方を使用する手段と、を備える装置。
［１２１］
前記既存の接続のトレーニング系列４０４に対して相関している場合、前記異なるトレーニング系列４０５が、２／１６と４／１６との間の前記相互相関比を有する、［１２０］に記載の装置。
［１２２］
前記異なるトレーニング系列４０５が、前記既存の接続のトレーニング系列コード４０４に対して補完的である、［１２０］に記載の装置。
［１２３］
前記既存の接続のトレーニング系列４０４が、００１００  １０１１１００００１０００１００  １０１１１、００１０１  １０１１１０１１１１０００１０１  １０１１１、０１０００  ０１１１０１１１０１００１０００  ０１１１０、０１０００  １１１１０１１０１０００１０００  １１１１０、０００１１  ０１０１１１００１０００００１１  ０１０１１、０１００１  １１０１０１１０００００１００１  １１０１０、および１０１００  １１１１１０１１０００１０１００  １１１１１を備えた、前記トレーニング系列のセットを備える、［１２０］に記載の装置。
［１２４］
前記異なる接続トレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記トレーニング系列の前記セットを備える、［１２０］に記載の装置。
［１２５］
前記異なるトレーニング系列４０５が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記トレーニング系列の前記セットを備える、［１２０］に記載の装置。
［１２６］
前記異なる接続トレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記既存の接続のトレーニング系列コード４０４に対して補完的な前記トレーニング系列の前記セットを備える、［１２３］に記載の装置。
［１２７］
前記異なるトレーニング系列４０５が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた前記既存の接続のトレーニング系列コード４０４に対して補完的な前記トレーニング系列の前記セットを備える、［１２３］に記載の装置。
［１２８］
チャネルを共有する第１の信号および第２の信号を作成するための装置であって、
第１のデータ４２４および第２のデータ４２５を生成する手段と、
第１のトレーニング系列４０４および第２のトレーニング系列４０５を生成する手段と、
第１の組み合わされたデータ４０８を作成するために、前記第１のトレーニング系列４０４を前記第１のデータ４２４と組み合わせる手段と、
第２の組み合わされたデータ４０９を作成するために、前記第２のトレーニング系列４０５を前記第２のデータ４２５と組み合わせる手段と、
第１の送信信号４１３および第２の送信信号４１４を作成するために、同じ搬送周波数４１１と同じタイムスロット４１２とを使用して、前記第１の組み合わされたデータ４０８と前記第２のデータ組み合わされたデータ４０９の両方を変調ならびに送信する手段と、
１個の基地局１１４によって、同じセル内の前記同じ搬送周波数４１１上の前記同じタイムスロット４１２内で前記トレーニング系列４０４、４０５の両方を使用する手段であって、前記第１のトレーニング系列４０４と前記第２のトレーニング系列４０５との間の相互相関比が低い、使用する手段と、を備える装置。
［１２９］
前記第１のトレーニング系列４０４に対して相関している場合、前記第２のトレーニング系列４０５が、２／１６と４／１６との間の前記相互相関比を有する、［１２８］に記載の装置。
［１３０］
前記第２のトレーニング系列４０５が、前記第１のトレーニング系列４０４に対して補完的である、［１２８］に記載の装置。
［１３１］
前記第１のトレーニング系列４０４が、００１００  １０１１１００００１０００１００  １０１１１、００１０１  １０１１１０１１１１０００１０１  １０１１１、０１０００  ０１１１０１１１０１００１０００  ０１１１０、０１０００  １１１１０１１０１０００１０００  １１１１０、０００１１  ０１０１１１００１０００００１１  ０１０１１、０１００１  １１０１０１１０００００１００１  １１０１０、および１０１００  １１１１１０１１０００１０１００  １１１１１を備えた、前記トレーニング系列のセットを備える、［１２８］に記載の装置。
［１３２］
前記第２のトレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記トレーニング系列の前記セットを備える、［１２８］に記載の装置。
［１３３］
前記第２のトレーニング系列４０５が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記トレーニング系列の前記セットを備える、［１２８］に記載の装置。
［１３４］
前記第２のトレーニング系列４０５が、０１１１１  １１００１１０１０１００１１１１  １１００１、０１１００  １１１１１１００１０１０１１００  １１１１１、０１１１０  １１０１１１１０１０００１１１０  １１０１１、０１１０１  １１１０１０００１１１０１１０１  １１１０１、１１１１０  １１０１１１０００１０１１１１０  １１０１１、０１０１０  １１００１１１１１１００１０１０  １１００１、０１１０１  １１００１０１０００００１１０１  １１００１、および１１１００  １１０１０１００１１１１１１００  １１０１０を備えた、前記第１のトレーニング系列４０４に対して補完的な前記トレーニング系列の前記セットを備える、［１３１］に記載の装置。
［１３５］
前記第２のトレーニング系列４０５が、０１１１１  １１００１１０１０１００１１１１  １１００１、０１１０１  １１０００１０１１１１０１１０１  １１０００、００１０１  １１１０１１０１１１０００１０１  １１１０１、１１１１０  １１０１１１０００１０１１１１０  １１０１１、０１１００  １１１１１１００１０１０１１００  １１１１１、０１０１０  ００００１１０１１１００１０１０  ００００１、０１０００  ０１０１１１０００１００１０００  ０１０１１、および１１１００  １０１１１１１０１１１１１１００  １０１１１を備えた、前記第１のトレーニング系列４０４に対して補完的な前記トレーニング系列の前記セットを備える、［１３１］に記載の装置。
［１３６］
第１のデータ４２４および第２のデータ４２５を生成するための命令と、
第１のトレーニング系列４０４および第２のトレーニング系列４０５を生成するための命令と、
第１の組み合わされたデータ４０８を作成するために、前記第１のトレーニング系列４０４を前記第１のデータ４２４と組み合わせるための命令と、
第２の組み合わされたデータ４０９を作成するために、前記第２のトレーニング系列４０５を前記第２のデータ４２５と組み合わせるための命令と、
第１の送信信号４１３および第２の送信信号４１４を作成するために、同じチャネル周波数４１１と同じタイムスロット４１２とを使用して、前記第１の組み合わされたデータ４０８と前記第２のデータ組み合わされたデータ４０９の両方を変調ならびに送信するための命令と、
１個の基地局１１４によって、前記同じチャネル周波数４１１上の前記同じタイムスロット４１２内で前記トレーニング系列４０４、４０５の両方を使用するための命令であって、前記第１のトレーニング系列４０４と前記第２のトレーニング系列４０５との間の相互相関比が低い、使用するための命令と、を備えた、コンピュータにチャネルを共有する第１の信号および第２の信号を作成させるためのコードを備えたコンピュータ読取可能な媒体を備えるコンピュータプログラム製品。
［１３７］
新しい接続をセットアップするための命令と、
前記新しい接続が既存の接続と共有するために、チャネル周波数４１１上で使用済みのタイムスロット４１２を選択するための命令と、
前記新しい接続に関して、前記既存の接続のトレーニング系列コード４０４と異なるトレーニング系列コード４０５を選択するための命令であって、前記異なるトレーニング系列コード４０５と前記既存の接続のトレーニング系列コード４０４との間の相互相関比が低い、選択するための命令と、
１個の基地局１１４によって、前記同じチャネル周波数４１１上の前記同じタイムスロット４１２内で前記トレーニング系列４０４、４０５の両方を使用するための命令と、を備えた、コンピュータに単一のチャネル上で信号を共有させるためのコードを備えたコンピュータ読取可能な媒体を備えるコンピュータプログラム製品。
［１３８］
遠隔局がＭＵＲＯＳ可能であるかどうかを識別するための方法であって、
所与の環境において、前記遠隔局の干渉除去能力を確立することと、
前記遠隔局を利用可能な共有スロットに割り当てることと、
別の遠隔局とペアリングすることを可能にすること、とを備える方法。
［１３９］
干渉除去能力を確立する前記ステップが、
発見バーストを送ることと、
ビット誤り率を測定すること、とを備える、［１３８］に記載の方法。
［１４０］
干渉除去能力を確立する前記ステップが、
発見バーストを送ることと、
前記ビット誤り率の共分散を測定すること、とを備える、［１３８］に記載の方法。
［１４１］
干渉除去能力を確立する前記ステップが、
発見バーストを送ることと、
ＲｘＱｕａｌを測定すること、とを備える、［１３８］に記載の方法。
［１４２］
干渉除去能力を確立する前記ステップが、
発見バーストを送ることと、
ｎ  ＲｘＬｅｖを測定すること、とを備える、［１３８］に記載の方法。
［１４３］
前記ビット誤り率が少なくとも２５である場合、前記干渉除去能力が受け入れ可能である、［１３９］に記載の方法。
［１４４］
前記ＲｘＱｕａｌが２以下である場合、前記干渉除去能力が受け入れ可能である、［１４１］に記載の方法。
［１４５］
前記ＲｘＬｅｖが少なくとも１００ｄＢｍである場合、前記干渉除去能力が受け入れ可能である、［１４２］に記載の方法。
［１４６］
遠隔局がＭＵＲＯＳ可能であるかどうかを識別するための装置であって、
所与の環境において、前記遠隔局の干渉除去能力を確立する手段と、
前記遠隔局を利用可能な共有スロットに割り当てる手段と、
別の遠隔局とペアリングすることを可能にする手段と、を備える装置。
［１４７］
干渉除去能力を確立する前記手段が、
発見バーストを送る手段と、
ビット誤り率を測定する手段と、を備える、［１４６］に記載の装置。
［１４８］
干渉除去能力を確立する前記手段が、
発見バーストを送る手段と、
ビット誤り率の共分散を測定する手段と、を備える、［１４６］に記載の装置。
［１４９］
干渉除去能力を確立する前記手段が、
発見バーストを送る手段と、
ＲｘＱｕａｌを測定する手段と、を備える、［１４６］に記載の装置。
［１５０］
干渉除去能力を確立する前記手段が、
発見バーストを送る手段と、
ｎ  ＲｘＬｅｖを測定する手段と、を備える、［１４６］に記載の装置。
［１５１］
前記ビット誤り率が少なくとも２５である場合、前記干渉除去能力が受け入れ可能である、［１４７］に記載の装置。
［１５２］
前記ＲｘＱｕａｌが２以下である場合、前記干渉除去能力が受け入れ可能である、［１４９］に記載の装置。
［１５３］
前記ＲｘＬｅｖが少なくとも１００ｄＢｍである場合、前記干渉除去能力が受け入れ可能である、［１５０］に記載の装置。
［１５４］
コントローラプロセッサ９６０と、
アンテナ９２５と、
前記基地局アンテナ９２５に動作可能に接続されたデュプレクサスイッチ９２６と、
前記デュプレクサスイッチ９２６に動作可能に接続された受信機フロントエンド９２４と、
前記受信機フロントエンド９２４に動作可能に接続された受信機復調器９２３と、
前記受信機復調器９２３と前記コントローラプロセッサ９６０とに動作可能に接続されたチャネル復号器およびディインタリーバ９２２と、
前記コントローラプロセッサ９６０に動作可能に接続された基地局コントローラインターフェース９２１と、
前記コントローラプロセッサ９６０に動作可能に接続されたコーダおよびインタリーバ９２９と、
前記コーダおよびインタリーバ９２９に動作可能に接続された送信機変調器９２８と、
前記送信機変調器９２８に動作可能に接続され、かつ前記デュプレクサスイッチ９２６に動作可能に接続された送信機フロントエンドモジュール９２７と、
前記コントローラプロセッサ９６０と前記チャネル復号器およびディインタリーバ９２２、前記受信機復調器９２３、前記受信機フロントエンド９２４、前記送信機変調器９２８、ならびに前記送信機フロントエンド９２７の間で動作可能に接続されたデータバス９７０と、
前記メモリ９６２内に格納されたソフトウェア９６１であって、
所与の環境において、遠隔局１２３〜１２７の干渉除去能力を確立するための命令と、
前記遠隔局１２３〜１２７を利用可能な共有スロットに割り当てるための命令と、
別の遠隔局１２３〜１２７とペアリングすることを可能にするための命令と、を備える、前記遠隔局１２３〜１２７がＭＵＲＯＳ可能であるかどうかを識別するための命令を備えるソフトウェア９６１と、を備える基地局９２０。
［１５５］
干渉除去能力を確立するための前記命令が、
発見バーストを送るための命令と、
ビット誤り率を測定するための命令と、を備える、［１５４］に記載の基地局９２０。
［１５６］
干渉除去能力を確立するための前記命令が、
発見バーストを送るための命令と、
前記ビット誤り率の共分散を測定するための命令と、を備える、［１５４］に記載の基地局９２０。
［１５７］
干渉除去能力を確立するための前記命令が、
発見バーストを送るための命令と、
ＲｘＱｕａｌを測定するための命令と、を備える、［１５４］に記載の基地局９２０。
［１５８］
干渉除去能力を確立するための前記命令が、
発見バーストを送るための命令と、
ＲｘＬｅｖを測定するための命令と、を備える、［１５４］に記載の基地局９２０。
［１５９］
前記ビット誤り率が少なくとも２５である場合、前記干渉除去能力が受け入れ可能である、［１５５］に記載の方法。
［１６０］
前記ＲｘＱｕａｌが２以下である場合、前記干渉除去能力が受け入れ可能である、［１５７］に記載の方法。
［１６１］
前記ＲｘＬｅｖが少なくとも１００ｄＢｍである場合、前記干渉除去能力が受け入れ可能である、［１５８］に記載の方法。
［１６２］
トレーニング系列セット情報を遠隔局に信号で知らせる方法であって、
トレーニング系列の新しいセットがサポートされているかどうかを示すシグナリングを遠隔局シグナリングから受信することと、
確立されている通信チャネルに関して、前記遠隔局によって使用されることになる前記トレーニング系列セットを信号で知らせるために、チャネル記述を使用することと、を備える方法。
［１６３］
前記チャネル記述が、チャネルタイプフィールドおよびＴＤＭＡオフセットフィールドを有する、［１６２］に記載の方法。
［１６４］
前記チャネルタイプフィールドおよび前記ＴＤＭＡオフセットフィールドが、
【表１２】
0005646678.tif 000013
であり、Ｓビットが、使用するための前記トレーニング系列セットを示す、［１６３］に記載の方法。
［１６５］
レガシートレーニング系列セットが使用されるべきである場合、前記Ｓビットが０であり、新しいトレーニング系列セットが使用されるべきである場合、前記Ｓビットが１である、［１６４］に記載の方法。
［１６６］
トレーニング系列セット情報を遠隔局に信号で知らせるための装置であって、
トレーニング系列の新しいセットがサポートされているかどうかを示すシグナリングを遠隔局シグナリングから受信する手段と、
確立されている通信チャネルに関して、前記遠隔局によって使用されることになる前記トレーニング系列セットを信号で知らせるために、チャネル記述を使用する手段と、を備える装置。
［１６７］
前記チャネル記述が、チャネルタイプフィールドおよびＴＤＭＡオフセットフィールドを有する、［１６６］に記載の装置。
［１６８］
前記チャネルタイプフィールドおよび前記ＴＤＭＡオフセットフィールドが、
【表１３】
0005646678.tif 000014
であり、Ｓビットが、使用するための前記トレーニング系列を示す、［１６７］に記載の装置。
［１６９］
レガシートレーニング系列セットが使用されるべきである場合、前記Ｓビットが０であり、新しいトレーニング系列セットが使用されるべきである場合、Ｓビットが１である、［１６８］に記載の装置。
［１７０］
コントローラプロセッサ９６０と、
アンテナ９２５と、
前記基地局アンテナ９２５に動作可能に接続されたデュプレクサスイッチ９２６と、
前記デュプレクサスイッチ９２６に動作可能に接続された受信機フロントエンド９２４と、
前記受信機フロントエンド９２４に動作可能に接続された受信機復調器９２３と、
前記受信機復調器９２３と前記コントローラプロセッサ９６０とに動作可能に接続されたチャネル復号器およびディインタリーバ９２２と、
前記コントローラプロセッサ９６０に動作可能に接続された基地局コントローラインターフェース９２１と、
前記コントローラプロセッサ９６０に動作可能に接続されたコーダおよびインタリーバ９２９と、
前記コーダおよびインタリーバ９２９に動作可能に接続された送信機変調器９２８と、
前記送信機変調器９２８に動作可能に接続され、かつ前記デュプレクサスイッチ９２６に動作可能に接続された送信機フロントエンドモジュール９２７と、
前記コントローラプロセッサ９６０と前記チャネル復号器およびディインタリーバ９２２、前記受信機復調器９２３、前記受信機フロントエンド９２４、前記送信機変調器９２８、ならびに前記送信機フロントエンド９２７の間で動作可能に接続されたデータバス９７０と、
前記メモリ９６２内に格納されたソフトウェア９６１であって、
トレーニング系列の新しいセットがサポートされているかどうかを示すシグナリングを遠隔局シグナリングから受信するための命令と、
確立されている通信チャネルに関して、前記遠隔局によって使用されることになる前記トレーニング系列セットを信号で知らせるために、チャネル記述を使用するための命令と、を備えた、トレーニング系列セット情報を遠隔局に信号で知らせるための命令を備えたソフトウェア９６１と、を備える基地局９２０。
［１７１］
前記チャネル記述が、チャネルタイプフィールドおよびＴＤＭＡオフセットフィールドを有する、［１７０］に記載の基地局９２０。
［１７２］
前記チャネルタイプフィールドおよび前記ＴＤＭＡオフセットフィールドが、
【表１４】
0005646678.tif 000015
であり、Ｓビットが、使用するための前記トレーニング系列を示す、［１７１］に記載の基地局９２０。
［１７３］
レガシートレーニング系列セットが使用されるべきである場合、前記Ｓビットが０であり、新しいトレーニング系列セットが使用されるべきである場合、Ｓビットが１である、［１７２］に記載の基地局９２０。
［１７４］
ＭＵＲＯＳ発呼側に関するユーザダイバシティを確立するための方法であって、
前記ＭＵＲＯＳ発呼側を周波数ホッピングすることと、
巡回的な形でまたはランダムな形で、前記ＭＵＲＯＳ発呼側のグループを互いにペアリングすることと、を備える方法。
［１７５］
同じタイムスロット上でＨＳＮおよびＭＡＩＯを使用するが、巡回的な形でまたはランダムな形で、ＭＵＲＯＳ発呼側の前記グループを互いにペアリングするために、異なるＡＲＦＣＮを使用する前記ステップをさらに備える、［１７４］に記載の方法。
［１７６］
前記ペアリングすることが、トラヒックチャネルおよびデータチャネルに関して行われる、［１７４］に記載の方法。
［１７７］
前記トラヒックチャネルが、フルレート、ハーフレート、およびＡＦＳを含み、前記データチャネルが、ＧＰＲＳ内ならびにＥＧＰＲＳ内にＣＳおよびＭＣＳを含む、［１７６］に記載の方法。
［１７８］
ＭＵＲＯＳ発呼側に関するユーザダイバシティを確立するための装置であって、
前記ＭＵＲＯＳ発呼側を周波数ホッピングする手段と、
巡回的な形でまたはランダムな形で、前記ＭＵＲＯＳ発呼側のグループを互いにペアリングする手段と、を備える装置。
［１７９］
同じタイムスロット上でＨＳＮおよびＭＡＩＯを使用するが、巡回的な形でまたはランダムな形で、ＭＵＲＯＳ発呼側の前記グループを互いにペアリングするために、異なるＡＲＦＣＮを使用する手段をさらに備える、［１７８］に記載の装置。
［１８０］
前記ペアリングすることが、トラヒックチャネルおよびデータチャネルに関して行われる、［１７８］に記載の装置。
［１８１］
前記トラヒックチャネルが、フルレート、ハーフレート、およびＡＦＳを含み、前記データチャネルが、ＧＰＲＳ内ならびにＥＧＰＲＳ内にＣＳおよびＭＣＳを含む、［１８０］に記載の装置。
【図１】
0005646678.tif 000016
【図２】
0005646678.tif 000017
【図３】
0005646678.tif 000018
【図４】
0005646678.tif 000019
【図５】
0005646678.tif 000020
【図６】
0005646678.tif 000021
【図７】
0005646678.tif 000022
【図８Ａ】
0005646678.tif 000023
【図８Ｂ】
0005646678.tif 000024
【図９】
0005646678.tif 000025
【図１０Ａ】
0005646678.tif 000026
【図１０Ｂ】
0005646678.tif 000027
【図１１】
0005646678.tif 000028
【図１２】
0005646678.tif 000029
【図１３】
0005646678.tif 000030
【図１４】
0005646678.tif 000031
【図１５】
0005646678.tif 000032
【図１６】
0005646678.tif 000033
【図１７】
0005646678.tif 000034
【図１８】
0005646678.tif 000035
【図１９】
0005646678.tif 000036
【図２０】
0005646678.tif 000037
【図２１】
0005646678.tif 000038
【図２２】
0005646678.tif 000039
【図２３】
0005646678.tif 000040
【図２４】
0005646678.tif 000041
【図２５】
0005646678.tif 000042
【図２６】
0005646678.tif 000043
【図２７】
0005646678.tif 000044
【図２８】
0005646678.tif 000045
【図２９】
0005646678.tif 000046
【図３０】
0005646678.tif 000047
【図３１】
0005646678.tif 000048
【図３２】
0005646678.tif 000049
【図３３】
0005646678.tif 000050
【図３４】
0005646678.tif 000051
【図３５】
0005646678.tif 000052
【図３６】
0005646678.tif 000053